(57)【要約】      （修正有）【課題】人体が身に着ける着用物につけて使用できる扇風機であって，首や背中に向けて安定して送風し続けることが可能で，人体との接触部分が蒸れない扇風機を提供する。【解決手段】少なくとも，送風部と，着用物によって支持される腕と，前記腕に設けられた穴と，前記腕に設けられた足と，を有し，前記着用物を着用する人体に前記足を接触させた状態で前記人体と前記腕の間にできる空洞を前記送風部から送風された気流が通過できる扇風機を提供することで課題が解決される。【選択図】図６５
2018119537.tif 000002
【特許請求の範囲】
【請求項１】
送風部に内包又は内設された電動機と，
前記電動機によって駆動される羽根車と，
前記送風部に横設又は着設又は変動着又は蝶着された棒状体と，
前記棒状体に内包又は内設された電源と，
前記電源と前記電動機を電気的に接続する電気伝導体と，
前記棒状体を回動可能に支持する支持部と，
前記支持部を定設する外面と，
着用物に密着する足と，
前記外面と前記足を有する腕と，
からなる
扇風機。
【請求項２】
前記支持部が前記棒状体を横動可能に支持する請求項１に記載の扇風機。
【請求項３】
前記支持部に可動部を有する請求項１又は２に記載の扇風機。
【請求項４】
請求項１から３のいずれかに記載の扇風機に用いる
前記支持部と前記外面と前記足
を有する取付器具。
【請求項５】
請求項１から３のいずれかに記載の扇風機に用いる
前記支持部の棒持台。
【発明の詳細な説明】
【技術分野】
【０００１】
本発明は，扇風機，及び，取付器具に関するものである。
【背景技術】
【０００２】
小型扇風機の取付座板の左右に２本の長孔を設け，この長孔の一方に締付バンドの基端を固定し，このバンドの先端を他方の長孔に挿入して折り返し，該バンドの基端側に固定してアームを締め付け緊締する取付装置がある（特許文献１の請求項１）。
【０００３】
支柱に対し扇風機や照明器具などの各種装置や器具を，任意の位置に容易に調整可能なロック装置としては，支柱に回転不可であって煽動可能に装着された支持板を利用する装置がある（特許文献２の請求項１）。
【０００４】
掃除機本体に送風機駆動モータとしてアウターロータ型のブラシレスモータを組み込んだことを特徴とする電気掃除機において，ファンカバーとケースとの重なる部分を内側に曲げて風ガイド部材とした扇風機がある（特許文献３の請求項８）。
【０００５】
掃除機の通気パイプのハンドル付近に電気機器を取り付けることができる支持具であって，該支持具が周方向に回転移動を起こしにくい支持具がある（特許文献４）。
【０００６】
掃除機の通気パイプのハンドル付近に取り付けることができる扇風機であって，該扇風機が周方向に回転移動を起こしにくい扇風機がある（特許文献４）。
【０００７】
電気機器又は扇風機を通気パイプのハンドル付近に取り付けることができる掃除機であって，必要に応じて該電気機器又は該扇風機を簡単に着け外しでき，該電気機器又は該扇風機が周方向に回転移動を起こしにくい掃除機がある（特許文献４）。
【０００８】
特許文献４に記載した支持具を，通気パイプにさらに容易に装着できるようにするための抱持部がある（特許文献５の請求項１）。
【０００９】
特許文献４に記載した支持具を，通気パイプにさらに容易に装着できるようにするための抱持部を備えた支持具がある（特許文献５の請求項６）。
【００１０】
特許文献４に記載した支持具を，通気パイプにさらに容易に装着できるようにするための抱持部を備えた扇風機がある（特許文献５の請求項１１）。
【００１１】
室内設置型の鞍乗式器具である室内バイクの前支柱に固定された扇風機の支柱を立設した室内バイクがある（特許文献６の請求項１と図２）。
【先行技術文献】
【特許文献】
【００１２】
【特許文献１】実登３１１３６３１号広報
【特許文献２】特開平１１−０５６５８６号広報
【特許文献３】特開平７−２５５６４８号広報
【特許文献４】特願２０１６−２０３１５０
【特許文献５】特願２０１６−２２６３７５
【特許文献６】特開２０１３−２２１７５号広報
【発明の概要】
【発明が解決しようとする課題】
【００１３】
複数の利用者が共同で使用する室内型の運動用ジムであるスポーツジムやフィットネスクラブでは，限られた室内に多数の室内バイク等のトレーニングマシンを密に配置し，それらトレーニングマシンの間の狭い通路を前記利用者が頻繁に通行する。
【００１４】
特許文献６の図２に記載の室内バイクが備えた扇風機は，室内バイクのハンドルの外側に立設された支柱に固定されているため，室内バイクの前を通行する人にとって，該扇風機が通行の際の障害物となる欠点がある。
【００１５】
また，特許文献６の図２に記載の室内バイクは，該室内バイクのハンドルの外側に立設された扇風機の支柱を置くスペースを余計に必要とするため，スペースが限られた室内の運動用ジムには配置しにくいという欠点がある。
【００１６】
さらに，特許文献６の請求項１に記載の扇風機は，室内バイクに固定されているため，該扇風機を他の室内バイクに着け替えることができず，室内バイクごとに扇風機を購入する必要がありコストがかかるという欠点がある。
【００１７】
このため，スポーツジムにある室内バイクのほとんどには扇風機が着いていない。また，狭い通路に扇風機を置くこともできない。このため，利用者は暑さを我慢しながら室内バイクを使用している。
【００１８】
そこで，各利用者が携帯可能な小型のパーソナル扇風機であって，利用者が自ら使用する室内バイクにまで容易に持ち運べる扇風機があることが望ましい。
【００１９】
その持ち運びの際，利用者は運動による発汗によって，汗で手が滑りやすくなっていることから，該手で掴持しながら持ち運ぶ扇風機をすべらせて落とすことがないように，容易かつしっかりと握持できる手持部を有する扇風機であることが望ましい。
【００２０】
さらに，該扇風機を室内バイクなどの器具のパイプ又は縁又は帯状体又は平面又は器具表面に着けることができ，他の利用者の通行の邪魔にならないように，該パイプ又は該縁又は該帯状体又は該平面又は該器具表面に着けた状態を保ちながら前記手持部を外部にはみ出さないようにコンパクトに折りたたむことができる扇風機であることが望ましい。
【００２１】
また，器具のパイプ又は縁又は帯状体又は平面又は器具表面に着けるにあたっては，該パイプ又は該縁又は該帯状体又は該平面又は該器具表面に貼られたクッション材を強く締め付けて変形させることがないように，締め付けを弱くしても前記パイプ又は前記縁又は前記帯状体又は前記平面又は前記器具表面の上に安定した状態で着けておくことができる必要がある。このため，前記折りたたんだ状態であっても，前記扇風機の重心を前記パイプ又は前記縁又は前記帯状体又は前記平面又は前記器具表面の真上に位置するようにバランスをとることが容易にできる扇風機であることが望ましい。
【００２２】
そこで，本明細書に記載の発明によって解決すべき課題としては，「容易に握持できる手持部を有する携帯可能な小型の扇風機であって，かつ，パイプ又は縁又は帯状体又は平面又は器具表面に着けた状態を保ちながら前記手持部を外部にはみ出さないように折りたためる扇風機であって，かつ，前記扇風機の重心を前記パイプ又は前記縁又は前記帯状体又は前記平面又は前記器具表面の真上に容易に配置できる扇風機を提供すること」が課題解決手段１に記載の発明で解決しようとする課題である。
【００２３】
また，暑い運動用ジムの狭い通路の間を掃除機で掃除する際に，該扇風機を掃除機に着けて使用できることが好ましい。そこで，「室内バイク等の鞍乗式器具だけでなく，掃除機の通気パイプのハンドル付近にも取り付けることができる扇風機であって，かつ，該扇風機が通気パイプの周方向に回転移動を起こしにくい扇風機を提供すること」が課題解決手段３に記載の発明で解決しようとする課題である。
【００２４】
なお，特許文献４に記載した発明については，本明細書の実施例１から９に関連発明Ａとして転記する。また，転記にあたり，実施例１から９内において記載した「用語の定義」が，本明細書内の実施例１から９以外において記載した「用語の定義」と一致しない場合は，実施例１から９内においては実施例１から９内において記載した「用語の定義」を用いるものとし，実施例１から９以外においては実施例１から９以外において記載した「用語の定義」を用いるものとする。
【００２５】
なお，特許文献５に記載した発明については，本明細書の実施例１０から１４に関連発明Ｂとして転記する。また，転記にあたり，実施例１０から１４内において記載した「用語の定義」が，本明細書内の実施例１０から１４以外において記載した「用語の定義」と一致しない場合は，実施例１０から１４内においては実施例１０から１４内において記載した「用語の定義」を用いるものとし，実施例１０から１４以外においては実施例１０から１４以外において記載した「用語の定義」を用いるものとする。
【課題を解決するための手段】
【００２６】
課題解決手段０は，
「送風部に内包された電動機と，
前記電動機によって駆動される羽根車と，
前記送風部に横設された蝶番部と，
前記蝶番部を介して前記送風部に蝶着された棒状体と，
前記棒状体に内包された電源と，
前記電源と前記電動機を電気的に接続する電気伝導体と，
前記棒状体を回動可能かつ横動可能に支持する支持部と，
前記支持部が有する可動部と，
前記支持部を立設する外面と，
パイプ又は縁又は帯状体又は平面又は器具表面と相補的な形状を有する内面と，
前記外面と前記内面を有する腕と，
を有する扇風機」である。
【００２７】
なお，「パイプ」とは，通気パイプ，鞍乗式器具のパイプ，車輪式器具のパイプ，金属製のパイプ，ポリマー製のパイプ，ポリマーを上面に乗せた金属製のパイプ，中空のパイプ，円柱体，棒状体，柱状体，円筒体，筒状体，器具のパイプ，着用物のパイプ，を含む広義のパイプである。
また，「縁（へり）」とは，机の縁，本棚の縁，椅子の縁，家具の縁，板状体の縁，厚さが４センチメートル以下の板状体の縁，帽子の縁，着用物の縁，リュックサックの縁，帯状体の縁，鞍乗式器具の縁，車輪式器具の縁，器具の縁，着用物の縁，パイプの縁，パイプの上面にある縁，パイプの下面にある縁，器具の形状における端の部分，を含む広義の縁である。
【００２８】
また，「帯状体」とは，リュックサックの帯，腰に巻く帯，人体に巻く帯，布製の帯，ゴム製の帯，ポリマー製の帯，繊維製の帯，有機物製の帯，金属製の帯，鞍乗式器具の帯，車輪式器具の帯，器具の帯，着用物の帯，を含む広義の帯状体である。
【００２９】
また「平面」とは，平面体の面，板状体の面，机面，卓面，床面，壁面，天井面，地面，鞍乗式器具の平面，車輪式器具の平面，器具の平面，着用物の平面，を含む広義の平面である。
また「器具表面」とは，パイプ，縁，帯状体，平面，着用物の表面，帽子の表面，リュックサックの表面，机の表面，テーブルの表面，椅子の表面，家具の表面，鞍乗式器具の表面，車輪式器具の表面，を含む広義の器具表面である。
【００３０】
前記「相補的な形状」とは，相互に相補的な形状を有する２以上の部品を相互に接触させたときに，ぐらつかないで接触させることができる形状である。すなわち，「パイプと相補的な形状を有する内面」は前記パイプに接触させた時にぐらつかないで接触させることができる形状を有する前記内面である。また，「縁と相補的な形状を有する内面」は前記縁に接触させた時にぐらつかないで接触させることができる形状を有する前記内面である。また，「帯状体と相補的な形状を有する内面」は前記帯状体に接触させた時にぐらつかないで接触させることができる形状を有する前記内面である。また，「平面と相補的な形状を有する内面」は前記平面に接触させた時にぐらつかないで接触させることができる形状を有する前記内面である。また，「器具表面と相補的な形状を有する内面」は前記器具表面に接触させた時にぐらつかないで接触させることができる形状を有する前記内面である。
【００３１】
また，パイプ又は縁又は帯状体又は平面又は器具表面に内面を接触させて前記パイプ又は前記縁又は前記帯状体又は前記平面又は前記器具表面を抱持又は挟持又は固定できる腕の前記内面は前記パイプ又は前記縁又は前記帯状体又は前記平面又は前記器具表面に相補的な形状を有する前記内面である。また，パイプ又は縁又は帯状体又は平面又は器具表面の上面にぐらつかないで接触させて置くことができる内面は前記パイプ又は前記縁又は前記帯状体又は前記平面又は前記器具表面に相補的な形状を有する前記内面である。
【００３２】
また，課題解決手段０に記載の扇風機は実施例１から１８に記載の扇風機には限定されない。
課題解決手段０に記載の扇風機の前記電動機は，前記送風部に内包されていればよく，実施例１から１８に記載の電動機には限定されない。また，前記内包の代わりに内設されていてもよい。
【００３３】
課題解決手段０に記載の扇風機の前記羽根車は，前記電動機によって駆動されて送風できるものであればよく，実施例１から１８に記載の羽根車には限定されない。
【００３４】
課題解決手段０に記載の扇風機の前記蝶番部は，前記送風部に横設されていればよく，前記横設の方向に限定はなく，実施例１から１８に記載の蝶番部には限定されない。 また，前記横設の代わりに着設されていてもよい。
【００３５】
課題解決手段０に記載の扇風機の前記棒状体は，前記蝶番部を介して前記送風部に蝶着されていればよく，実施例１から１８に記載の棒状体には限定されない。
【００３６】
また，前記蝶番部の代わりに変動部を用いてもよく，前記変動部を介して前記送風部に前記棒状体を変動着してもよい。ただし，「変動着」とは，相互の位置関係が変動可能に着設することである。変動部に蝶番を用いた場合の変動着は蝶着となる。また，変動部に折れ曲がる柔軟性のある部品を用いた場合の変動着は折れ曲がるように変動可能に着設することである。また，変動部に回動可能な部品を用いた場合の変動着は回動可能に着設することである。前記送風部と前記棒状体の間の相対的な位置関係が変動可能に着設できるあらゆる部品を変動部として用いることができる。すなわち，変動部は蝶番部の概念を含む上位概念であり，変動着は蝶着の概念を含む上位概念である。
【００３７】
課題解決手段０に記載の扇風機の前記電源は，前記棒状体に内包されていればよく，実施例１から１８に記載の電源には限定されない。また，前記内包の代わりに内設されていてもよい。
【００３８】
課題解決手段０に記載の扇風機の前記電気伝導体は，前記電源と前記電動機を電気的に接続すればよく，例１から１８に記載の電気伝導体には限定されない。
【００３９】
課題解決手段０に記載の扇風機の前記支持部は，前記棒状体を回動可能かつ横動可能に支持すればよく，前記横動は前記支持部が前記棒状体に沿って動かせれば方向に限定はなく，実施例１から１８に記載の支持部には限定されない。また，前記支持部と前記棒状体は相互に着脱可能であってもよく，着脱不可能であってもよい。
【００４０】
課題解決手段０に記載の扇風機の前記可動部は，可動する可動部であれば可動の仕組みはどのようなものであってもよく，前記腕に対して前記棒状体の向き又は位置を変えられるように可動する可動部であればどのようなものであってもよい。前記可動は，回動であってもよく，傾動であってもよく，枢動であってもよく，嵌合させた球体に基づく可動であってもよく，柔軟性のある部材の変形に基づく可動であってもよく，また，それらの組み合わせであってもよい。前記可動部は，実施例１から１８に記載の可動部には限定されない。
【００４１】
課題解決手段０に記載の扇風機の前記外面は，前記支持部を立設する前記外面であればよく，前記立設の方向に限定はなく，実施例１から１８に記載の外面には限定されない。前記立設の代わりに斜設又は着設又は定設するのでもよい。
【００４２】
課題解決手段０に記載の扇風機の前記内面は，前記内面と相補的な形状を有するパイプ又は縁又は帯状体又は平面又は器具表面が存在しうるものであればよく，実施例１から１８に記載の内面には限定されない。
【００４３】
課題解決手段０に記載の扇風機の前記腕は，前記外面と前記内面を有すればよく，実施例１から１８に記載の腕には限定されない。
【００４４】
よって，課題解決手段０は，下記の変動式電気機器と下記の取付器具を有する課題解決手段１である。
すなわち，課題解決手段１の扇風機は，
「送風部に内包又は内設された電動機と，
前記電動機によって駆動される羽根車と，
前記送風部に横設又は着設された変動部と，
前記変動部を介して前記送風部に変動着された棒状体と，
前記棒状体に内包又は内設された電源と，
前記電源と前記電動機を電気的に接続する電気伝導体と，
からなる変動式電気機器」と，
「前記棒状体を回動可能かつ横動可能に支持する支持部と，
前記支持部が有する可動部と，
前記支持部を立設又は斜設又は着設又は定設する外面と，
パイプ又は縁又は帯状体又は平面又は器具表面と相補的な形状を有する内面と，
前記外面と前記内面を有する腕と，
からなる取付器具」と，
を有する扇風機である。
ただし，「定設する」とは，「立設又は斜設又は着設又は定設する」ことである。また，本明細書において，「取付対象物」とは，「パイプ又は縁又は帯状体又は平面又は器具表面」など，前記扇風機を取り付けることができる又は置くことができるすべての取付対象物である。
また，前記変動式電気機器の「変動式」とは，「変動部を有する」ということを表している。これに対し，変動部がないものを，「手持式電気機器」とよぶ。
すなわち，手持式電気機器は，
「送風部に内包又は内設された電動機と，
前記電動機によって駆動される羽根車と，
前記送風部に横設又は着設された棒状体と，
前記棒状体に内包又は内設された電源と，
前記電源と前記電動機を電気的に接続する電気伝導体と，
からなる手持式電気機器」である。
また，変動式電気機器は，
「送風部に内包又は内設された電動機と，
前記電動機によって駆動される羽根車と，
前記送風部に横設又は着設された変動部と，
前記変動部を介して前記送風部に変動着された棒状体と，
前記棒状体に内包又は内設された電源と，
前記電源と前記電動機を電気的に接続する電気伝導体と，
からなる変動式電気機器」である。
【００４５】
課題解決手段２は，
「前記腕が前記パイプ又は前記縁又は前記帯状体又は前記平面又は前記器具表面によって支持する又は支持される課題解決手段１に記載の扇風機」である。
【００４６】
課題解決手段３は，
「前記腕が前記パイプ又は前記縁又は前記帯状体又は前記平面又は前記器具表面を抱持又は挟持できる課題解決手段１又は２に記載の扇風機」である。
【００４７】
なお，前記パイプを挟持できる腕は，前記パイプをバネの力で挟むことができる腕であってもよく，クリップ式に挟むことができる腕であってもよい。また，前記縁を挟持できる腕は，前記縁をバネの力で挟むことができる腕であってもよく，クリップ式に挟むことができる腕であってもよい。また，挟持できる腕は，前記帯状体をバネの力で挟むことができる腕であってもよく，クリップ式に挟むことができる腕であってもよい。また，前記器具表面を挟持できる腕は，前記器具表面をバネの力で挟むことができる腕であってもよく，クリップ式に挟むことができる腕であってもよい。
【００４８】
課題解決手段４は，
「前記パイプ又は前記縁又は前記帯状体又は前記平面又は前記器具表面を巻持できる巻持部を前記腕に有する課題解決手段１から３のいずれかに記載の扇風機」である。
【００４９】
課題解決手段４に記載の扇風機の前記巻持部は，前記パイプ又は前記縁又は前記帯状体又は前記平面又は前記器具表面を巻持できる前記巻持部であればよく，実施例１から１８に記載の巻持部には限定されない。
【００５０】
課題解決手段５は，
「前記平面と相補的な形状を有する足を前記腕に有する課題解決手段１から４のいずれかに記載の扇風機」である。
課題解決手段５に記載の扇風機の前記足は，前記平面と相補的な形状を有するものであればよく，実施例１から１８に記載の足には限定されない。
【００５１】
課題解決手段６は，
「前記パイプが鞍乗式器具が備えるパイプ又は掃除機が備える通気パイプ又は車輪式器具が備えるパイプ又は着用物の帯又は家具の縁である課題解決手段１から５のいずれかに記載の扇風機」である。
なお，「車輪式器具」とは，車輪のついた器具であり，自転車，オートバイ，自動車，車椅子，ベビーカー，は車輪式器具である。
【００５２】
課題解決手段７は，
「前記可動部が回動する回転軸と前記棒状体が回動する回転軸のなす角が６５度乃至８０度である課題解決手段１から６のいずれかに記載の扇風機」である。
【００５３】
課題解決手段８は，
「前記腕の先端又は前後にベルトを通過させる穴を有する課題解決手段１から７のいずれかに記載の扇風機」である。
【００５４】
課題解決手段９は，
「課題解決手段１から８のいずれかに記載の扇風機を備えた鞍乗式器具又は車輪式器具」である。
【００５５】
課題解決手段１０は，
「課題解決手段１から８のいずれかに記載の扇風機を備えた掃除機」である。
【００５６】
課題解決手段１１は，
「課題解決手段８に記載の扇風機を備えた着用物」である。
なお，「着用物」とは，帽子，リュックサック，帯などの人体に着用できる物又は器具である。また，着用物は器具である。
【００５７】
請求項１に記載の発明にあたっては，
「変動式電気機器又は手持式電気機器が有する棒状体を支持する支持部と，
前記支持部が有する可動部と，
前記支持部を定設する外面と，
取付対象物と相補的な形状を有する内面と，
前記外面と前記内面を有する腕と，
からなる取付器具」である。
【００５８】
請求項２に記載の発明にあたっては，
「前記支持部が前記棒状体を回動可能に支持する請求項１に記載の取付器具」である。
【００５９】
請求項３に記載の発明にあたっては，
「前記支持部が前記棒状体を横動可能に支持する請求項１又は２に記載の取付器具」である。
【００６０】
請求項４に記載の発明にあたっては，
「変動式電気機器又は手持式電気機器と，
請求項１から３のいずれかに記載の取付器具と，
を有する扇風機」である。
【００６１】
請求項５に記載の発明にあたっては，
「変動式電気機器と，
請求項１から３のいずれかに記載の取付器具と，
を有する扇風機」である。
請求項６に記載の発明にあたっては，
「前記腕が前記取付対象物によって支持される請求項４又は５に記載の扇風機」である。
【００６２】
請求項７に記載の発明にあたっては，
「前記腕が前記取付対象物を抱持又は挟持できる請求項４から６のいずれかに記載の扇風機」である。
【００６３】
請求項８に記載の発明にあたっては，
「前記取付対象物を巻持できる巻持部を前記腕に有する請求項４から７のいずれかに記載の扇風機」である。
【００６４】
請求項９に記載の発明にあたっては，
「１つの平面と相補的な形状を有する足を前記腕に有する請求項４から８のいずれかに記載の扇風機」である。
【００６５】
請求項１０に記載の発明にあたっては，
「前記取付対象物が鞍乗式器具が備えるパイプ又は掃除機が備える通気パイプ又は車輪式器具が備えるパイプ又は着用物の帯又は家具の縁である請求項４から９のいずれかに記載の扇風機」である。
請求項１１に記載の発明にあたっては，
「前記可動部が回動する回転軸と前記棒状体が回動する回転軸のなす角が６５度乃至８０度又は８０度乃至９０度である請求項４から１０のいずれかに記載の扇風機」である。
請求項１２に記載の発明にあたっては，
「前記腕にベルトを通過させる穴を有する請求項４から１１のいずれかに記載の扇風機」である。
【００６６】
請求項１３に記載の発明にあたっては，
「請求項１から３のいずれかに記載の取付器具又は請求項４から１２のいずれかに記載の扇風機を備えた鞍乗式器具」である。
請求項１４に記載の発明にあたっては，
「請求項１から３のいずれかに記載の取付器具又は請求項４から１２のいずれかに記載の扇風機を備えた車輪式器具」である。
請求項１５に記載の発明にあたっては，
「請求項１から３のいずれかに記載の取付器具又は請求項４から１２のいずれかに記載の扇風機を備えた掃除機」である。
請求項１６に記載の発明にあたっては，
「請求項１から３のいずれかに記載の取付器具又は請求項４から１２のいずれかに記載の扇風機を備えた着用物」である。
【発明の効果】
【００６７】
課題解決手段１によれば，
「送風部に内包又は内設された電動機と，
前記電動機によって駆動される羽根車と，
前記送風部に横設又は着設された変動部と，
前記変動部を介して前記送風部に変動着された棒状体と，
前記棒状体に内包又は内設された電源と，
前記電源と前記電動機を電気的に接続する電気伝導体と，
からなる変動式電気機器」と，
「前記棒状体を回動可能かつ横動可能に支持する支持部と，
前記支持部が有する可動部と，
前記支持部を立設又は斜設又は着設又は定設する外面と，
パイプ又は縁又は帯状体又は平面又は器具表面と相補的な形状を有する内面と，
前記外面と前記内面を有する腕と，
からなる取付器具」と，
を有する扇風機が提供される。
【００６８】
これにより，実施例１５に記載の「容易に握持できる手持部を有する携帯可能な小型の扇風機 」が提供され，前記棒状体を手持部として握持しながら持ち運びできるので落としにくい効果を得ることができる。
【００６９】
また，課題解決手段１に記載の扇風機は，実施例１５に記載のステップ（図５４から５９）によって，室内設置型の鞍乗式器具である室内バイクのハンドルである前記パイプ（又は前記縁又は前記帯状体又は前記平面）などの前記器具表面に前記扇風機を着けた状態を保ちながら前記手持部である前記棒状体を外部にはみ出さないようにコンパクトに折りたたむことができ，かつ，前記扇風機の重心を前記パイプ（又は前記縁又は前記帯状体又は前記平面）などの前記器具表面の真上に容易に配置することができる。
【００７０】
よって，「容易に握持できる手持部を有する携帯可能な小型の扇風機であって，かつ，パイプ又は縁又は帯状体又は平面又は器具表面に着けた状態を保ちながら前記手持部を外部にはみ出さないように折りたためる扇風機であって，かつ，前記扇風機の重心を前記パイプ又は前記縁又は前記帯状体又は前記平面又は前記器具表面の真上に容易に配置できる扇風機を提供する」という課題を解決することができる。
【００７１】
なお，前記「パイプ又は縁又は帯状体又は平面又は器具表面に着けた状態を保ちながら前記手持部を外部にはみ出さないように折りたためる扇風機であって，かつ，前記扇風機の重心を前記パイプ又は前記縁又は前記帯状体又は前記平面又は前記器具表面の真上に容易に配置できる扇風機」による特筆すべき効果としては，図６０に示すように，「室内設置型の鞍乗式器具である室内バイクのハンドルの前記パイプの上面（鞍乗式器具の縁）６１３に着けられた前記扇風機の前記蝶番部を開いて前記棒状体である前記手持部を外部にはみ出さないようにコンパクトに折りたたんだ状態の扇風機３３８は，パイプ６０６の右横の通路を通行する人が矢印３３９の軌跡で通過してもぶつからないように配置できる効果」を得ることができる。
これに対し，前記コンパクトに折りたたまずに前記送風部を前記室内バイクに鞍乗りする利用者に向けて送風した場合は，図６１に示すように前記棒状体である前記手持部が外部にはみ出した状態の扇風機３４０として配置されるため，パイプ６０６の右横の通路を通行する人が矢印３４１の軌跡で通過した場合に棒状体３０８にぶつかる恐れが生じてしまう。
【００７２】
よって，課題解決手段１による効果である「パイプ又は縁又は帯状体又は平面又は器具表面に着けた状態を保ちながら前記手持部を外部にはみ出さないように折りたたむことができ，かつ，前記扇風機の重心を前記パイプ又は前記縁又は前記帯状体又は前記平面又は前記器具表面の真上に容易に配置できる効果」は， 限られた室内に多数の室内バイク等のトレーニングマシンなどの器具を密に配置し，それらトレーニングマシンの間の狭い通路を利用者が頻繁に通行する室内型の運動用ジムにおいて，前記扇風機を周囲の邪魔にならずに安全に利用するために不可欠な特筆すべき効果となっている。
【００７３】
また，課題解決手段１に記載の取付器具は，課題解決手段１に記載の変動式電気機器の棒状体を回動可能かつ横動可能に支持できるだけでなく，
「送風部に内包又は内設された電動機と，
前記電動機によって駆動される羽根車と，
前記送風部に横設又は着設された棒状体と，
前記棒状体に内包又は内設された電源と，
前記電源と前記電動機を電気的に接続する電気伝導体と，
からなる手持式電気機器」
の棒状体を回動可能かつ横動可能に支持できる。このため，変動式電気機器を有する扇風機を製造するのに加えて，さらに手持式電気機器を有する扇風機も製造する場合に，前記取付器具を両方の扇風機に共通利用することができる。これにより，製造にかかるコストを削減できる効果を得ることができる。
すなわち，
「変動式電気機器又は手持式電気機器が有する棒状体を回動可能かつ横動可能に支持する支持部と，
前記支持部が有する可動部と，
前記支持部を定設する外面と，
取付対象物と相補的な形状を有する内面と，
前記外面と前記内面を有する腕と，
からなる取付器具」は，変動式電気機器と組み合わせることによって，課題解決手段１に記載の扇風機を得ることができ，さらに，前記変動式電気機器を手持式電気機器におきかえることで，前記手持式電気機器を支持できる効果を得ることができる。
【００７４】
課題解決手段２によれば，
「前記腕が前記パイプ又は前記縁又は前記帯状体又は前記平面又は前記器具表面によって支持する又は支持される課題解決手段１に記載の扇風機」が提供される。これにより，前記パイプ又は前記縁又は前記帯状体又は前記平面又は前記器具表面の上面だけでなく，前記パイプ又は前記縁又は前記帯状体又は前記平面又は前記器具表面の上面以外にも前記扇風機を着けることができ，前記室内バイクのハンドルの前記パイプ又は前記縁又は前記帯状体又は前記平面又は前記器具表面のより広い範囲に前記扇風機を着けることができるようになる効果を得ることができる。また，前記扇風機が落下しにくくなる効果を得ることができる。
【００７５】
課題解決手段３によれば，
「前記腕が前記パイプ又は前記縁又は前記帯状体又は前記平面又は前記器具表面を抱持又は挟持できる課題解決手段１又は２に記載の扇風機」が提供される。
【００７６】
掃除機の通気パイプを抱持できる抱持部を有する前記扇風機は，実施例４から１６に記載の効果を得ることができるため，「室内バイク等の鞍乗式器具だけでなく，掃除機の通気パイプのハンドル付近にも取り付けることができる扇風機であって，かつ，該扇風機が通気パイプの周方向に回転移動を起こしにくい扇風機を提供する」という課題を解決することができる。
【００７７】
また，課題解決手段３によれば，図６２に示すように，前記扇風機は前記棒状体をコンパクトに折りたたんだ状態で，上下の区別のある通気パイプの鞍部の前鞍面又は前管の上面を上から抱持して周方向に回転移動しにくい効果を得ることができるため，周囲にトレーニングマシンが密集している狭い通路で前記扇風機を着けた前記通気パイプを有する掃除機を使用する際に，前記扇風機が前記トレーニングマシンにぶつかりにくくなるという特筆すべき効果を得ることができる。
【００７８】
また，課題解決手段３によれば，図６３に示すように，前記扇風機は前記棒状体を前記送風部に横設した状態で，上下の区別のある通気パイプの鞍部の下鞍面又は前管の下面を下から抱持して周方向に回転移動しにくい効果を得ることができるため，前記送風部をユーザに近い側（図６３では，通気パイプ１００のハンドル１０３を右手で掴持するユーザが立っている左５０９の側）に配置しても，前記棒状体に内包された前記電池の重心と前記送風部の重心が左右でバランスすることにより，前記扇風機の全体の重心が前記通気パイプの下に位置するため，ＳＨＩＲストレスを発生させにくく，かつ，前記送風部からの気流が前記通気パイプに邪魔されないという特筆すべき効果を得ることができる。
【００７９】
課題解決手段４によれば，
「前記パイプ又は前記縁又は前記帯状体又は前記平面又は前記器具表面を巻持できる巻持部を前記腕に有する課題解決手段１から３のいずれかに記載の扇風機」が提供される。これにより，前記扇風機は，実施例４から１６に記載の巻持部による効果を得ることができる。また，前記巻持部に前記パイプを巻持させる場合と同様の方法でリュックサックの帯を巻持させることが可能になるため，実施例１８に記載の「リュックサックに前記扇風機を着けることができる」という特筆すべき効果を得ることができる。
【００８０】
課題解決手段５によれば，
「前記平面と相補的な形状を有する足を前記腕に有する課題解決手段１から４のいずれかに記載の扇風機」が提供される。これにより，前記扇風機は，机面上にぐらつかない状態で，安定に置くことができる。また，実施例４から１８に記載の「前記足を有する抱持部による効果」又は「前記抱持部を有する前記扇風機による効果」を得ることができる。
【００８１】
課題解決手段６によれば，
「前記パイプが鞍乗式器具が備えるパイプ又は掃除機が備える通気パイプ又は車輪式器具が備えるパイプ又は着用物の帯又は家具の縁である課題解決手段１から５のいずれかに記載の扇風機」が提供される。これにより，実施例１５に記載の「鞍乗式器具に着けた前記扇風機」が有する効果，又は，実施例４から１６に記載の「掃除機の通気パイプに着けた前記扇風機」が有する効果を得ることができる。また，車輪式器具に対しても実施例１５に記載の「鞍乗式器具に着けた前記扇風機」が有する効果を得ることができる。
【００８２】
課題解決手段７によれば，
「前記可動部が回動する回転軸と前記棒状体が回動する回転軸のなす角が６５度乃至８０度である課題解決手段１から６のいずれかに記載の扇風機」が提供される。これにより，実施例１５に記載の「前記扇風機のスイッチが押しやすくなる効果」，及び，「前記支持部を前記可動部で回動させても，ファンガードが腕にぶつからない効果」，及び，実施例１７に記載の「送風部と人の背中の間の距離が相互にぶつからない適切な距離に保たれる効果」を得ることができる。
課題解決手段８によれば，
「前記腕の先端又は前後にベルトを通過させる穴を有する課題解決手段１から７のいずれかに記載の扇風機」が提供される。これにより，実施例１７に記載の「帽子に着けた前記扇風機」が有する効果及び／又は実施例１８に記載の「リュックサックに着けた扇風機」が有する効果を得ることができる。
課題解決手段９によれば，
「課題解決手段１から８のいずれかに記載の扇風機を備えた鞍乗式器具又は車輪式器具」が提供される。
課題解決手段１０によれば，
「課題解決手段１から８のいずれかに記載の扇風機を備えた掃除機」が提供される。
課題解決手段１１によれば，
「課題解決手段８に記載の扇風機を備えた着用物」が提供される。
【００８３】
請求項１に記載の取付器具によれば，前記取付器具の支持部の可動部による自由度によって，実施例１８に記載のリュックサックを背負う人の脇の下に向けて送風できるように手持式電気機器又は変動式電気機器の送風部を配置できる効果を得ることができるため，前記リュックサックに取り付けた取付器具に前記手持式電気機器又は前記変動式電気機器を取り付けることで，歩きながら移動しても送風を安定して脇の下に向け続けることができ，ワキ汗を乾かし続けることができるという特筆すべき効果を得ることができる。
【００８４】
請求項２に記載の取付器具によれば，前記取付器具の支持部の可動部による自由度と，前記支持部が棒状体を回動可能に支持する自由度の２つの自由度によって，前記手持式電気機器又は前記変動式電気機器の送風部の向きをほぼ全方位に向けることができる効果を得ることができるため，実施例１８に記載のリュックサックを背負う人の顔や首や胸など様々な箇所に風を当てることができ，さらに，前記人が手に持つ携帯機器に風を当てることができるため，前記携帯機器を冷却できるという特筆すべき効果を得ることができる。
【００８５】
請求項３に記載の取付器具によれば，前記取付器具の支持部の可動部による自由度と，前記支持部が棒状体を回動可能に支持する自由度と，前記支持部が棒状体を横動可能に支持する自由度の３つの自由度によって，前記手持式電気機器又は前記変動式電気機器の送風部の位置を，実施例１８に記載のリュックサックを背負う人の首の真下に配置させることができ，そこから首元に向けて送風することができるという特筆すべき効果を得ることができる。
【００８６】
請求項１から３のいずれかに記載の取付器具によれば，前記取付器具の支持部の可動部による自由度と，変動式電気機器の変動部である蝶番部の自由度により，前記棒状体をコンパクトにたたんで，前記リュックサックを背負う人の外側に前記棒状体がはみ出ないように配置できるという特筆すべき効果を得ることができる。
請求項４に記載の発明によれば，
「変動式電気機器又は手持式電気機器と，
請求項１から３のいずれかに記載の取付器具と，
を有する扇風機」が提供される。これにより，課題解決手段０又は１に記載の効果を得ることができる。
請求項５に記載の発明によれば，
「変動式電気機器と，
請求項１から３のいずれかに記載の取付器具と，
を有する扇風機」が提供される。これにより，課題解決手段０又は１に記載の効果を得ることができる。
請求項６に記載の発明によれば，
「前記腕が前記取付対象物によって支持される請求項４又は５に記載の扇風機」が提供される。これにより，課題解決手段２に記載の効果を得ることができる。
請求項７に記載の発明によれば，
「前記腕が前記取付対象物を抱持又は挟持できる請求項４から６のいずれかに記載の扇風機」が提供される。これにより，課題解決手段３に記載の効果を得ることができる。
請求項８に記載の発明によれば，
「前記取付対象物を巻持できる巻持部を前記腕に有する請求項４から７のいずれかに記載の扇風機」が提供される。これにより，課題解決手段４に記載の効果を得ることができる。
請求項９に記載の発明によれば，
「１つの平面と相補的な形状を有する足を前記腕に有する請求項４から８のいずれかに記載の扇風機」が提供される。これにより，課題解決手段５に記載の効果を得ることができる。
請求項１０に記載の発明によれば，
「前記取付対象物が鞍乗式器具が備えるパイプ又は掃除機が備える通気パイプ又は車輪式器具が備えるパイプ又は着用物の帯又は家具の縁である請求項４から９のいずれかに記載の扇風機」が提供される。これにより，課題解決手段６に記載の効果を得ることができる。
請求項１１に記載の発明によれば，
「前記可動部が回動する回転軸と前記棒状体が回動する回転軸のなす角が６５度乃至８０度又は８０度乃至９０度である請求項４から１０のいずれかに記載の扇風機」が提供される。これにより，課題解決手段７に記載の効果を得ることができる。
請求項１２に記載の発明によれば，
「前記腕にベルトを通過させる穴を有する請求項４から１１のいずれかに記載の扇風機」が提供される。これにより，課題解決手段８に記載の効果を得ることができる。
請求項１３に記載の発明によれば，
「請求項１から３のいずれかに記載の取付器具又は請求項４から１２のいずれかに記載の扇風機を備えた鞍乗式器具」が提供される。
請求項１４に記載の発明によれば，
「請求項１から３のいずれかに記載の取付器具又は請求項４から１２のいずれかに記載の扇風機を備えた車輪式器具」が提供される。
請求項１５に記載の発明によれば，
「請求項１から３のいずれかに記載の取付器具又は請求項４から１２のいずれかに記載の扇風機を備えた掃除機」が提供される。
請求項１６に記載の発明によれば，
「請求項１から３のいずれかに記載の取付器具又は請求項４から１２のいずれかに記載の扇風機を備えた着用物」が提供される。
【図面の簡単な説明】
【００８７】
【図１】鞍部を抱持する支持具を有する扇風機を取り付けた通気パイプの左斜め前からの図である。
【図２】鞍部を抱持する支持具を有する扇風機を取り付けた通気パイプのハンドルを右手で掴持する人の目線から見た図であり，送風の方向が人体の顔に向いている状態を表す図である。
【図３】鞍部を抱持する支持具を有する扇風機を取り付けた通気パイプをハンドルの下から見た図である。
【図４】鞍部を抱持する支持具を有する扇風機を通気パイプの前管と後管を巻持させた図である。
【図５】通気パイプの鞍部の下鞍面の鞍点における法線の方向から抱持できる支持具を有する扇風機の図である。
【図６】通気パイプの鞍部を抱持し巻持できる支持具を有する扇風機の側面からの断面図である。
【図７】通気パイプの鞍部を抱持し巻持できる支持具を有する扇風機の正面からの断面図である。
【図８】通気パイプの鞍部を抱持し巻持できる支持具を有する扇風機の腕の内面の鞍点における法線の方向から見た図である。
【図９】通気パイプの鞍部を抱持し巻持できる支持具を有する扇風機の斜め上方向から見た図である。
【図１０】通気パイプの鞍部を抱持し巻持できる支持具を有する扇風機の斜め横方向から見た図である。
【図１１】通気パイプを外した状態で足を机面の上に置いて立つ扇風機の側面図である。
【図１２】通気パイプを外した状態で足を机面の上に置いて立つ扇風機の正面図である。
【図１３】通気パイプを外した状態で足を机面の上に置いて立つ扇風機の斜め上方向から見た図である。
【図１４】通気パイプの座標系を説明する図である。
【図１５】前管と後管とハンドルからなる通気パイプの各部分の図（上段）と，前記各部分からなる通気パイプの図（中段）と，通気パイプの前鞍面と後鞍面と下鞍面の図（下段）である。
【図１６】ハンドルを有する通気パイプと，ハンドルを有さない通気パイプのそれぞれを抱持する腕バネを周方向に回転移動させたときの腕の幅の増加率のグラフである。
【図１７】ハンドルを有する通気パイプを抱持する腕バネを周方向に回転移動させたときに腕の幅が広がる様子を斜め上から見た図である。
【図１８】ハンドルを有する通気パイプを抱持する腕バネを周方向に回転移動させたときに腕の幅が広がる様子を正面から見た図である。
【図１９】ハンドルを有さない通気パイプを抱持する腕バネを周方向に回転移動させたときに腕の幅が広がる様子を斜め上から見た図である。
【図２０】ハンドルを有さない通気パイプを抱持する腕バネを周方向に回転移動させたときに腕の幅が広がる様子を正面から見た図である。
【図２１】スマートフォンを支持する支持具を通気パイプの鞍部の前鞍面に抱持させた状態を左後上の方向から見た図である。
【図２２】スマートフォンを支持する支持具を通気パイプの鞍部の前鞍面に抱持させた状態を左前下の方向から見た図である。
【図２３】スマートフォンを支持する支持具の腕の鞍形状の内面の鞍点における法線を，通気パイプの鞍部の前鞍面の鞍点における法線と向かい合わせるようにして抱持でき，着脱できることを示す図である。
【図２４】通気パイプを外した状態で足を机面の上に置いて立つ支持具に支持されたスマートフォンの斜め上方向からの図である。
【図２５】巻持部を有さない抱持部を有する支持具の上面図である。
【図２６】巻持部を有さない抱持部を有する支持具の下面図である。
【図２７】巻持部を有さない抱持部を有する支持具の正面図である。
【図２８】巻持部を有さない抱持部を有する支持具の側面図である。
【図２９】実施例１０に記載の支持具の足を机面上に置いて斜め上から見た図である。
【図３０】実施例１０に記載の支持具を斜め下から見た図である。
【図３１】実施例１０に記載の支持具の上面図である。
【図３２】実施例１０に記載の支持具の下面図であり，奥内面がグレーで塗りつぶされている図である。
【図３３】実施例１０に記載の支持具を前後の方向から見た図である。
【図３４】実施例１０に記載の支持具を横から見た図であり，抱持部の腕の外面のシール貼付エリアがグレーで塗りつぶされている図である。
【図３５】実施例１０に記載の支持具を中央の位置でカットしたときの断面図であり，断面がグレーで塗りつぶされている図である。
【図３６】実施例１０に記載の支持具を中央から２センチメートルの位置でカットしたときの断面図であり，断面がグレーで塗りつぶされている図である。
【図３７】実施例１０に記載の支持具を中央から４センチメートルの位置でカットしたときの断面図であり，断面がグレーで塗りつぶされている図である。
【図３８】実施例１１に記載の支持具の抱持部の足の穴（フックを通過させる穴）に，壁面に固定されたフックを通過させることにより，前記フックに前記抱持部を吊持させた状態の図である。
【図３９】実施例１５に記載の扇風機の蝶番部を閉じて棒状体を送風部に横設した状態で，該扇風機を送風部の正面から見た図である。
【図４０】実施例１５に記載の扇風機の蝶番部を閉じて棒状体を送風部に横設した状態で，該扇風機を送風部の右方向から見た図である。
【図４１】実施例１５に記載の扇風機の蝶番部を閉じて棒状体を送風部に横設した状態で，該扇風機を送風部の背面から見た図である。
【図４２】実施例１５に記載の扇風機の蝶番部を閉じて棒状体を送風部に横設した状態で，該扇風機を送風部の左方向から見た図である。
【図４３】実施例１５に記載の扇風機の蝶番部を閉じて棒状体を送風部に横設した状態で，該扇風機を送風部の上方向から見た図である。
【図４４】実施例１５に記載の扇風機の蝶番部を閉じて棒状体を送風部に横設した状態で，該扇風機を送風部の下方向から見た図である。
【図４５】実施例１５に記載の扇風機の蝶番部を開いて棒状体を折りたたんだ状態で，該扇風機を送風部の正面から見た図である。
【図４６】実施例１５に記載の扇風機の蝶番部を開いて棒状体を折りたたんだ状態で，該扇風機を送風部の右方向から見た図である。
【図４７】実施例１５に記載の扇風機の蝶番部を開いて棒状体を折りたたんだ状態で，該扇風機を送風部の背面から見た図である。
【図４８】実施例１５に記載の扇風機の蝶番部を開いて棒状体を折りたたんだ状態で，該扇風機を送風部の左方向から見た図である。
【図４９】実施例１５に記載の扇風機の蝶番部を開いて棒状体を折りたたんだ状態で，該扇風機を送風部の上方向から見た図である。
【図５０】実施例１５に記載の扇風機の蝶番部を開いて棒状体を折りたたんだ状態で，該扇風機を送風部の下方向から見た図である。
【図５１】実施例１５に記載の扇風機の各パーツの関係性を示す分解図である。
【図５２】実施例１５に記載の扇風機が有する４つの可動な部位の動きである，「蝶番部の蝶動」，「棒状体の横動」，「棒状体の回動」，「支持部の可動部の回動」，を矢印で説明した図である。
【図５３】実施例１５に記載の扇風機を室内設置型の鞍乗式器具である室内バイクのハンドルのパイプに着けた図である。
【図５４】実施例１５に記載の扇風機の棒状体を手持部として握持した状態で，腕の内面を室内バイクのハンドルのパイプの上面に接触するように着ける様子の図である（ステップ１／６）。
【図５５】実施例１５に記載の扇風機の腕の内面をパイプの上面に乗せて，腕がパイプを抱持することにより，腕とパイプが相互に支持しあい，扇風機をパイプの上面６１３に安定的に着けることができている様子の図である（ステップ２／６）。
【図５６】実施例１５に記載の扇風機の腕の内面で室内設置型の鞍乗式器具である室内バイクのハンドルのパイプを支持したときに，該腕の外面に立設された支持部の棒持台の棒持面において支持される棒状体を矢印の方向に手で押してスライドさせて横動させる様子の図である（ステップ３／６）。
【図５７】実施例１５に記載の扇風機の腕の内面で室内設置型の鞍乗式器具である室内バイクのハンドルのパイプを支持したときに，腕の外面に立設された支持部の棒持台の棒持面において支持される棒状体を矢印の方向に手で回して回転させて回動させる様子の図である（ステップ４／６）。
【図５８】実施例１５に記載の扇風機の蝶番部を約１８０度蝶動させることにより送風部のファンガードの背面が棒状体にほぼ接触するところまで動かすことで，棒状体３を送風部に対して折りたたむように変形する様子の図である（ステップ５／６）。
【図５９】実施例１５に記載の扇風機の支持部の可動部を回動させて，送風部を室内バイクに鞍乗りする利用者の方向に向ける様子の図である（ステップ６／６）。
【図６０】実施例１５に記載の扇風機を室内設置型の鞍乗式器具である室内バイクのハンドルのパイプの上面に着けられた扇風機の蝶番部を開いて棒状体である手持部を外部にはみ出さないようにコンパクトに折りたたんだ状態の扇風機は，パイプの右横の通路を通行する人が矢印の軌跡で通過してもぶつからないように配置できることを示す図である。
【図６１】実施例１５に記載の扇風機をコンパクトに折りたたまずに送風部を室内バイクに鞍乗りする利用者に向けて送風した場合は，棒状体である手持部が外部にはみ出した状態として配置されるため，パイプの右横の通路を通行する人が矢印の軌跡で通過した場合に棒状体にぶつかる恐れが生じてしまうことを示す図である。
【図６２】実施例１６に記載の扇風機の棒状体をコンパクトに折りたたんだ状態で，上下の区別のある通気パイプの前管の上面を上から抱持した様子の図である。
【図６３】実施例１６に記載の扇風機の送風部に棒状体を横設した状態で，上下の区別のある通気パイプの前管の下面を下から抱持した様子の図である。
【図６４】実施例１７に記載の扇風機の腕の先端の穴に帽子の縁のベルトを通過させた状態でベルトを閉環することにより，帽子に扇風機を着けた様子の図である。帽子をかぶったときは，ベルトと相補的な形状を有する穴を有する内面を有する腕がベルトによって支持されるため，扇風機を落下させずに身に着けることができる。また，扇風機を手に持った時は，ベルトと相補的な形状を有する穴を有する内面を有する腕がベルトを支持するため，帽子は落下しない。
【図６５】実施例１７に記載の扇風機を帽子につけた状態で帽子をかぶることにより，送風部の送風の方向を帽子をかぶった人に向けることができることを示す図である。
【図６６】実施例１８に記載の扇風機の巻持部のベルトにリュックサックの帯を巻持させ，さらに，腕の先端の穴を通過させたベルトにリュックサックの帯を巻持させた状態で，扇風機を着けたリュックサックを右斜め前から見た図である。
【図６７】実施例１８に記載の扇風機の巻持部のベルトにリュックサックの帯を巻持させ，さらに，腕の先端の穴を通過させたベルトにリュックサックの帯を巻持させた状態で，扇風機を着けたリュックサックを右斜め後から見た図である。
【発明を実施するための形態】
【実施例１】
【００８８】
本発明者は，市販の扇風機を掃除機に着ける研究を重ねた結果，扇風機を着ける最良の配置方法として，掃除機のハンドルの近くの通気パイプに扇風機を着けて人体に向けて送風させる配置方法が，掃除機をかけながら移動し続ける人体を恒常的に冷却するために効果的であることを見出した。
【００８９】
本発明者は，汎用の取付器具を用いて扇風機を掃除機に着ける実験を重ねた結果，掃除機の通常の操作において，掃除機のゴミ吸引口のある先端部分（以下，「ヘッド」という）の向きを変えるために掃除機の通気パイプのハンドルをひねる回転動作が多発するため，掃除中の激しい動きに，ほとんどの取付器具は耐えきれず，実験では扇風機が繰り返し脱落した。
【００９０】
よって，汎用の取付器具を用いる方法では，既存の掃除機の通気パイプに扇風機を安定的に着けることは大変難しいという結論に至った。
【００９１】
次に，市販の扇風機の部品にベルトを通過させ，該ベルトを掃除機の通気パイプに巻き付けることで，該扇風機を該通気パイプに固定する方法を試みた。しかし，市販の扇風機のほとんどは表面が外側に向かって凸型に膨らみを帯びた形状をしており，同様に，掃除機の通気パイプの表面も外側に向かって凸型に膨らみを帯びた形状を有している。このため，前記扇風機と前記掃除機の間の接触面が安定せず，「接触面が常に不安定な状態」にあり，前記ハンドルをひねる回転動作のわずかな振動によって，前記接触面がすぐにスリップして扇風機の送風の向きが頻繁に変わってしまうことが分かった。
【００９２】
よって，従来技術の扇風機の表面を通気パイプに接触させて固定する方法では，人体に向けて安定的に送風を維持することは困難であるという結論に至った。
【００９３】
以上の実験により，掃除機に扇風機を取り付けるための専用の支持具が必要であることが分かった。また，実験中に手首に負担を感じるようになったため，以下の実験を行った。
【実施例２】
【００９４】
（ＳＨＩＲストレスの発見，および，ＳＨＩＲストレス解消方法の発見）
扇風機を通気パイプに着けたときに手首にかかる負担の原因を調査し，かつ，該負担の解消方法を発見する目的で以下の実験を行った。
【００９５】
該実験に使用した掃除機は，市販の掃除機である。該掃除機のヘッドにあるパワーブラシの回転体を取り外し，木製のフローリング材を敷き詰めた床面に該ヘッドを接触させた状態で，該掃除機のハンドルを手で支持することにより，該掃除機の通気パイプと前記床面の角度を４５度に保ちながら以下の実験を行った。
【００９６】
該実験に使用した扇風機は，市販の充電池式の小型扇風機である。該扇風機の重量は２８４グラムであった。該扇風機を，前記ハンドルの位置から前記ヘッド方向に向かって１５０ミリメートルの位置にある通気パイプの表面に固定した。
【００９７】
前記固定によって，該通気パイプの軸から８５ミリメートル離れた位置に該扇風機の重心が位置することを確認した。
【００９８】
そして，前記固定において，前記重心の位置を，ロール回転角で４５度の位置５１１の方向においた条件を実験条件４００とし，また，ロール回転角で１８０度の位置５０７の方向においた条件を実験条件４０１とした。
【００９９】
ただし，ロール回転角とは，図１４のロール回転軸５０１における角度である（「ロール回転角」の定義については実施例３に記載）。
【０１００】
また，実験条件４００において，さらに，２８４グラムの重りをロール回転角で２２５度の位置に追加した条件を実験条件４０２とした。
【０１０１】
すなわち，実験条件４００は，「２８４グラムの物体の重心を，通気パイプの軸から８５ミリメートルの距離で，通気パイプのハンドルからロール回転角４５度の方向の位置においた実験条件」である。
【０１０２】
また，実験条件４０１は，「２８４グラムの物体の重心を，通気パイプの軸から８５ミリメートルの距離で，通気パイプのハンドルからロール回転角１８０度の方向の位置においた実験条件」である。
【０１０３】
また，実験条件４０２は，「５６８グラムの物体の重心を，通気パイプの軸上の位置においた実験条件」である。
【０１０４】
実験条件４００において，前記通気パイプの前記ヘッドを床面に接触させ，該ヘッドを床面に滑走させない状態で，前記ハンドルを真上の方向に向けて支持したときは，前記通気パイプが自然にロール回転する現象は観測されなかった。すなわち，前記ヘッドを床面に滑走させないときは，前記ハンドルを支持する手の手首をロール回転方向に回転させるトルクは発生しなかった。
【０１０５】
次に，実験条件４００において，前記通気パイプと前記床面の角度を４５度に保ちながら，前記ハンドルを手で前方に押し出すことにより，前記ヘッドを５０センチ以上前方に滑走させたところ，前記通気パイプがロール回転方向に８０度以上回転する現象が観測された。
【０１０６】
実験条件４００において，前記「５０センチ前方滑走の試行」を１０回繰り返し，前記通気パイプのロール回転方向の回転角を測定したところ，１回目は９１度，２回目は９５度，３回目は９３度，４回目は８９度，５回目は９７度，６回目は９１度，７回目は９２度，８回目は９６度，９回目は８７度，１０回目は９４度であり，平均は９２．５度であった。
【０１０７】
すなわち，実験条件４００において，前記ヘッドを滑走させないときは発生しない回転運動が，前記ヘッドの滑走に誘発されて毎回発生していることが観測された。
【０１０８】
また，実験条件４００において，前記滑走を繰り返すためには，該回転運動により回転した前記通気パイプの向きを元の角度（前記ハンドルが真上に向く方向）に戻すために，該回転運動とは反対の方向に前記ハンドルを手でひねり戻す動作を毎回行う必要があった。このひねり戻す動作において，（１）前記ヘッドが前記床面に接触しているために摩擦によって生じる抵抗力と，（２）前記扇風機の重心の位置を元の高さに引き上げる際に重力によって生じる抵抗力の，２つの抵抗力を受けるため，手首に大きなストレスがかかることが分かった。
【０１０９】
すなわち，実験条件４００において，ユーザは，「ハンドルを押し出す動作」と「ハンドルをひねり戻す動作」の２種類の動作を毎回繰り返していることが観測され，この「ハンドルをひねり戻す動作」のストレスが手首にかかる大きな負担の原因となっていることが分かった。
【０１１０】
以上の実験によって発見された手首にかかる前記ストレスを，本明細書では，「ヘッド滑走誘発性ロール回転ストレス」と命名し，英語名としては「Ｓｌｉｄｉｎｇ―Ｈｅａｄ―Ｉｎｄｕｃｅｄ  Ｒｏｌｌｉｎｇ  Ｓｔｒｅｓｓ」と命名し，この英語名の頭文字をとって，本明細書では，「ＳＨＩＲＳ」又は「ＳＨＩＲストレス」とよぶ。
【０１１１】
ＳＨＩＲＳは，ヘッドと床面の間の接触によって発生することを特徴とするストレスであって，手持ち式の扇風機（例として「ドライヤー」など）の通常の手持ち動作では発生することはない。ＳＨＩＲＳは，扇風機を掃除機の通気パイプに着けてヘッドの滑走運動を繰り返す際に現れるストレスであって，掃除機の使用における動作に特有のストレスである。
【０１１２】
ＳＨＩＲＳは，ヘッドを滑走させなければ現れないストレスである。また，ＳＨＩＲＳは，扇風機を装着した時点では現れず，ヘッドを滑走させることで現れるストレスであるため，ユーザはこのストレスに気づきにくいという特徴がある。ユーザは，ＳＨＩＲＳに気づかないまま，ヘッドの滑走を繰り返すことで，手首に毎回ストレスをかけ続けることになるため，ＳＨＩＲＳは大変危険なストレスであるといえる。
【０１１３】
次に，実験条件４０１において，前記「５０センチ前方滑走の試行」を１０回繰り返し，前記通気パイプのロール回転方向の回転角を測定したところ，１回目は３度，２回目は―２度，３回目は―５度，４回目は２度，５回目は―７度，６回目は４度，７回目は１度，８回目は５度，９回目は２度，１０回目は―４度であり，平均は，―０．１度であった。
【０１１４】
よって，前記滑走を繰り返す際に「ハンドルをひねり戻す動作」はほとんど発生せず，実験条件４０１では，ＳＨＩＲストレスはほとんど発生しないことが分かった。これにより，「掃除機に着けた扇風機の重心と通気パイプのハンドルの間のロール回転角がＳＨＩＲＳの発生に影響する」という新規の知見を得ることができた。
【０１１５】
次に，実験条件４０２において，前記「５０センチ前方滑走の試行」を１０回繰り返し，前記通気パイプのロール回転方向の回転角を測定したところ，１回目は―５度，２回目は８度，３回目は―１２度，４回目は７度，５回目は８度，６回目は−１度，７回目は１１度，８回目は９度，９回目は−１０度，１０回目は１２度であり，平均は，―２．７度であった。
【０１１６】
よって，前記滑走を繰り返す際に「ハンドルをひねり戻す動作」はほとんど発生せず，実験条件４０２では，ＳＨＩＲストレスはほとんど発生しないことが分かった。
【０１１７】
また，被験者５人に，実験条件４００と，実験条件４０２のそれぞれで，前記「５０センチ前方滑走の試行」を５０回繰り返してもらった後に，手首の疲労度について聞き取り調査を行ったところ，全員が実験条件４０２よりも実験条件４００の方により大きな疲労を感じたと回答した。
【０１１８】
このことは，実験条件４０２では扇風機の重量が２倍になっているにも関わらず，該扇風機の重心の位置を通気パイプの軸上に位置させることにより，疲労度は実験条件４００よりも大きく軽減されることを示唆するものである。
【０１１９】
以上の実験から，ＳＨＩＲストレスの解消方法として，「扇風機全体の重心の位置をハンドルからロール回転角１８０度の方向に位置させる方法」と，「重りを用いて扇風機全体の重心の位置を通気パイプの軸付近に位置させる方法」の２つの方法が有効であるという新規の知見が得られた。
【０１２０】
また，「掃除機に着けた扇風機の重心と通気パイプのハンドルの間のロール回転角がＳＨＩＲＳの発生に影響する」という知見から，「重心が通気パイプの軸付近に位置しない扇風機を着けるときは，該扇風機と該通気パイプの向きを正しく着ける必要がある」という別の新規な知見も得られた。
【０１２１】
なお，前記ＳＨＩＲストレスの発見と前記ＳＨＩＲストレスの解消方法は本出願時において未発表の知見である。
【実施例３】
【０１２２】
（座標系の定義）
図１４に記載の通気パイプを用いて座標系を定義した。この座標系を本明細書の説明に用いる座標系とする。
【０１２３】
通気パイプ１００の前管１０１の筒状体の軸をロール回転軸５０１とする。
【０１２４】
ロール回転軸５０１に対して垂直な軸であって，前管１０１と後管１０２が相互に接続された位置を通過し，上５０６と下５０７の方向にのびる軸をヨー回転軸５０２とする。
【０１２５】
ロール回転軸５０１とヨー回転軸５０２の両方に対して垂直な軸をピッチ回転軸５０３とする。
【０１２６】
ロール回転軸５０１とヨー回転軸５０２とピッチ回転軸５０３の交わる点を原点５００とする。
【０１２７】
前５０４の方向は，ロール回転軸５０１に沿って前管１０１の筒状体を通過する気流の上流がある方向である。掃除機稼働時において，気流はヘッド１１１から前管１０１を通過して後管１０２の方向に流れる。すなわち，前５０４の方向は，原点５００からロール回転軸５０１に沿ってヘッド１１１のある方向である。
【０１２８】
後５０５の方向は，原点５００から見て前５０４と反対の方向である。
【０１２９】
上５０６の方向は，原点５００から見てヨー回転軸５０２に沿ってハンドル１０３のある方向である。
【０１３０】
下５０７の方向は，原点５００から見て上５０６と反対の方向である。
【０１３１】
右５０８の方向は，原点５００から前５０４を見たときに，ピッチ回転軸５０３に沿って右の方向である。
【０１３２】
左５０９の方向は，原点５００から前５０４を見たときに，ピッチ回転軸５０３に沿って左の方向である。
【０１３３】
ロール回転角５１０は，ロール回転軸５０１の周方向の回転角であり，上５０６の方向を０度とし，右５０８の方向を９０度，下５０７の方向を１８０度，左５０９の方向を２７０度とする，
【０１３４】
図１４では，ロール回転角で４５度の方向にある位置５１１が描かれている。
【０１３５】
図１から４及び１４に記載の扇風機３００は，ロール回転角で１８０度の方向（すなわち，下５０７の方向）から，通気パイプ１００を抱持している。
【実施例４】
【０１３６】
実施例４では，図１から１４に記載の支持具２００と，該支持具を有する扇風機３００について説明する。
【０１３７】
（支持具の構成）
図１から４に記載の支持具２００は，ハンドル１０３を有する通気パイプ１００の鞍部１０５，及び／又は前管１０１，及び／又は後管１０２を抱持できる腕２０２を有する抱持部２０１と，抱持部２０１に支持された支持部２１０とを有している。
【０１３８】
（支持具と通気パイプの関係）
図１から１４に記載の支持具２００が有する抱持部２０１が有する巻持部２０６のベルト２０７を抱持部２０１の腕２０２の外面２０４の上からＯ形状２２７に巻くことにより，通気パイプ１００の前管１０１，及び／又は後管１０２，及び／又はハンドル１０３の内の少なくとも１つ又は２つを巻持した状態において，支持具２００が有する抱持部２０１が有する腕２０２が有する内面２０３は，通気パイプ１００の鞍部１０５の前鞍面１０６，及び／又は後鞍面１０７，及び／又は下鞍面１０８，及び／又は前管１０１，及び／又は後管１０２，及び／又はハンドル１０３，及び／又は付け根１０４の内の少なくとも１つ又は２つ以上と接触する状態で，腕２０２は通気パイプ１００の前管１０１，及び／又は後管１０２，及び／又はハンドル１０３，及び／又は鞍部１０５の内の少なくとも１つ又は２つ以上を，上５０６又は下５０７の方向から抱持することができる。そして，電気機器である扇風機３００の重心を通気パイプ１００の上５０６又は下５０７に位置させた状態で，前記重心をロール回転軸５０１の０度付近の方向又は１８０度付近の方向に位置させた状態を維持することができ，電気機器である扇風機３００のロール回転軸５０１の周方向への回転移動を防止できる腕バネ２２９の効果を有する腕２０２を有し，腕２０２の内面２０３は先端２０５の隙間２２４を幅２２２より狭く設けたＵ形状２２５，及び／又は鞍形状２２６，及び／又は通気パイプ１００の鞍部１０５又は前管１０１の表面に相補的な形状，の内の少なくとも１つ又は２つ以上の形状を有する内面２０３を有する腕２０２であるため，巻持手段２０６のベルト２０７を通気パイプ１００に巻かない状態でも落下せずに通気パイプ１００を抱持することができる。そして，扇風機３００の送風部３０１の送風の方向をハンドル１０３又はハンドル１０３を掴持する人体に向けることができる。通気パイプ１００の前管１０１の表面又は鞍部１０５の鞍形表面の周方向の曲率半径は，１．５センチメートルから３センチメートル（市販の掃除機の調査に基づく値）の範囲であるため，内面２０３のＵ形状２２５の周方向の曲率半径は１．５センチメートルから３センチメートルである。また，内面２０３の鞍形状２２６の鞍点２１３の周方向の曲率半径は１．５センチメートルから３センチメートルである。また，内面２０３の鞍形状２２６の鞍点２１３の軸方向の曲率半径は１０センチメートル以上である。また，内面２０３の鞍形状２２６の鞍点２１３の軸方向の曲率半径を無限大とすることで，内面２０３の鞍形状２２６の鞍点２１３の軸方向の断面が直線である半円筒又は部分円筒である腕２０２を有する抱持部２０１を有する支持具２００となり，通気パイプ１００の前管１０１の上面１３０又は下面１３１に内面２０３を隙間なく接触させながら通気パイプ１００の前管１０１の上面１３０又は下面１３１を抱持できる腕２０２の強い腕バネ２２９の効果を有する抱持部２０１を有する支持具２００を提供できる。
【０１３９】
図１から４に記載の支持具２００の抱持部２０１の腕２０２は，図５に記載の通気パイプ１００の鞍部１０５の下鞍面１０８の鞍点１１８における法線１２８の方向から，通気パイプ１００の鞍部１０５及び／又は前管１０１を抱持している。
【０１４０】
図１から４に記載の支持具２００の抱持部２０１の腕２０２は，内面２０３の鞍点２１３における法線２２３を通気パイプ１００の鞍部１０５の下鞍面１０８の方向に向けた状態，及び／又は，内面２０３の鞍点２１３を鞍部１０５の下鞍面１０８に接触させた状態で，通気パイプ１００の鞍部１０５及び／又は前管１０１を抱持している。
【０１４１】
（扇風機を支持する支持具）
図１から１３に記載の支持具２００が有する支持部２１０は，電気機器である扇風機３００の送風部３０１を支持することができ，ロール回転軸５０１，及び／又はヨー回転軸５０２，及び／又はピッチ回転軸５０３の内の少なくとも１つ又は２つ以上の軸と平行に回転させることができる軸及び軸受を有する可動部２１４と２１５を有し，可動部２１４と２１５によって送風の向きを変えられるように電気機器である扇風機３００の送風部３０１を支持する。
【０１４２】
（支持具を有する扇風機）
図１から１３に記載の支持具２００を有する扇風機３００は，前記のいずれかの支持具２００を有し，前記のいずれかの支持部２１０によって支持された送風部３０１を有する。送風部３０１は羽根車３０２を有し，羽根車３０２の車軸を回転させる電動機３０３は枠３０６によって支持され，枠３０６はファンガード３０５を有し，支持具２１０によって支持される。送風部３０１の枠３０６は電池３０４を支持し，電池３０４は電動機３０３に電気的に接続されることで，電動機３０３に給電する。送風部３０１の枠３０６は，ユニバーサルシリアルバス規格の受電可能なポートを有し，該ポートを外部電源に接続することで，該外部電源からの電気を電池３０４に充電することができる。また，該外部電源からの電気で電動機３０３を駆動することができる。そして，該ポートを該外部電源から切り離した状態で，電池３０４からの電気で電動機３０３を駆動することができる。羽根車３０２の幅は通気パイプの前管１０１の幅よりも大きいため，通気パイプ１００の下５０７の方向に送風部３０１が位置する扇風機３００は，通気パイプ１００の上５０６の方向に送風して風を届かせることができる。
【０１４３】
（扇風機と通気パイプの関係）
扇風機３００が有する支持具２００が有する抱持部２０１が有する腕２０２は，先端２０５の隙間２２４を幅２２２より狭く設けたＵ形状２２５の腕２０２の内面２０３を通気パイプ１００の前管１０１の下面１３１又は鞍部１０５の下鞍面１０８に接触させた状態で，通気パイプ１００の前管１０１の下面１３１又は鞍部１０５の下鞍面１０８を下５０７の方向から抱持し，抱持部２０１が有する巻持部２０６は前管１０１及び／又は後管１０２にベルト２０７をＯ形状２２７に巻いて前管１０１及び／又は後管１０２を巻持し，通気パイプ１００の下５０７の方向に扇風機３００の送風部３０１の重心が位置する。
【０１４４】
（支持具の巻持部）
抱持部２０１は，前管１０１及び／又は後管１０２のそれぞれを巻持部２０６のベルト２０７でＯ形状２２７に巻持することで，腕２０２の外面２０４を上から締め付けながら，下鞍面１０８及び／又は下面１３１を内面２０３に接触させて抱持することができる。また，抱持部２０１は，前管１０１及びハンドル１０３のそれぞれを巻持部２０６のベルト２０７でＯ形状２２７に巻持することで，腕２０２の外面２０４を上から締め付けながら，前鞍面１０６及び／又は上面１３０を内面２０３に接触させて抱持することもできる。抱持部２０１は１又は２以上の巻持部２０６のベルト２０７を有し，ベルト２０７は面ファスナ２０９を有し，開閉環できるジョイント２０８を有する。ただし，前記「開閉環できる」は，開環と閉環ができるということである。
【０１４５】
（前管を上下から抱持する効果）
図１から４に記載の通気パイプ１００の前管１０１の形状には上下の区別があり，前管１０１の左右の幅（すなわち，上面１３０の左右の幅，又は，下面１３１の左右の幅）は前管１０１の上下の幅より狭い。このため，上下の区別がある形状で左右の幅が上下の幅より狭い形状を有する前管１０１の幅を最も狭く抱持できる「上面１３０を上５０６の方向から抱持する腕２０２」又は「下面１３１を下５０７の方向から抱持する腕２０２」のＵ形状２２５は，前記幅の広い周方向に回転移動するにしたがって，腕２０２の幅２２２が増加することになる。これに対し，腕２０２は腕２０２のＵ形状２２５を維持しようとするため，腕２０２は腕バネ２２９の効果を有する。すなわち，「上下の区別がある形状で左右の幅が上下の幅より狭い形状を有する通気パイプ１００の前管１０１の上面１３０を上５０６の方向から抱持する腕２０２を有する抱持部２０１を有する支持具２００」又は「上下の区別がある形状で左右の幅が上下の幅より狭い形状を有する通気パイプ１００の前管１０１の下面１３１を下５０７の方向から抱持する腕２０２を有する抱持部２０１を有する支持具２００」は，腕バネ２２９の効果により，「前管１０１の幅を最も狭く抱持できる周方向に前記回転移動を戻す効果」を有するため，「前記回転移動を起こしにくい効果」を得ることができる。
【０１４６】
（エラスティックポリマー，エラスティック樹脂）
支持具２００の抱持部２０１の腕２０２は，エラスティック性のあるポリマーを用いることができ，ポリエチレン，ポリプロピレン，ナイロン，ポリスチレン，ポリ塩化ビニル，ポリメタクリル酸メチル，ポリテトラフルオロエチレン，ポリカーボネート，ポリエチレンテレフタレート，ＡＳ樹脂，ＡＢＳ樹脂，エチレン酸ビコポリマー，アセタール樹脂，酢酸セルロース樹脂，ポリウレタン，ＴＰＵ樹脂，熱可塑性樹脂，熱可塑性ポリウレタンエラストマー，合成ゴム，天然ゴムを用いることができる。また，滑り止め効果のある前記ポリマーを腕２０２の内面に用いることもでき，複数種類のポリマーを組み合わせて用いることができる。
【０１４７】
これにより，該ポリマーの弾性力を利用して，前記「内面密着性腕バネ効果」を同じポリマー材料を用いて成形した１つの部品で得ることができる。具体的には，腕２０２の鞍点２１３から足２１２に繋がる中央部分を該ポリマー材料を用いた肉厚の構造に成形することにより，腕バネ２２９のＵ形状２２５の剛性を高めることで，前記「腕バネ効果」をより高めることができる。また，腕２０２と巻持部２０６のベルト２０７が接触する部分を該ポリマーを用いた肉薄の構造に成形することにより，巻持部２０６のベルト２０７のＯ形状２２７の締め付けにより腕２０２の形状がＯ形状２２７に合わせて変形しやすいように成形することで，腕２０２の内面２０３が通気パイプ１００に密着しやすくなり，前記「内面の密着性を高める効果」を得ることができる。
【０１４８】
（足）
支持具２００の抱持部２０１の腕２０２の両側の先端２０５から外面２０４の側に外側に向かってのびる板形状又は１つの平面に相補的な形状の２以上の足２１２が設けられている。足２１２は１つの平面に相補的な形状を有することから，１つの平面である机面６００に相補的な形状を有する。よって，支持具２００の抱持部２０１から通気パイプ１００を外した状態で，足２１２を机面６００の上に接触させた状態で，足２１２の上に腕２０２を支持し，腕２０２の中央の上に支持部２１０を支持し，扇風機３００の送風部３０１を腕２０２の上に支持した状態で，巻持部２０６のベルト２０７を腕２０２に巻き付けた状態で，立つことができる。該立った状態において，机面６００に足２１２を接触させ，腕２０２の内面２０３を机面６００に向けて下向きに有し，上に向けて有する外面２０４の中央に上向きに立設された短い支柱の形状を有する回転可能な軸と軸受からなる可動部２１４を有する支持部２１０は，水平方向両側に向かってのびながらアーチ状に上方向に向けて湾曲させた板状体の先端に回転可能な軸と軸受からなる可動部２１５を有する。可動部２１５によって回転可能に支持されたファンガード３０５及び枠３０６により支持される電動機３０３の回転軸に固定された羽根車３０２は，枠３０６の内部に支持された電池３０４から電気コードを経由して給電される電動機３０３によって駆動されて回転する。よって，抱持部２０１は通気パイプ１００を外した状態で机面６００に立つ２つの板形状の足２１２を腕２０２の両側の先端２０５に有する。
【０１４９】
支持具２００は，先端２０５の隙間２２４が幅２２２より狭いＵ形状２２５を有するエラスティックポリマー材料製の腕２０２の両側の先端２０５に設けられた２つの足２１２を手で反対方向に引っ張って広げることで隙間２２４広げることができるため，隙間２２４から通気パイプ１００を通過させることができる。また，腕２０２を通気パイプ１００に抱持させる際に，腕２０２の両側の先端２０５に設けられた２つの足２１２を指でつまんで通気パイプ１００の下５０７から引き上げることで，腕２０２の先端２０５の隙間２２４から通気パイプ１００を通過させる作業をしやすくする形状を有する。このため，抱持させる際に誤って電気機器である扇風機３００を落下させる事故を防止する効果を得ることができる。
【０１５０】
（３Ｄプリンター）
抱持部２０１の腕２０２は，抱持部２０１の腕２０２の形状データに基づいて３Ｄプリンターで成形することにより製造することができる。抱持部２０１の腕２０２の形状データは，少なくとも「腕２０２の外面２０４の三次元又は二次元の形状データ」を含むデータである。外面２０４の形状データを内面２０３の形状データと組み合わせることにより，腕２０２の全体の形状データを容易に作成して，３Ｄプリンターで成形することができる。内面２０３の形状データとしては，市販の通気パイプの形状をスキャナーで読み込んだ形状から相補的な形状を生成する方法と，市販の通気パイプの形状を表すＣＡＤデータから相補的な形状を生成する方法のいずれかにより，「通気パイプ１００の前管１０１，及び／又は後管１０２，及び／又はハンドル１０３，及び／又は鞍部１０５の形状データに相補的な形状」を生成することができる。また，「鞍形状を有する形状データ」を内面２０３の形状データとして用いることもできる。腕２０２の形状データを含む抱持部２０１の形状データを記録する媒体としては，コンピュータで読み出し可能な記録媒体であればいかなる記録媒体を用いてもよく，磁気ディスク，ソリッドステートドライブ，メモリー，リードオンリーメモリー，ランダムアクセスメモリー，半導体素子メモリーを用いてもよい。
【実施例５】
【０１５１】
（腕バネ効果の実験）
腕２０２に通気パイプ１００を抱持させた状態で，通気パイプ１００をひねることにより，腕２０２を周方向に回転移動させたときの腕２０２の幅２２２をモデルを用いて計測する実験をした。
【０１５２】
実験に用いた通気パイプは，直径が４センチメートルの円を該円の面に垂直方向に５センチメートル直進させ，そこから曲率半径２０センチメートルで３０度回転するまで移動させ，そこから５センチメートル直進させたときに該円の円周が描く曲面からなる筒状体５６３である。これをハンドルを有さない通気パイプ５６３とする。
【０１５３】
次に筒状体５６３を，最初の円の位置において該円の円周方向に１８０度回転させることによって得られるもう一つの筒状体の先にハンドルをつけ，これを筒状体５６３と重ね合わせることによって得られる三又の筒状体５６２をハンドルを有する通気パイプ５６２として実験に用いた。
【０１５４】
実験に使用した腕２０２は，腕の内側の間の幅が４センチメートルで，腕の内側の長さが３．４センチメートルで厚さが１センチメートルの凹形を底面とし，これを高さ８センチメートルにのばした凹形柱であり，これを腕バネ２２９として使用した。
【０１５５】
腕バネ２２９の内面にハンドルを有する通気パイプ５６２の鞍部を下鞍面の鞍点方向から抱持した状態５５０では，腕バネ２２９の腕の幅２２２は４センチメートルである。
【０１５６】
腕バネ２２９の内面にハンドルを有する通気パイプ５６２の鞍部を下鞍面の鞍点方向から軸１１０の周方向に２０度回転移動させた方向から抱持した状態５５１では，腕バネ２２９の腕の幅２２２は４．７６センチメートルであり，１９％増加した。
【０１５７】
腕バネ２２９の内面にハンドルを有さない通気パイプ５６３の鞍部を下鞍面の鞍点方向から抱持した状態５６０では，腕バネ２２９の腕の幅２２２は４センチメートルである。
【０１５８】
腕バネ２２９の内面にハンドルを有さない通気パイプ５６３の鞍部を下鞍面の鞍点方向から軸１１０の周方向に２０度回転移動させた方向から抱持した状態５６１では，腕バネ２２９の腕の幅２２２は４．３１センチメートルであり，７．７％増加した。
【０１５９】
ハンドルを有さない通気パイプを周方向に回転移動させたときの回転角度に対する腕の幅の増加率のグラフ５７３から，「鞍形表面を抱持する腕の幅は，鞍点方向から抱持するときが最小となり，鞍点方向と抱持方向の間の角度に比例して増加する」という知見が得られた。
【０１６０】
また，ハンドルを有する通気パイプを周方向に回転移動させたときの回転角度に対する腕の幅の増加率のグラフ５７２からも，前記と同じ知見が得られることが確認され，さらに，「ハンドルを有さない通気パイプ５６３よりも，ハンドルを有する通気パイプ５６２を抱持させる方が，よりわずかな角度の回転移動であっても，腕の幅２２２をより大きく広げる効果を生じる」という知見が得られた。
【０１６１】
図１７から２０に記載の腕バネ２２９の内面は，ハンドルを有する通気パイプ５６２の下鞍面に相補的な形状を有していないため，ハンドルを有する通気パイプ５６２の鞍部を下鞍面の鞍点方向から抱持した状態５５０において，該内面と該下鞍面の鞍点の間には空隙が存在する。
【０１６２】
これに対し，図１から１０に記載の支持具の腕２０２は，通気パイプ１００の鞍部１０５又は前管１０１に相補的な形状の内面２２８を有するため，腕２０２のＵ形状２２５の内面２０３が通気パイプ１０１の鞍形表面である下鞍面１０８に接触することになり，前記空隙が存在しないため，腕２０２のＵ形状２２５の内側を周方向にむすぶ内面２０３の距離が短くなることにより，腕２０２の剛性が増す。このため，図９と１０に記載の腕バネ２２９は，図１７から２０に記載の腕バネよりも「さらに強い腕バネ効果」を得ることができる。
【０１６３】
同様に，図２１から２８に記載の支持具の腕２０２は，通気パイプ１００の鞍部１０５又は前管１０１に相補的な形状の内面２２８を有するため，腕２０２のＵ形状２２５の内面２０３が通気パイプ１０１の鞍形表面である前鞍面１０６に接触することになり，前記空隙が存在しないため，腕２０２のＵ形状２２５の内側を周方向にむすぶ内面２０３の距離が短くなることにより，腕２０２の剛性が増す。このため，図２５に記載の腕バネ２２９は，図１７から２０に記載の腕バネよりも「さらに強い腕バネ効果」を得ることができる。
【実施例６】
【０１６４】
実施例６では，図２１から２８に記載の支持具２００について説明する。
【０１６５】
（支持具の構成）
図２１から２８に記載の支持具２００は，ハンドル１０３を有する通気パイプ１００の鞍部１０５及び／又は前管１０１を抱持できる腕２０２を有する抱持部２０１と，抱持部２０１に支持された支持部２１０とを有している。支持具２００は，先端２０５の隙間２２４が幅２２２より狭いＵ形状２２５を有するため，巻持手段２０６がなくても通気パイプ１００から落下せずに通気パイプ１００を抱持することができる。
【０１６６】
電気機器であるカメラ６０２を有するスマートフォン６０１を着脱できる嵌合部を有するスマートフォンホルダー２３０をカメラねじ２１１で支持板２３２に着脱できる着脱部位を有する基台２３１を有する支持部２１０は，抱持部２０１の腕２０２の外面２０４の中央に位置する。
【０１６７】
支持部２１０が有する基台２３１は，カメラねじ２１１及びスマートフォンホルダー２３０等の固定具を用いて電気機器であるスマートフォン６０１とカメラ６０２を固定して支持することができる。
【０１６８】
支持部２１０が有する支持板２３２は，カメラねじ２１１等の固定具を用いて電気機器であるスマートフォン６０１とカメラ６０２を固定して支持することができる。
【０１６９】
支持部２１０が有する支持板２３２は，カメラねじ２１１を外すことで，支持板２３２を両面から挟持できるクリップ等の挟持部を挟持させることができ，クリップ等の挟持部を有する電気機器である扇風機に支持板２３２を挟持させることで，電気機器である扇風機を取り付けて支持することができる。
【０１７０】
支持部２１０はカメラねじ２１１のネジ穴を有し，カメラねじ２１１のオスねじ又はメスねじを有する電気機器を前記ねじ穴に取り付けて支持することができる。
【０１７１】
支持部２１０はカメラねじ２１１を有し，カメラねじ２１１に取り付け可能な部位を有する電気機器をカメラねじ２１１に取り付けて支持することができる。
【０１７２】
支持部２１０は電気機器であるスマートフォン６０１を挟持できる伸縮移動可能な部品である挟持部を有するスマートフォン固定具であるスマートフォンホルダー２３０を有し，電気機器であるスマートフォン６０１を挟持して支持することができる。
【０１７３】
支持部２１０はスマートフォン６０１を支持することにより，電子機器であるカメラ６０２を支持することができる。
【０１７４】
支持部２１０はスマートフォン６０１を支持することにより，スマートフォン６０１が有するユニバーサルシリアルバス規格のポート端子を有し，該ポート端子に着脱できるプラグ端子を有する市販の小型の扇風機を取り付けて支持することができ，該小型の扇風機に電源がなくても，支持部２１０が支持するスマートフォン６０１が有する電源である電池の電気を該ポート端子から該プラグ端子を経由して該小型の扇風機が有する電動機に給電することができ，該電動機を駆動させて該扇風機の羽根車を回転させて送風することができる。
【０１７５】
支持具２００は，先端２０５の隙間２２４が幅２２２より狭いＵ形状２２５を有するエラスティックポリマー材料製の腕２０２の両側の先端２０５に設けられた２つの足２１２を手で反対方向に引っ張って広げることで隙間２２４広げることができるため，隙間２２４から通気パイプ１００を通過させることができる。これにより，通気パイプ１００の前管１０１，及び／又は後管１０２，及び／又はハンドル１０３，及び又は付け根１０４，及び／又は鞍部１０５の前鞍面１０６，及び／又は下鞍面１０８の内の少なくとも１つ又は２つ以上を内面２０３に接触させた状態で，腕２０２の内面２０３の鞍形状２２６の鞍点２１３における法線２２３の方向に，通気パイプ１００の前管１０１，及び／又は後管１０２，及び／又はハンドル１０３，及び又は付け根１０４，及び／又は鞍部１０５の内の少なくとも１つ又は２つ以上を，上５０６又は下５０７の方向から抱持することができる。
【０１７６】
支持具２００は，通気パイプ１００の鞍部１０５の前鞍面１０６の鞍点１１６における法線１２６の方向から，通気パイプ１００の前管１０１，及び／又はハンドル１０３，及び又は付け根１０４，及び／又は鞍部１０５の内の少なくとも１つ又は２つ以上を抱持することができる。
【０１７７】
支持具２００は，通気パイプ１００の鞍部１０５の下鞍面１０８の鞍点１１８における法線１２８の方向から，通気パイプ１００の前管１０１，及び／又は後管１０２，及び又は付け根１０４，及び／又は鞍部１０５の内の少なくとも１つ又は２つ以上を抱持することができる。
【０１７８】
支持具２００は，Ｕ形状２２５を有する腕バネ２２９の機能を有する腕２０２により，電気機器であるスマートフォン６０１を通気パイプ１００の上５０６又は下５０７に位置させた状態で，前記電気機器であるスマートフォン６０１をロール回転軸５０１の０度付近の方向又は１８０度付近の方向に位置させた状態を維持することができ，前記電気機器であるスマートフォン６０１のロール回転軸５０１の周方向への回転移動を防止できる。
【０１７９】
支持具２００は，腕バネ２２９の効果を有する腕２０２を有し，腕２０２の内面２０３はＵ形状２２５，及び／又は鞍形状２２６，及び／又は通気パイプ１００の鞍部１０５又は前管１０１の表面に相補的な形状，の内の少なくとも１つ又は２つ以上の形状を有する内面２０３を有する腕２０２である。
【０１８０】
そして，支持具２００の支持部２１０が支持する電気機器であるスマートフォン６０１の画面の方向をハンドル１０３又はハンドル１０３を掴持する人体に向けることができる。通気パイプ１００の前管１０１の表面又は鞍部１０５の鞍形表面の周方向の曲率半径は，１．５センチメートルから３センチメートル（市販の掃除機の調査に基づく値）の範囲であるため，内面２０３のＵ形状２２５の周方向の曲率半径は１．５センチメートルから３センチメートルである。また，内面２０３の鞍形状２２６の鞍点２１３の周方向の曲率半径は１．５センチメートルから３センチメートルである。
【０１８１】
支持具２００の抱持部２０１の腕２０２の両側の先端２０５から外面２０４の側に外側に向かってのびる板形状の足２１２が設けられている。支持具２００の抱持部２０１から通気パイプ１００を外した状態で，足２１２を机面６００の上に接触させた状態で，足２１２の上に腕２０２を支持し，腕２０２の内面２０３を机面６００に向けて下向きに有し，上に向けて有する外面２０４の中央の上に支持する支持部２１０により電気機器であるスマートフォン６０１を支持した状態で，机面６００の上に立つことができる。
【０１８２】
支持具２００の抱持部２０１の腕２０２と足２１２は，エラスティック性を有するポリマー材料の部品であるため，腕２０２を通気パイプ１００に抱持させる際に，腕２０２の両側の先端２０５にある足２１２を指でつまんで通気パイプ１００の下５０７から引き上げることで，腕２０２の先端２０５の隙間２２４から通気パイプ１００を通過させる作業をする際に変形する性質を有する。
【０１８３】
抱持部２０１の腕２０２は，抱持部２０１の腕２０２の形状データに基づいて３Ｄプリンターで成形することにより製造することができる。抱持部２０１の腕２０２の形状データは，少なくとも「腕２０２の外面２０４の三次元又は二次元の形状データ」を含むデータである。外面２０４の形状データを内面２０３の形状データと組み合わせることにより，腕２０２の全体の形状データを容易に作成して，３Ｄプリンターで成形することができる。内面２０３の形状データとしては，市販の通気パイプの形状をスキャナーで読み込んだ形状から相補的な形状を生成する方法と，市販の通気パイプの形状を表すＣＡＤデータから相補的な形状を生成する方法のいずれかにより，「通気パイプ１００の前管１０１，及び／又は後管１０２，及び／又はハンドル１０３，及び／又は鞍部１０５の形状データに相補的な形状」を生成することができる。また，「鞍形状を有する形状データ」を内面２０３の形状データとして用いることもできる。腕２０２の形状データを含む抱持部２０１の形状データを記録する媒体としては，コンピュータで読み出し可能な記録媒体であればいかなる記録媒体を用いてもよく，磁気ディスク，ソリッドステートドライブ，メモリー，リードオンリーメモリー，ランダムアクセスメモリー，半導体素子メモリーを用いてもよい。
【実施例７】
【０１８４】
特許文献４に記載した「解決すべき課題」を実施例７として転記する。
【０１８５】
従来技術の取付器具を用いて，掃除機の通気パイプのハンドル付近に扇風機やスマートフォンなどの機器を取り付けた場合，掃除機の通常の操作において，通気パイプのハンドルをひねる回転動作が多発するため，該機器の取り付け位置が次第にズレていき，通気パイプの周囲を周方向に回転移動してしまいやすいという欠点がある。
【０１８６】
特許文献１に記載の取付装置の取付座板とバンドを掃除機の通気パイプに締め付けることにより該掃除機に扇風機を取り付けた場合，前記回転移動を防ぐ力は，該取付座板と該バンドが該通気パイプに及ぼす摩擦力だけである。このため，締め付けた部分が滑り出しやすい欠点がある。また，一旦滑り出すと元の位置に戻す力が働かないため，該扇風機が通気パイプの周囲を周方向に回転移動した状態で留まってしまう欠点がある。
【０１８７】
機器の取付器具が周方向に回転移動すると，該機器の向きが変わってしまう。該機器が扇風機の場合，扇風機の向きが変わると，送風を人体に向けて維持することができなくなる。また，実施例２に記載の実験によれば，機器が周方向に回転移動して，重心が通気パイプの一方に偏ると，ＳＨＩＲストレスが発生して手に負担をかけてしまう恐れがある。また，該機器がスマートフォンの場合，該スマートフォンのカメラの向きが傾いてしまうため，アプリの利用に支障が生じる（例えば，掃除機が通過した床面をスマートフォンで記録して，未掃除の床面がどこに残っているかを分かりやすく表示するアプリなど，スマートフォンのアプリを掃除機に応用しようとする際の障害となる）。
【０１８８】
特許文献２に記載の装置では，支柱に回転不可であって煽動可能に装着された支持板を必要とする。しかし，ほとんどの市販の掃除機の通気パイプにはそのような回転不可である支持板が存在しない。また，後付けで，既存の通気パイプに前記の回転不可である支持板を取り付けることは困難である。
【０１８９】
よって，「掃除機の通気パイプのハンドル付近に電気機器を取り付けることができる支持具であって，該支持具が周方向に回転移動を起こしにくい支持具を提供すること」が特許文献４に記載した発明で解決すべき課題である。
【０１９０】
夏場など気温の高い日に密閉された室内で掃除機を使用すると，該掃除機のモータから発生する熱が該掃除機から排出されるため，該室内の空気の温度が上昇する。さらに，掃除機をかける動作は体を多く動かす動作を伴うため，体温を上昇させ，大量の発汗を誘発し，熱中症などの危険性を増加させる。しかし，市場では，扇風機と掃除機は互いに独立した装置として提供されており，扇風機を搭載した掃除機は販売されていない。
【０１９１】
特許文献３に記載の扇風機では，掃除機本体に組み込まれたモータを扇風機として利用するため，掃除機の本体とハンドルの間に可動性のホースを用いるタイプの掃除機では，人体に向けて送風を維持することは難しい。
【０１９２】
よって，「掃除機の通気パイプのハンドル付近に取り付けることができる扇風機であって，該扇風機が周方向に回転移動を起こしにくい扇風機を提供すること」は，特許文献４に記載した発明で解決すべき別の課題である。
【０１９３】
また，「電気機器又は扇風機を通気パイプのハンドル付近に取り付けることができる掃除機であって，必要に応じて該電気機器又は該扇風機を簡単に着け外しでき，該電気機器又は該扇風機が周方向に回転移動を起こしにくい掃除機を提供すること」は，特許文献４に記載した発明で解決すべき別の課題である。
【実施例８】
【０１９４】
特許文献４に記載した「課題を解決するための手段」を実施例８として転記する。特許文献４で請求項に掲げた発明は，関連発明Ａとして同一の番号を付して記載する。
【０１９５】
関連発明Ａ１に記載の発明にあたっては，
「ハンドルを有する通気パイプの鞍部又は前管を抱持できる腕を有する抱持部と，
前記抱持部から機器を支持できる又は着脱できる支持部と，
を有する支持具」である。
【０１９６】
「前記抱持部から機器を支持できる又は着脱できる支持部」とは，「前記抱持部から機器を支持できる支持部」又は「前記抱持部から機器を着脱できる支持部」である。また，前記通気パイプと接触する前記腕の面を「内面」とよぶ。
【０１９７】
関連発明Ａ２に記載の発明にあたっては，
「前記鞍部の前鞍面，
前記鞍部の後鞍面，
前記鞍部の下鞍面，
前記前管の上面，
前記前管の下面，
の内の少なくとも１つを前記腕が抱持する
関連発明Ａ１に記載の支持具」である。
【０１９８】
関連発明Ａ３に記載の発明にあたっては，
「前記抱持部は前記通気パイプを巻持できる巻持部を有する
関連発明Ａ１又は２に記載の支持具」である。ただし，前記巻持部は，前記抱持部全体において１以上の環構造を形成して，該環構造の中に前記通気パイプを通過させて巻持する部品である。
【０１９９】
関連発明Ａ４に記載の発明にあたっては，
「鞍形状，
前記鞍部に相補的な形状，
前記前管に相補的な形状，
の内の少なくとも１つを前記腕の内面が有する
関連発明Ａ１から３のいずれかに記載の支持具」である。
【０２００】
前記「相補的な形状」は，該形状を有する２以上の部品を相互に接触させたときに，ぐらつかないで接触させることができる形状である。
【０２０１】
関連発明Ａ５に記載の発明にあたっては，
「１つの平面に相補的な形状を有する足を前記腕の両側の先端に有する
関連発明Ａ１から４のいずれかに記載の支持具」である。ただし，前記「１つの平面に相補的な形状を有する足」とは，前記１つの平面に接触させたときに，ぐらつかないで接触させることができる形状を有する足である。
【０２０２】
関連発明Ａ６に記載の発明にあたっては，
「前記支持部に，
着脱部，
嵌合部，
挟持部，
基台，
支持板，
ねじ穴，
カメラねじ，
スマートフォン固定具，
ポート，
の内の少なくとも１つを有する関連発明Ａ１から５のいずれかに記載の支持具」である。
【０２０３】
関連発明Ａ７に記載の発明にあたっては，
「関連発明Ａ１から６のいずれかに記載の支持具と，
前記支持部によって支持された送風部と，
を有する扇風機」である。
【０２０４】
関連発明Ａ８に記載の発明にあたっては，
「関連発明Ａ１から６のいずれかに記載の支持具又は関連発明Ａ７に記載の扇風機を有する掃除機」である。
【０２０５】
関連発明Ａ９に記載の発明にあたっては，
「関連発明Ａ１から８のいずれかに記載の抱持部の形状データを記録した媒体」である。
【０２０６】
前記抱持部の形状データとは，少なくとも「前記腕の外面の三次元又は二次元の形状データ」を含むデータである。前記媒体としては，コンピュータで読み出し可能な記録媒体であればいかなる記録媒体を用いてもよく，ディスク，ソリッドステートドライブ，メモリー，リードオンリーメモリー，ランダムアクセスメモリー，半導体素子メモリーを用いてもよい。
【０２０７】
なお，本明細書において，「掃除機」は，「電動機により羽根車を駆動して掃除機内に陰圧を発生させ，その陰圧を利用して吸引したものを集める装置」である。
【０２０８】
本明細書において，「扇風機」は，「電動機により羽根車を駆動して送風する装置」又は，「電力を利用して回転するモータにより羽根車を回して送風する装置」である。
【０２０９】
ただし，上記の扇風機の定義に当てはまるものであっても，掃除機が稼働することにより陰圧になる掃除機内の空間に設置されたものは，扇風機に該当しない。掃除機のゴミ吸引口から吸入された空気であって，かつ，掃除機から排出されていない空気を送風するための装置は，扇風機に該当しない。また，扇風機は掃除機に該当しない。
【０２１０】
本明細書において，「通気パイプ」とは，「掃除機が有する部品であって，ハンドルを有し，気流を通過させることができる筒状体を有する部品」である。
【０２１１】
前記「前管」は前記通気パイプにおいて，前記ハンドルの付け根がある位置から前記気流の上流側に位置する前記筒状体の部分である。前記前管にはさらに複数の部分に分割可能な着脱部位があってもよいし，なくてもよい。
【０２１２】
前記「後管」は前記通気パイプにおいて，前記前管よりも前記気流の下流側に位置する前記筒状体の部分である。
【０２１３】
前記前管と前記後管は，相互に分離不可能に接続されており，相互に流体的に接続されている。
【０２１４】
前記「付け根」は，前記通気パイプの表面であって，前記筒状体と前記ハンドルの間の境界に位置する表面である。
【０２１５】
前記「鞍部」は，「前鞍面」，「後鞍面」，「下鞍面」の内の少なくとも１つの面を有する部位である。
【０２１６】
前記「前鞍面」は，前記通気パイプの表面であって，前記ハンドルの前方に位置する鞍形表面である。ただし，「前方」とは，実施例３に記載の座標系の定義における前の方向である。
【０２１７】
前記「後鞍面」は，前記通気パイプの表面であって，前記前鞍面の後方に位置する鞍形表面である。ただし，「後方」とは，実施例３に記載の座標系の定義における後の方向である。
【０２１８】
前記「下鞍面」は，前記通気パイプの表面であって，前記ハンドル又は前記付け根の下方に位置する鞍形表面である。ただし，「下方」とは，実施例３に記載の座標系の定義における下の方向である。
【０２１９】
本明細書において，「鞍形表面」とは鞍形状の表面である。また，「鞍形状の表面」とは，該表面が軸方向に沿って概ねに凹形状であり，周方向に沿って概ねに凸形状である形状である。
【０２２０】
本明細書において，「鞍形内面」とは鞍形状の内面である。また，「鞍形状の内面」とは，該内面が軸方向に沿って概ねに凸形状であり，周方向に沿って概ねに凹形状である形状である。
【０２２１】
本明細書において，「抱持部の腕の内面が有する鞍形状」とは，該抱持部の該腕が前記通気パイプの鞍形表面を該内面に接触させながら抱持した状態で，該内面が該通気パイプの軸方向に沿って概ねに凸形状であり，周方向に沿って概ねに凹形状である形状である。また，抱持部の内面が鞍形状である該内面を「抱持部の鞍形内面」又は「抱持部の腕の鞍形内面」とよぶ。
【０２２２】
本明細書において，「周方向」とは，前記通気パイプが有する前記筒状体に円筒座標系を局所的にあてはめたときの周方向であり，通気パイプの表面を最短距離で周回できる方向である。
【０２２３】
本明細書において，「軸方向」とは，前記通気パイプが有する前記筒状体に円筒座標系を局所的にあてはめたときの軸方向であり，前記筒状体の中心軸がのびる方向である。また，前記筒状体の軸を「前記通気パイプの軸」とよび，本明細書において，単に「軸」や「軸方向」といった場合は，この意味で用いる。
【０２２４】
本明細書において，「鞍点方向」とは，前記通気パイプが有する鞍形表面の鞍点における法線の方向である。
【０２２５】
前記「面が軸方向に沿って概ねに凹形状」とは，該面の形状から細かい凹凸を除いて平滑化した形状が前記軸方向に沿って凹形状となる形状である。
【０２２６】
前記「面が周方向に沿って概ねに凸形状」とは，該面の形状から細かい凹凸を除いて平滑化した形状が前記周方向に沿って凸形状となる形状である。例として，円柱面は周方向に向かって概ねに凸形状である。
【０２２７】
前記「平滑化した形状」が凹形状であるか凸形状であるかを判定する方法としては，
（１）該面の大凡の形状を目視によって判定する方法，
（２）該面に掌をあてて大凡の形状を判定する方法，
（３）元となる形状をスキャナでコンピュータにとりこみ，これにガウス関数等をオペレータとするコンボリューション（畳み込み演算）の処理を施すことで平滑化した形状を得てから目視で判定する方法，
（４）該面を一方向に切ったときの断面における曲線を凹型の曲線と凸型の曲線で近似したときに，より近似精度の高い方の曲線の型を判定結果とする方法，
の少なくとも１つを利用することができる。
【実施例９】
【０２２８】
特許文献４に記載した「発明の効果」を実施例９として転記する。特許文献４で請求項に掲げた発明は，関連発明Ａとして同一の番号を付して記載する。
【０２２９】
関連発明Ａ１に記載の発明によれば，
「ハンドルを有する通気パイプの鞍部又は前管を抱持できる腕を有する抱持部と，
前記抱持部から機器を支持できる又は着脱できる支持部と，
を有する
支持具」が提供される。
【０２３０】
前記腕は，前記鞍部又は前記前管を抱持できるという特徴を有することから，前記鞍部又は前記前管を前記腕の隙間から内面の方向に招き入れて抱持できる形状（以下，「腕のＵ形状」とよぶ）を有しており，該腕のＵ形状を維持することができる。
【０２３１】
実施例５に記載の実験によれば，前記抱持部が有する腕に前記通気パイプの前記鞍部を抱持させた状態で，前記通気パイプをひねり，前記抱持部を周方向に回転移動させると，前記鞍部を抱持する該腕の幅が増加する。すなわち，該回転移動により，該腕を押し広げようとする力が該腕にかかる。
【０２３２】
これに対し，該腕は，該腕のＵ形状を維持することができるため，前記「該腕を押し広げようとする力」に抵抗することができる。これにより，前記回転移動に抵抗する効果を得ることができる。
【０２３３】
前記「回転移動に抵抗する効果」は，実施例５に記載の「鞍形表面を抱持する腕の幅は，鞍点方向から抱持するときが最小となり，鞍点方向と抱持方向の間の角度に比例して増加する」という性質によるものであり，前記腕を有する前記抱持部の特徴を活かしたものである。
【０２３４】
これに対し，特許文献１に記載のバンドで緊締する取付器具で前記鞍部を緊締しても，前記「回転移動に抵抗する効果」を得ることはできない。
【０２３５】
また，実施例５に記載の実験によれば，周方向の回転移動により鞍点方向と抱持方向の間の角度が増すにしたがって，前記腕の幅が増加する。これに対し，前記腕は該腕のＵ形状を維持しようとするため，前記腕がバネとして機能し，前記幅の増加に抵抗する効果を得ることができる（以下，「腕バネ効果」とよぶ）。この腕バネ効果により，「前記回転移動をもとの位置に戻す効果」を得ることができる。
【０２３６】
さらに，実施例５の実験によれば，「ハンドルを有さない通気パイプ」よりも，「ハンドルを有する通気パイプ」の鞍部を前記抱持部に抱持させる方が，よりわずかな角度の回転移動であっても，前記腕の幅をより大きく広げるため，「前記腕バネ効果をより強く発生させる効果」を得ることができる（以下，「強い腕バネ効果」とよぶ）。
【０２３７】
すなわち，「前記回転移動に抵抗して元の位置に戻す強い腕バネ効果」は，
（１）前記抱持部は前記腕を有している
（２）前記腕は前記通気パイプの鞍部を抱持できる
（３）前記通気パイプは前記ハンドルを有する
の３つの特徴の相乗効果によるものであって，これらのいずれかの特徴だけから得られる効果を遥かに超えるものである。
【０２３８】
また，国内で販売されている掃除機のほとんどの前管の形状には上下の区別があり，前管の左右の幅と上下の幅は異なっている。このため，前記前管の幅を最も狭く抱持できる方向から抱持する前記腕のＵ形状は，前記幅の広い周方向に回転移動するにしたがって，前記腕の幅が増加することになる。これに対し，前記腕は前記腕のＵ形状を維持しようとするため，前記腕バネ効果を得ることができ，この腕バネ効果により，「前記前管の幅を最も狭く抱持できる方向に前記回転移動を戻す効果」を得ることができる。よって，前記鞍部を抱持した場合と同様に，前記前管を抱持した場合であっても，「前記回転移動に抵抗して元の位置に戻す腕バネ効果」を得ることができる。
【０２３９】
そして，前記支持具は「前記抱持部から機器を支持できる又は着脱できる支持部」を有することにより，前記支持具を用いて，前記支持部に電気機器を支持させ，かつ，前記抱持部に前記鞍部又は前記前管を抱持させることができ，「通気パイプのハンドル付近に電気機器を取り付けることができる支持具」として利用できる効果を得ることができる。
【０２４０】
よって，「掃除機の通気パイプのハンドル付近に電気機器を取り付けることができる支持具であって，該支持具が周方向に回転移動を起こしにくい支持具を提供するという課題」を解決することができる。
【０２４１】
これにより，「機器の向きを維持できないために，これまで掃除機に取り付て使用することができなかった機器を，取り付けて使用できるようになる効果」を得ることができる。
【０２４２】
すなわち，「機器の取付の向きが該機器の機能を発揮させるうえで重要である機器に対して，掃除機の通気パイプのハンドル付近に該機器の周方向の向きが維持されるように取り付けることができる支持具を提供することで，該機器に新たな活用の場を提供することができる効果」を得ることができる。
【０２４３】
関連発明Ａ２に記載の発明によれば，
「前記鞍部の前鞍面，
前記鞍部の後鞍面，
前記鞍部の下鞍面，
前記前管の上面，
前記前管の下面，
の内の少なくとも１つを前記腕が抱持する
関連発明Ａ１に記載の支持具」が提供される。
【０２４４】
本発明者が実施した市場調査によれば，国内で販売されている掃除機のほとんどの前管は図１から３に記載の「上下の区別がある形状」を有しており，左右の幅が上下の幅より狭い形状を有している。このため，「前記前管の幅を最も狭く抱持できる上下の方向から前記前管の上面又は下面を抱持できる前記腕を有する前記抱持部を有する前記支持具」は，前記「腕バネ効果」を得ることができ，「機器の周方向の向きを維持する効果」を得ることができる。
【０２４５】
特に，上下の区別がある形状を有する前記前管の下面に接触する前記内面を有し，前記前管の下面を下の方向から抱持できる前記腕を有する前記抱持部を有する関連発明Ａ２に記載の支持具は，前記支持部が支持する電気機器である扇風機の重心を前記通気パイプの下に位置させることができるため，実施例２に記載のＳＨＩＲストレスを発生させにくい効果を得ることができる。
【０２４６】
また，上下の区別がある形状を有する前記前管の上面に接触する前記内面を有し，前記前管の上面を上の方向から抱持できる前記腕を有する前記抱持部を有する前記支持具は，前記支持部が支持する電気機器であるスマートフォンの画面を前記通気パイプの上に位置させることができるため，該画面の映像を前記通気パイプに遮られることなく上の方向に向け続けることができる効果を得ることができる。
【０２４７】
また，前記前鞍面，前記後鞍面，前記下鞍面のいずれかに接触する内面を有する腕を有する前記支持具は，前記鞍部を抱持する前記腕を有する前記支持具であるため，前記「強い腕バネ効果」を得ることができ，「機器の周方向の向きを維持する効果」を得ることができる。
【０２４８】
特に，前記鞍部の下鞍面に接触する前記内面を有し，前記鞍部の下鞍面を下の方向から抱持できる前記腕を有する前記抱持部を有する関連発明Ａ２に記載の支持具は，前記支持部が支持する電気機器である扇風機の重心を前記通気パイプの下に位置させることができるため，実施例２に記載のＳＨＩＲストレスを発生させにくい効果を得ることができる。
【０２４９】
また，前記鞍部の前鞍面又は後鞍面に接触する前記内面を有し，前記鞍部の前鞍面又は後鞍面を上の方向から抱持できる前記腕を有する前記抱持部を有する前記支持具は，前記支持部が支持する電気機器であるスマートフォンの画面を前記通気パイプの上に位置させることができるため，該画面の映像を前記通気パイプに遮られることなく上の方向に向け続けることができる効果を得ることができる。
【０２５０】
なお，
「前記通気パイプの前管，
前記通気パイプの後管，
前記ハンドル，
前記鞍部，
の内の少なくとも２つを前記内面に接触させる
関連発明Ａ２に記載の支持具」は，複数の異なる種類の部位を同時に抱持できるため，単一の部位だけを抱持する場合よりも，より安定的に抱持できる効果を得ることができる。また，前記通気パイプの前管，前記通気パイプの後管，前記ハンドル，前記鞍部，は相互に方向の異なる軸を有するため，これらの２以上を抱持することで，どちらか一方の軸の周方向に沿って回転移動してしまうことをより強力に防ぐ効果を得ることができる。
【０２５１】
なお，
「前記ハンドルの付け根を前記内面に接触させる
関連発明Ａ２に記載の支持具」は，前記ハンドルをアンカー部位として利用することができ，前記支持具を取り付けられる周方向を限定する効果を得ることができるため，周方向の回転移動をより強力に防ぐアンカー効果を得ることができる。
【０２５２】
関連発明Ａ３に記載の発明によれば，
「前記抱持部は前記通気パイプを巻持できる巻持部を有する
関連発明Ａ１又は２に記載の支持具」が提供される。
【０２５３】
これにより，前記通気パイプを前記腕のＵ形状で抱持することに加え，前記通気パイプを前記巻持部のＯ形状で巻持することで，前記腕の先端の隙間から前記通気パイプが脱落してしまうことを防止する効果を得ることができる（以下，「脱落防止効果」とよぶ）。
【０２５４】
すなわち，前記巻持部は脱落防止効果を担当し，前記腕は腕バネ効果を担当することで，前記抱持部全体として「脱落させずに回転移動に抵抗して元の位置に戻す腕バネ効果」を得ることができる。
【０２５５】
なお，「前記通気パイプを抱持する前記腕の外面を巻持する前記巻持部を有する関連発明Ａ３に記載の支持具」は，前記腕を外面から内面の方向に締め付けることで，腕の幅の増加に抵抗する前記腕の力を強めることができるため，「脱落させずに回転移動に抵抗して元の位置に戻す非常に強いバネ効果」を得ることができる。
【０２５６】
これにより，関連発明Ａ３に記載の発明の特筆すべき効果として，「非常に強い腕バネ効果」を得ることができる。
【０２５７】
なお，関連発明Ａ３に記載の発明によって，
「前記抱持部は，
前記前管又は前記後管を巻持した状態で前記下鞍面を抱持すること，
前記前管及び前記後管を巻持した状態で前記下鞍面を抱持すること，
前記前管又は前記ハンドルを巻持した状態で前記前鞍面を抱持すること，
前記前管及び前記ハンドルを巻持した状態で前記前鞍面を抱持すること，
前記後管又は前記ハンドルを巻持した状態で前記後鞍面を抱持すること，
前記後管及び前記ハンドルを巻持した状態で前記後鞍面を抱持すること，
の内の少なくとも１つができる
関連発明Ａ３に記載の支持具」は，「脱落させずに回転移動に抵抗して元の位置に戻す非常に強いバネ効果」を，前記鞍部にて得ることができる。
【０２５８】
なお，
「前記抱持部は，
前記前管又は前記後管を巻持した状態で前記前管の下面を抱持すること，
前記前管及び前記後管を巻持した状態で前記前管の下面をを抱持すること，
前記前管又は前記ハンドルを巻持した状態で前記前管の上面を抱持すること，
前記前管及び前記ハンドルを巻持した状態で前記前管の上面を抱持すること，
の内の少なくとも１つができる
関連発明Ａ３に記載の支持具」は，「脱落させずに回転移動に抵抗して元の位置に戻す非常に強いバネ効果」を，前記前管にて得ることができる。
【０２５９】
なお，
「前記抱持部は
前記後管又は前記ハンドルを巻持する
関連発明Ａ３に記載の支持具」は，前記ハンドルの付け根をアンカーとして利用することができ，前記支持具を前管の前方に移動させないアンカー効果を得ることができる。
【０２６０】
なお，
「前記抱持部は
前記前管を巻持する
関連発明Ａ３に記載の支持具」は，前記ハンドルの付け根をアンカーとして利用することができ，前記支持具を後管の後方に移動させないアンカー効果を得ることができる。
【０２６１】
なお，
「面ファスナを有するジョイントを有するベルトを前記巻持部に用いる関連発明Ａ３に記載の支持具」は，前記ベルトで巻持して，前記ジョイントで前記ベルトを相互に連結することができるため，装着操作を容易化することができる。
【０２６２】
なお，
「前記腕にエラスティックポリマー材料の部品を用いる関連発明Ａ３に記載の支持具」は，該ポリマーの弾性力を利用して，「前記腕バネ効果」と「前記内面の密着性を高める効果」の両方の効果を同じポリマー材料を用いて成形した１つの部品で得ることができる。例えば，Ｕ形状の剛性を高めて前記腕バネ効果を高めたい鞍形内面の中央付近の部位には該ポリマーを肉厚に用いて成形し，一方で，密着性を高めたい巻持部の周辺部位には該ポリマーを肉薄に用いて成形することで，巻持部のベルトのＯ形状の締め付けにより前記内面を変形させて通気パイプに密着するように形成することができる。また，金属製の部品を用いるよりも軽量化することができる。さらに，通気パイプとの接触部分にキズを着けにくい効果を得ることもできる。また，前記内面の一部分又は全面に滑り止め効果のある樹脂を用いることで，抱持する際の摩擦力を高める効果を得ることもできる。さらに，３Ｄプリンタを用いた該部品の製造が容易になる効果を得ることができる。
【０２６３】
関連発明Ａ４に記載の発明によれば，
「鞍形状，
前記鞍部に相補的な形状，
前記前管に相補的な形状，
の内の少なくとも１つを前記腕の内面が有する
関連発明Ａ１から３のいずれかに記載の支持具」が提供される。
【０２６４】
前記鞍形状又は前記鞍部に相補的な形状を有する前記内面は鞍形内面を有するため，前記支持具を着けることができる通気パイプ上の部位が前記内面に相補的な形状を有する鞍部の鞍形表面のみに限定され，前記鞍部以外の部位には着けにくくなる効果を得ることができる。これにより，ユーザが誤って前記鞍部以外の場所に前記支持具を着けてしまうことを防ぐ効果（以下，「誤使用防止効果」とよぶ）を得ることができる。
【０２６５】
また，前記前管に相補的な形状を有する前記内面は，上下の区別がある形状を有する前記前管に相補的な形状を有するため，形状の相補性が相互に一致しない周方向からの向きでは着けにくくなる効果を得ることができる。これにより，ユーザが誤って形状の合わない方向から前記支持具を前記前管に着けてしまうことを防ぐ前記誤使用防止効果を得ることができる。
【０２６６】
特に，上下の区別がある形状を有する前記前管の下面に相補的な形状を有する前記内面を有し，前記前管の下面を下の方向から抱持できる前記腕を有する前記抱持部を有する前記支持具は，前記支持部が支持する電気機器である扇風機の重心を前記通気パイプの下に位置させることができるため，実施例２に記載のＳＨＩＲストレスを発生させにくい効果を得ることができる。
【０２６７】
また，上下の区別がある形状を有する前記前管の上面に相補的な形状を有する前記内面を有し，前記前管の上面を上の方向から抱持できる前記腕を有する前記抱持部を有する前記支持具は，前記支持部が支持する電気機器であるスマートフォンの画面を前記通気パイプの上に位置させることができるため，該画面の映像を前記通気パイプに遮られることなく上の方向に向け続けることができる効果を得ることができる。
【０２６８】
関連発明Ａ５に記載の発明によれば，
「１つの平面に相補的な形状を有する足を前記腕の両側の先端に有する
関連発明Ａ１から７のいずれかに記載の支持具」が提供される。
【０２６９】
これにより，前記支持具を掃除機から外した時は，１つの平面である机面に前記足を置いた状態で，前記支持部を上に向け，前記支持部にて電気機器を支持できる効果を得ることができる。
【０２７０】
また，前記腕の両側の先端にある前記足をそれぞれ手でつまみ，反対方向に引っ張ることで，前記腕の先端の隙間を広げることができ，該隙間に通気パイプを通過させやすくなるため，前記通気パイプを前記腕に抱持させやすくなる効果を得ることができる。
【０２７１】
また，該隙間に前記通気パイプを通過させる際に，前記足を両手でしっかりと持つことができるため，前記通過させる作業の際に，誤って前記電気機器を落下させる事故を防止する効果を得ることができる。
【０２７２】
関連発明Ａ６に記載の発明によれば，
「前記支持部に，
着脱部，
嵌合部，
挟持部，
基台，
支持板，
ねじ穴，
カメラねじ，
スマートフォン固定具，
ポート，
の内の少なくとも１つを有する関連発明Ａ１から９のいずれかに記載の支持具」が提供される。
【０２７３】
関連発明Ａ６に記載の支持具であって，前記支持部に着脱部又は嵌合部を有する支持具は，前記抱持部側の部品と前記機器側の部品を相互に着け外すことができる。
【０２７４】
関連発明Ａ６に記載の支持具であって，前記支持部に挟持部を有する支持具は，前記挟持部に前記機器を挟持させることができる。
【０２７５】
関連発明Ａ６に記載の支持具であって，前記支持部に基台を有する支持具は，固定具を用いて前記機器を前記基台に固定することができる。
【０２７６】
関連発明Ａ６に記載の支持具であって，前記支持部に支持板を有する支持具は，挟持部を有する機器に前記支持板を挟持させることができる。例えば，クリップ式の挟持部を有する扇風機に前記支持板を挟持させることで，前記支持具を有する扇風機を提供することができる。
【０２７７】
関連発明Ａ６に記載の支持具であって，前記支持部にねじ穴を有する支持具は，ねじを用いて前記機器を前記ねじ穴に取り付けることができる。
【０２７８】
関連発明Ａ６に記載の支持具であって，前記支持部にカメラねじを有する支持具は，前記カメラねじに取り付け可能な部位を有する機器を前記カメラねじに取り付けることができる。
【０２７９】
関連発明Ａ６に記載の支持具であって，前記支持部にスマートフォン固定具を有する支持具は，前記スマートフォン固定具にスマートフォンを取り付けることができる。
【０２８０】
関連発明Ａ６に記載の支持具であって，前記支持部にポートを有する支持具は，前記ポートに挿入可能なプラグを有する機器を取り付けることができる。例えば，前記ポートにユニバーサルシリアルバス規格のポートを用いることで，これにユニバーサルシリアルバス規格のプラグを装着することができる。
【０２８１】
以上のいずれかの部品を有することにより，前記支持具を通気パイプに着けたままの状態で，前記支持具によって支持される電気機器を着脱することができるため，前記機器の着脱を容易化できる効果を得ることができる（以下，「機器の着脱容易化効果」とよぶ）。
【０２８２】
関連発明Ａ７に記載の発明によれば，
「関連発明Ａ１から６のいずれかに記載の支持具と，
前記支持部によって支持された送風部と，
を有する扇風機」が提供される。
【０２８３】
これにより，掃除機の通気パイプのハンドル付近の鞍部又は前管に，関連発明Ａ１から６のいずれかに記載の支持具を用いて該扇風機を取り付けることができるため，該扇風機が周方向に回転移動を起こしにくい効果を得ることができる。よって，「掃除機の通気パイプのハンドル付近に取り付けることができる扇風機であって，該扇風機が周方向に回転移動を起こしにくい扇風機を提供するという課題」を解決することができる。
【０２８４】
また，実施例２に記載の実験では，通気パイプに取り付ける機器の周方向の向きによっては，手首にストレスをかけてしまうことが分かっている。これに対し，関連発明Ａ７に記載の扇風機を用いることで，「掃除機を使用中に該機器の位置が周方向に回転移動して気が付かないうちに手にＳＨＩＲストレスをかけてしまうことを防止できる効果」を得ることができる。
【０２８５】
なお，
「前記支持部に可動部を有し，
前記可動部によって送風の向きを変えられるように支持された前記送風部を有する
関連発明Ａ７に記載の扇風機」は，掃除機の通気パイプが有する前鞍面，後鞍面，下鞍面，上面，下面の内のどの面に該扇風機をつけた場合であっても，「送風の向きを調整して，人体の様々な部位に向けて送風できる効果」を得ることができる。
【０２８６】
関連発明Ａ８に記載の発明によれば，
「関連発明Ａ１から６のいずれかに記載の支持具又は関連発明Ａ７に記載の扇風機を有する掃除機」が提供される。これにより，「電気機器又は扇風機を通気パイプのハンドル付近に取り付けることができる掃除機であって，必要に応じて該電気機器又は該扇風機を簡単に着け外しでき，該電気機器又は該扇風機が周方向に回転移動を起こしにくい掃除機を提供するという課題」を解決することができる。
【０２８７】
関連発明Ａ９に記載の発明によれば，
「関連発明Ａ１から８のいずれかに記載の抱持部の形状データを記録した媒体」が提供される。これにより，前記支持具の主要な部品を３Ｄプリンターで製造することを可能にする効果を得ることができる。
【実施例１０】
【０２８８】
実施例１０では，図２９から３７に記載の支持具２００について説明する。以下に述べる支持具２００を３Ｄプリンタ（インクジェット方式）で成形した。前記成形に用いた素材として，「ゴムライク（ＲＧＤ８６３０）」を使用した。これはエラスティック性のある樹脂素材で，ポリプロピレンに近い物性があるとされる素材である。
【０２８９】
この支持具２００を，２０１６年１１月現在において，国内の主要な家電メーカが販売している掃除機の通気パイプ１００の鞍部１０５又は前管１０１に取り付けるテストを行い，ほぼ全ての機種で取り付けることができることを確認した。
【０２９０】
また，この支持具２００を，ハンドル１０３を有する通気パイプ１００の鞍部１０５に取り付けることができる機種において，「前記通気パイプの周方向への回転移動に抵抗して元の位置に戻す腕バネ効果」が得られることを実験で確認した。
【０２９１】
さらに，この支持具２００を，ハンドル１０３を有する通気パイプ１００の前管１０１に取り付けることができる機種において，「前記通気パイプの周方向への回転移動に抵抗して元の位置に戻す腕バネ効果」が得られることを実験で確認した。
【０２９２】
支持具２００は，ハンドル１０３を有する通気パイプ１００の鞍部１０５，及び／又は前管１０１，及び／又は後管１０２を抱持できる腕２０２を有する抱持部２０１を有し，抱持部２０１に支持された支持部２１０を抱持部２０１の腕２０２の外面２０４の中央２３４に有している。
【０２９３】
抱持部２０１は，腕２０２の内面２０３と，腕２０２の外面２０４と，１つの平面に相補的な形状を有する足２１２と，腕２０２の両側の先端２０５と足２１２を滑らかにつなぐ滑曲面２３７とを有している。
【０２９４】
支持部２１０の基台２３１が支持する支持板２３２のねじ穴２３３にネジを通過させて電気機器である扇風機３００を支持部２１０に固定した状態で，支持具２００が有する抱持部２０１が有する巻持部２０６のベルト２０７を，抱持部２０１の腕２０２の前後２３５に有する切れ込み２３６の両側にあるベルト２０７を通過させる穴２３８に通過させて，Ｏ形状２２７に巻くことにより，通気パイプ１００の前管１０１，及び／又は後管１０２，及び／又はハンドル１０３の内の少なくとも１つ又は２つを巻持した状態において，支持具２００が有する抱持部２０１が有する腕２０２が有する内面２０３は，通気パイプ１００の鞍部１０５の前鞍面１０６，及び／又は後鞍面１０７，及び／又は下鞍面１０８，及び／又は前管１０１，及び／又は後管１０２，及び／又はハンドル１０３，及び／又は付け根１０４の内の少なくとも１つ又は２つ以上と接触する状態で，腕２０２は通気パイプ１００の前管１０１，及び／又は後管１０２，及び／又はハンドル１０３，及び／又は鞍部１０５の内の少なくとも１つ又は２つ以上を，上５０６又は下５０７の方向から抱持することができる。
【０２９５】
そして，電気機器である扇風機３００の重心を通気パイプ１００の上５０６又は下５０７に位置させた状態で，前記重心をロール回転軸５０１の０度付近の方向又は１８０度付近の方向に位置させた状態を維持することができ，電気機器である扇風機３００のロール回転軸５０１の周方向への回転移動を防止できる腕バネ２２９の効果を有する腕２０２を有し，腕２０２の内面２０３は先端２０５の隙間２２４を幅２２２より狭く設けたＵ形状２２５，及び／又は鞍形状２２６，及び／又は通気パイプ１００の鞍部１０５又は前管１０１の表面に相補的な形状，の内の少なくとも１つ又は２つ以上の形状を有する内面２０３を有する腕２０２であるため，巻持手段２０６のベルト２０７を通気パイプ１００に巻かない状態でも落下せずに通気パイプ１００を抱持することができる。そして，扇風機３００の送風部３０１の送風の方向をハンドル１０３又はハンドル１０３を掴持する人体に向けることができる。
【０２９６】
通気パイプ１００の前管１０１の表面又は鞍部１０５の鞍形表面の周方向の曲率半径は，１．５センチメートルから３センチメートル（市販の掃除機の調査に基づく値）の範囲であるため，内面２０３のＵ形状２２５の周方向の曲率半径は１．５センチメートルから３センチメートルであり，具体的には２センチメートルである。また，支持具２００の抱持部２０１の腕２０２の前後２３５の切れ込み２３６の間の内面２０３に奥内面２４２を有し，この奥内面２４２の鞍形状２２６の周方向の曲率半径は２センチメートル以下であり，具体的には１．５センチメートルである。よって，奥内面２４２の周方向の曲率半径は，奥内面２４２以外の内面２０３の周方向の曲率半径よりも小さい。また，内面２０３の奥内面２４２の鞍形状２２６の軸方向の曲率半径は１０センチメートル以上であり，具体的には３０センチメートルである。
【０２９７】
支持具２００が有する抱持部２０１が有する腕２０２は，先端２０５の隙間２２４を幅２２２より狭く設けたＵ形状２２５の腕２０２の内面２０３を通気パイプ１００の前管１０１の下面１３１又は鞍部１０５の下鞍面１０８に接触させた状態で，通気パイプ１００の前管１０１の下面１３１又は鞍部１０５の下鞍面１０８を下５０７の方向から抱持し，抱持部２０１の腕２０２の前後２３５に有する切れ込み２３６の両側にあるベルト２０７を通過させる穴２３８を通過するベルト２０７からなる巻持部２０６は，前管１０１及び／又は後管１０２にベルト２０７をＯ形状２２７に巻いて前管１０１及び／又は後管１０２を巻持しすることで，通気パイプ１００の下５０７の方向に扇風機３００の送風部３０１の重心を位置させることができる。
【０２９８】
抱持部２０１は，前管１０１及び／又は後管１０２のそれぞれを巻持部２０６のベルト２０７でＯ形状２２７に巻持することで，腕２０２の外面２０４を上から締め付けながら，下鞍面１０８及び／又は下面１３１を内面２０３に接触させて抱持することができる。また，抱持部２０１は，前管１０１及びハンドル１０３のそれぞれを巻持部２０６のベルト２０７でＯ形状２２７に巻持することで，腕２０２の外面２０４を上から締め付けながら，前鞍面１０６及び／又は上面１３０を内面２０３に接触させて抱持することもできる。抱持部２０１は１又は２以上の巻持部２０６のベルト２０７を有し，ベルト２０７は面ファスナ２０９を有し，開閉環できるジョイント２０８を有する。
【０２９９】
支持具２００の抱持部２０１の腕２０２の両側の先端２０５から外面２０４の側に外側に向かってのびる板形状又は１つの平面に相補的な形状の２以上の足２１２が設けられている。また，腕２０２の両側の先端２０５と足２１２を滑らかにつなぐように滑曲面２３７が設けられている。足２１２は１つの平面に相補的な形状を有することから，１つの平面である机面６００に相補的な形状を有する。よって，支持具２００の抱持部２０１から通気パイプ１００を外した状態で，足２１２を机面６００の上に接触させた状態で，足２１２の上に腕２０２を支持し，腕２０２の中央の上に支持部２１０を支持し，扇風機３００の送風部３０１を腕２０２の上に支持した状態で，巻持部２０６のベルト２０７を腕２０２の前後２３５に有する切れ込み２３６の両側にあるベルト２０７を通過させる穴２３８に通過させた状態で，立つことができる。該立った状態において，机面６００に足２１２を接触させ，腕２０２の内面２０３を机面６００に向けて下向きに有し，上に向けて有する外面２０４の中央に上向きに立設された短い支柱の形状を有する回転可能な軸と軸受からなる可動部２１４を有する支持部２１０は，水平方向両側に向かってのびながらアーチ状に上方向に向けて湾曲させた板状体の先端に回転可能な軸と軸受からなる可動部２１５を有する。可動部２１５によって回転可能に支持されたファンガード３０５及び枠３０６により支持される電動機３０３の回転軸に固定された羽根車３０２は，枠３０６の内部に支持された電池３０４から電気コードを経由して給電される電動機３０３によって駆動されて回転する。よって，抱持部２０１は通気パイプ１００を外した状態で机面６００に立つ２つの板形状の足２１２を滑曲面２３７を介して接続される腕２０２の両側の先端２０５に有する。
【０３００】
また，足２１２に磁力を有する素材である磁石を貼り付ける又は取り付けるための嵌合部を備えることにより，足２１２が鉄製の素材にもつくようになるため，冷蔵庫の表面などの水平面以外の面にも足２１２を接触させた状態で，電気機器である扇風機３００を支持することができる。
【０３０１】
支持具２００の抱持部２０１の腕２０２の内面２０３の中央にはくぼみ２４１があり，くぼみ２４１の中にあるねじ穴２３３にネジを通して支持部２１０と電気機器を固定しても，該ネジのネジ山がくぼみ２４１の内部に収まるため，前記ねじ山が通気パイプ１００に接触することがないため，通気パイプ１００を傷つけない効果を得ることができる。
【０３０２】
また，くぼみ２４１を利用して，支持具２００の抱持部２０１の腕２０２の内面２０３の中央のくぼみ２４１にユニバーサルシリアルバス規格のポート端子からなる受電可能な端子を配置し，該ポート端子を電気コードで扇風機３００の送風部３０１の電動機３０３及び／又は電池３０４と接続し，抱持部２０１の腕２０２が抱持できる台座の中央に，ユニバーサルシリアルバス規格のプラグ端子からなる給電可能な端子を有し，さらに外部電源と接続する端子を前記台座に有して，前記給電可能な端子に電気を供給する前記台座を用いることにより，前記台座に抱持部２０１の腕２０２を抱持させるだけで，前記受電可能な端子と前記給電可能な端子が接続されるため，前記外部電源からの電気が扇風機３００の送風部３０１の電動機３０３及び／又は電池３０４に供給されるようになる効果を得ることができる。
【０３０３】
支持具２００の抱持部２０１は，
「通気パイプ１００を抱持できる腕２０２と，
腕２０２の内面２０３と，
腕２０２の外面２０４と，
１つの平面に相補的な形状を有する足２１２と，
腕２０２の両側の先端２０５と足２１２を滑らかにつなぐ滑曲面２３７と，
を有する抱持部２０１」である。
【０３０４】
これにより，１つの平面に相補的な形状を有する足２１２を机面６００の上にぐらつかない状態で置くことができ，さらに，足２１２が腕２０２の両側の先端２０５と滑曲面２３７で滑らかにつながっていることにより，腕２０２が足２１２から支持されるため，腕２０２の内面２０３を下に向け，外面２０４を上に向けた状態で，抱持部２０１を机面６００の上に安定に置くことが容易にできる。
【０３０５】
このため，ユーザは，机面６００の上に置かれた抱持部２０１の外面２０４を，掌で容易に掴持することが可能になり，その掴持した状態のまま持ち替えることなく，抱持部２０１の腕２０２の先端２０５間の隙間２２４を通気パイプ１００に押し当てることが容易にできる。
【０３０６】
前記押し当てた際に，通気パイプ１００の位置が隙間２２４のある位置から多少ずれていた場合であっても，足２１２があることによって，通気パイプ１００が腕２０２の外側方向にスリップして逃げてしまうことが防止され，足２１２及び隙間２２４の周囲に通気パイプ１００を押し当て続けることが容易にできる。この押し当てた状態のまま，ユーザは抱持部２０１をわずかに動かすことで，隙間２２４と通気パイプ１００が相互にフィットする位置を探り当てることが容易にできる。
【０３０７】
一旦，隙間２２４と通気パイプ１００が相互にフィットすると，滑曲面２３７が通気パイプ１００の表面に接触するため，さらに抱持部２０１と通気パイプ１００の距離が近づき，相互の位置関係がより安定化する。このため，ユーザは隙間２２４と通気パイプ１００が相互にフィットした状態にあることを手の感触から知ることができる。
【０３０８】
上述のように，ユーザは隙間２２４と通気パイプ１００が相互にフィットした状態にあることを手の感触から知ることができるため，安心して，前記相互にフィットした状態のまま，抱持部２０１を通気パイプ１００に対してさらに強く押し当てる行為をとることができ，その際，通気パイプ１００を腕２０２の外側方向にスリップさせることなく，通気パイプ１００を腕２０２の先端２０５の隙間２２４から内面２０３の方向に招き入れることができるようになる。
【０３０９】
前記相互にフィットした状態では，滑曲面２３７が通気パイプ１００の表面に接触しているため，この状態で抱持部２０１を通気パイプ１００に強く押し当てると，滑曲面２３７が通気パイプ１００の表面を滑らかに移動して，腕２０２の幅を押し広げ，隙間２２４が広がる。このため，ユーザはわずかな力を加えるだけで，スルッと滑らかに，通気パイプ１００を抱持部２０１に容易に抱持させることができる。
【０３１０】
すなわち，ユーザは一方の手で通気パイプ１００のハンドル１０３を掴持した状態で，もう一方の手で抱持部２０１の外面２０４を掴持し，そのまま持ち替えることなく，抱持部２０１を通気パイプ１００に押し当てて，片手で抱持部２０１に通気パイプ１００を抱持させる行為を完了させることができる。このため，高齢者や子供など，手の力が弱い人や，視力の弱い人であっても，作業中に抱持部２０１を落下させることなく簡単に抱持させることができるようになり，さらに，実施例９に記載の腕バネ効果を利用して抱持部２０１の通気パイプ１００の周方向の回転移動が防止されるため，実施例２に記載のＳＨＩＲストレスの発生を防止することが，より多くの人に対して可能となる。
【０３１１】
もし，足２１２がなければ，抱持部２０１を通気パイプ１００に押し当てた際に，通気パイプ１００が腕２０２の外側方向にスリップして，抱持部２０１の外面２０４を掴持する手の指に通気パイプ１００がぶつかり，前記指を痛めてしまう恐れがある。また，足２１２がなければ，前記相互にフィットした状態を手探りで探り当てることが難しくなるため，視力の弱い人が使いにくくなる。
【０３１２】
これに対し，関連発明Ｂ１に記載の発明には足２１２があることにより，これらの問題が解決される。また，足２１２があることにより，足２１２が安全ガードとなって，抱持部２０１を掴持する手の指を腕２０２と通気パイプ１００の間に挟み込む事故を防止することができ，視力の弱い人や子供が使用する際の安全性が高まる。
【０３１３】
また，もし，滑曲面２３７がなければ，隙間２２４に通気パイプ１００を通過させるために，より強い力を必要とするため，片手でハンドル１０３を掴持し，もう片方の手で抱持部２０１を掴持して，相互に押し当てた際に，通気パイプ１００が隙間２２４を通過せずに，外に逃げてしまう現象が発生しやすくなり，片手での装着が困難になる。
【０３１４】
これに対し，関連発明Ｂ１に記載の発明には滑曲面２３７があることにより，この問題解決が容易化され，片手での装着が容易化される。
【０３１５】
すなわち，掃除機の通気パイプ１００のハンドル１０３を片手で掴持した状態で，抱持部２０１をもう一方の片手で掴持しつつ通気パイプ１００に装着させるという特殊な課題において，滑曲面２３７はこの課題解決を容易化する顕著な効果を発揮する。
【０３１６】
以上は，前記腕と，前記足と，前記滑曲面の相乗効果として特筆すべき顕著な効果であり，これにより「特許文献４に記載した支持具を，通気パイプにさらに容易に装着できるようにするための抱持部を提供する」という課題を解決することができる。
【０３１７】
また，支持具２００の抱持部２０１は，
「腕２０２の両側の先端２０５の隙間２２４が腕２０２の幅２２２よりも狭い抱持部２０１」である。
【０３１８】
これにより，抱持部２０１が通気パイプ１００から落下することを防ぐことができる。足２１２と滑曲面２３７があることによって，腕２０２の先端２０５の隙間２２４が腕２０２の幅２２２よりも狭くても，装着が容易化されるため，取り付けやすく，脱落しにくい抱持部２０１を提供することができる効果を得ることができる。
【０３１９】
また，支持具２００の抱持部２０１は，
「腕２０２の前後２３５に切れ込み２３６を有する抱持部２０１」である。これにより，通気パイプ１００に突起物があっても，切れ込み２３６の間を通過させることで，装着の障害にならない効果を得ることができる。
【０３２０】
本発明者の市場調査によれば，市販の掃除機の通気パイプにおいて，側面よりも，上面や下面に突起物やスイッチが多い。これに対し，切れ込み２３６があることにより，切れ込み２３６から前記突起物や前記スイッチを露出させることができる。よって，通気パイプ１００に抱持部２０１を取り付けられる範囲をより広げることができる効果を得ることができる。
【０３２１】
また，切れ込み２３６の間から前記突起物を通過させることで，前記突起物がアンカーの役割を果たし，抱持部２０１を通気パイプ１００の周方向に回転移動させない効果を得ることができ，実施例２に記載のＳＨＩＲストレスの発生を防ぐことができる効果を得ることができる。
【０３２２】
また，支持具２００の抱持部２０１は，
「切れ込み２３６の両側にベルト２０７を通過させる穴２３８又は巻持部２０６を有する抱持部２０１」である。
【０３２３】
これにより，ベルト２０７又は巻持部２０６により通気パイプ１００を巻持することができ，腕２０２の隙間２２４から通気パイプ１００が脱落してしまうことを防止する効果を得ることができる。また，切れ込み２３６の間を通過させた前記突起物を上からベルト２０７で巻持することができるため，前記突起物とベルト２０７の間の摩擦力が増加し，抱持部２０１を通気パイプ１００の周方向に回転移動させない効果をさらに強めるため，実施例２に記載のＳＨＩＲストレスの発生をより確実に防ぐことができる効果を得ることができる。
【０３２４】
また，関連発明Ｂ４に記載の発明により，実施例９に記載の関連発明Ａ１から３に記載の効果を得ることができる。
【０３２５】
また，支持具２００は，
「抱持部２０１と，外面２０４の中央２３４から機器を支持できる又は着脱できる支持部２１０と，
を有する支持具２００」である。
【０３２６】
これにより「特許文献４に記載した支持具を，通気パイプにさらに容易に装着できるようにするための抱持部を備えた支持具を提供する」という課題を解決することができる。
【０３２７】
また，支持具２００は，
「切れ込み２３６の間の内面２０３に奥内面２４２を有し，
奥内面２４２に鞍形状２２６を有する支持具２００」である。これにより，通気パイプ１００の鞍部１０５において，実施例９に記載の関連発明Ａ１から４に記載の効果を得ることができる。
【０３２８】
また，支持具２００は，
「内面２０３の中央にくぼみ２４１を有する支持具２００」である。これにより，通気パイプ１００に突起物があっても，くぼみ２４１に入れることで，装着の障害にならない効果を得ることができる。
【０３２９】
また，くぼみ２４１に前記突起物を入れることで，前記突起物がアンカーの役割を果たし，抱持部２０１を通気パイプ１００の周方向に回転移動させない効果を得ることができ，実施例２に記載のＳＨＩＲストレスの発生を防ぐことができる効果を得ることができる。
【０３３０】
また，支持具２００は，
「奥内面２４２の周方向の曲率半径が，奥内面２４２以外の内面２０３の周方向の曲率半径よりも小さい支持具２００」である。これにより，通気パイプ１００の幅が腕２０２の幅２２２よりも狭いタイプの掃除機に対して，奥内面２４２に接触させることにより，ぐらつきにくくする効果を得ることができる。よって，取付可能な通気パイプの種類を増やすことができ，より多くの掃除機に取り付けることができる効果を得ることができる。
【実施例１１】
【０３３１】
図３８は，支持具２００は抱持部２０１の腕２０２の先端２０５から滑曲面２３７を介して滑らかにつながる足２１２にフックを通過させる穴２４３を有する。穴２４３に壁面６０３に固定されたフック６０４を通過させて吊るすことにより，内面２０３を壁面６０３に向け，外面２０４を壁面６０３と反対の方向に向けて，壁面６０３に固定されたフック６０４が支持具２００の抱持部２０１を吊持した状態の図である。
【０３３２】
ユーザは，壁面６０３に吊るされた抱持部２０１の外面２０４を，掌で容易に掴持してフック６０４から容易に取り外すことができ，その掴持した状態のまま持ち替えることなく，抱持部２０１の腕２０２の間の隙間２２４を通気パイプ１００に押し当てることが容易にできる。
【０３３３】
これにより，抱持部２０１を机面６００の上に置く必要がなく，壁面６０３に吊るされた状態から，関連発明Ｂ１の効果に記載の効果と同様に，片手で抱持部２０１を通気パイプ１００に容易に装着できる効果を得ることができる。
【実施例１２】
【０３３４】
特許文献５に記載した「解決すべき課題」を実施例１２として転記する。特許文献５で請求項に掲げた発明は，関連発明Ｂとして同一の番号を付して記載する。
【０３３５】
特許文献４に記載した支持具を，通気パイプにさらに容易に装着できるようにするための抱持部を提供することは関連発明Ｂ１に記載の発明が解決すべき課題である。
【０３３６】
特許文献４に記載した支持具を，通気パイプにさらに容易に装着できるようにするための抱持部を備えた支持具を提供することは関連発明Ｂ６に記載の発明が解決すべき課題である。
【０３３７】
特許文献４に記載した支持具を，通気パイプにさらに容易に装着できるようにするための抱持部を備えた扇風機を提供することは関連発明Ｂ１１に記載の発明が解決すべき課題である。
【実施例１３】
【０３３８】
特許文献５に記載した「課題を解決するための手段」を実施例１３として転記する。特許文献５で請求項に掲げた発明は，関連発明Ｂとして同一の番号を付して記載する。
【０３３９】
関連発明Ｂ１に記載の発明にあたっては，
「通気パイプを抱持できる腕と，
前記腕の内面と，
前記腕の外面と，
１つの平面に相補的な形状を有する足と，
前記腕の両側の先端と前記足を滑らかにつなぐ滑曲面と，
を有する抱持部」である。
【０３４０】
関連発明Ｂ２に記載の発明にあたっては，
「前記先端の隙間が前記腕の幅よりも狭い関連発明Ｂ１に記載の抱持部」である。
【０３４１】
関連発明Ｂ３に記載の発明にあたっては，
「前記腕にベルトを通過させる穴又は巻持部を有する関連発明Ｂ１又は２に記載の抱持部」である。
【０３４２】
関連発明Ｂ４に記載の発明にあたっては，
「前記足にフックを通過させる穴を有する関連発明Ｂ１から３のいずれかに記載の抱持部」である。
【０３４３】
関連発明Ｂ５に記載の発明にあたっては，
「前記腕の前後に切れ込みを有する関連発明Ｂ１から４のいずれかに記載の抱持部」である。
【０３４４】
関連発明Ｂ６に記載の発明にあたっては，
「関連発明Ｂ１から５のいずれかに記載の抱持部と，
前記外面から機器を支持できる又は着脱できる支持部と，
を有する支持具」である。
【０３４５】
関連発明Ｂ７に記載の発明にあたっては，
「前記内面に鞍形状を有する関連発明Ｂ１から６のいずれかに記載の支持具」である。
【０３４６】
関連発明Ｂ８に記載の発明にあたっては，
「前記内面の中央にくぼみを有する関連発明Ｂ１から７のいずれかに記載の支持具」である。
【０３４７】
関連発明Ｂ９に記載の発明にあたっては，
「前記支持部に，
着脱部，
嵌合部，
挟持部，
基台，
支持板，
ねじ穴，
カメラねじ，
スマートフォン固定具，
ポート，
の内の少なくとも１つを有する関連発明Ｂ６から８のいずれかに記載の支持具」である。
【０３４８】
関連発明Ｂ１０に記載の発明にあたっては，
「前記内面に奥内面を有し，前記奥内面の周方向の曲率半径が，前記奥内面以外の前記内面の周方向の曲率半径よりも小さい関連発明Ｂ１から９のいずれかに記載の支持具」である。
【０３４９】
関連発明Ｂ１１に記載の発明にあたっては，
「関連発明Ｂ６から１０のいずれかに記載の支持具と，
前記支持部によって支持された送風部と，
を有する扇風機」である。
【０３５０】
関連発明Ｂ１２に記載の発明にあたっては，
「関連発明Ｂ６から１０のいずれかに記載の支持具を有する掃除機」である。
【０３５１】
関連発明Ｂ１３に記載の発明にあたっては，
「関連発明Ｂ１１に記載の扇風機を有する掃除機」である。
【実施例１４】
【０３５２】
特許文献５に記載した「発明の効果」を実施例１４として転記する。特許文献５で請求項に掲げた発明は，関連発明Ｂとして同一の番号を付して記載する。
【０３５３】
関連発明Ｂ１に記載の発明によれば，
「通気パイプを抱持できる腕と，
前記腕の内面と，
前記腕の外面と，
１つの平面に相補的な形状を有する足と，
前記腕の両側の先端と前記足を滑らかにつなぐ滑曲面と，
を有する抱持部」が提供される。
【０３５４】
これにより，１つの平面に相補的な形状を有する前記足を机面上にぐらつかない状態で置くことができ，さらに，前記足が前記腕の両側の先端と前記滑曲面で滑らかにつながっていることにより，前記腕が前記足から支持されるため，前記腕の前記内面を下に向け，前記外面を上に向けた状態で，前記抱持部を前記机面上に安定に置くことが容易にできる。
【０３５５】
このため，ユーザは，前記机面上に置かれた前記抱持部の前記外面を，掌で容易に掴持して持ち上げることが可能になり，その掴持した状態のまま持ち替えることなく，前記抱持部の前記腕の間の隙間を前記通気パイプに押し当てることが容易にできる。
【０３５６】
前記押し当てた際に，前記通気パイプの位置が前記隙間のある位置から多少ずれていた場合であっても，前記足があることによって，前記通気パイプが前記腕の外側方向にスリップして逃げてしまうことが防止され，前記足及び前記隙間の周囲に前記通気パイプを押し当て続けることが容易にできる。この押し当てた状態のまま，ユーザは前記抱持部をわずかに動かすことで，前記隙間と前記通気パイプが相互にフィットする位置を探り当てることが容易にできる。
【０３５７】
一旦，前記隙間と前記通気パイプが相互にフィットすると，前記滑曲面が前記通気パイプの表面に接触するため，さらに前記抱持部と前記通気パイプの距離が近づき，相互の位置関係がより安定化する。このため，ユーザは前記隙間と前記通気パイプが相互にフィットした状態にあることを手の感触から知ることができる。
【０３５８】
上述のように，ユーザは前記隙間と前記通気パイプが相互にフィットした状態にあることを手の感触から知ることができるため，安心して，前記相互にフィットした状態のまま，前記抱持部を前記通気パイプに対してさらに強く押し当てる行為をとることができ，その際，前記通気パイプを前記腕の外側方向にスリップさせることなく，前記通気パイプを前記腕の隙間から前記内面の方向に招き入れることができるようになる。
【０３５９】
前記相互にフィットした状態では，前記滑曲面が前記通気パイプの表面に接触しているため，この状態で前記抱持部を前記通気パイプに強く押し当てると，前記滑曲面が前記通気パイプの表面を滑らかに移動して，前記腕の幅を押し広げ，前記隙間が広がる。このため，ユーザはわずかな力を加えるだけで，スルッと滑らかに，前記通気パイプを前記抱持部に容易に抱持させることができる。
【０３６０】
すなわち，ユーザは一方の手で前記通気パイプのハンドルを掴持した状態で，もう一方の手で前記抱持部の前記外面を掴持し，そのまま持ち替えることなく，前記抱持部を前記通気パイプに押し当てて，片手で前記抱持部に前記通気パイプを抱持させる行為を完了させることができる。このため，高齢者や子供など，手の力が弱い人や，視力の弱い人であっても，作業中に前記抱持部を落下させることなく簡単に抱持させることができるようになり，さらに，実施例９に記載の腕バネ効果を利用して前記抱持部の通気パイプの周方向の回転移動が防止されるため，実施例２に記載のＳＨＩＲストレスの発生を防止することが，より多くの人に対して可能となる。
【０３６１】
もし，前記足がなければ，前記抱持部を前記通気パイプに押し当てた際に，前記通気パイプが前記腕の外側方向にスリップして，前記抱持部の前記外面を掴持する手の指に前記通気パイプがぶつかり，前記指を痛めてしまう恐れがある。また，前記足がなければ，前記相互にフィットした状態を手探りで探り当てることが難しくなるため，視力の弱い人が使いにくくなる。
【０３６２】
これに対し，関連発明Ｂ１に記載の発明には前記足があることにより，これらの問題が解決される。また，前記足があることにより，前記足が安全ガードとなって，前記抱持部を掴持する手の指を前記腕と前記通気パイプの間に挟み込む事故を防止することができ，視力の弱い人や子供が使用する際の安全性が高まる。
【０３６３】
また，もし，前記滑曲面がなければ，前記隙間に前記通気パイプを通過させるために，より強い力を必要とするため，片手で前記ハンドルを掴持し，もう片方の手で前記抱持部を掴持して，相互に押し当てた際に，前記通気パイプが前記隙間を通過せずに，外に逃げてしまう現象が発生しやすくなり，片手での装着が困難になる。
【０３６４】
これに対し，関連発明Ｂ１に記載の発明には前記滑曲面があることにより，この問題解決が容易化され，片手での装着が容易化される。
【０３６５】
すなわち，掃除機の通気パイプのハンドルを片手で掴持した状態で，前記抱持部をもう一方の片手で掴持しつつ前記通気パイプに装着させるという特殊な課題において，前記滑曲面はこの課題解決を容易化する顕著な効果を発揮する。
【０３６６】
以上は，前記腕と，前記足と，前記滑曲面の相乗効果として特筆すべき顕著な効果であり，これにより「特許文献４に記載した支持具を，通気パイプにさらに容易に装着できるようにするための抱持部を提供する」という課題を解決することができる。
【０３６７】
関連発明Ｂ２に記載の発明によれば，
「前記先端の隙間が前記腕の幅よりも狭い関連発明Ｂ１に記載の抱持部」が提供される。
【０３６８】
これにより，前記抱持部が前記通気パイプから落下することを防ぐことができる。前記足と前記滑曲面があることによって，前記腕の先端の隙間が前記腕の幅よりも狭くても，装着が容易化されるため，取り付けやすく，脱落しにくい抱持部を提供することができる効果を得ることができる。
【０３６９】
関連発明Ｂ３に記載の発明によれば，
「前記腕にベルトを通過させる穴又は巻持部を有する関連発明Ｂ１又は２に記載の抱持部」が提供される。
【０３７０】
これにより，前記ベルト又は前記巻持部により前記通気パイプを巻持することができ，前記腕の隙間から前記通気パイプが脱落してしまうことを防止する効果を得ることができる。また，実施例９に記載の関連発明Ａ１から３の効果を得ることができる。
【０３７１】
また，前記抱持部を前記通気パイプの下から抱持させる時は，前記巻持部又は前記ベルトが重力で下に垂れ下がることにより，前記巻持部又は前記ベルトが前記抱持部を抱持させる時の邪魔にならない効果を得ることができ，前記抱持部を前記通気パイプに装着させやすくなる効果を得ることができる。さらに，関連発明Ｂ５に記載の切れ込みとの相乗効果により，前記切れ込みの間を通過させた前記突起物を上から前記ベルトで巻持することができるため，前記突起物と前記ベルトの間の摩擦力が増加し，前記抱持部を前記通気パイプの周方向に回転移動させない効果を強めるため，実施例２に記載のＳＨＩＲストレスの発生をより確実に防ぐことができる効果を得ることができる。
【０３７２】
関連発明Ｂ４に記載の発明によれば，
「前記足にフックを通過させる穴を有する関連発明Ｂ１から３のいずれかに記載の抱持部」が提供される。
【０３７３】
これにより，前記フックを通過させる穴を，壁面に固定されたフックに通過させ，前記腕の前記内面を壁面に向け，前記外面を壁面とは反対の方向に向けた状態で，前記抱持部を前記壁面に安定に吊るすことができる（図３８）。
【０３７４】
このため，ユーザは，前記壁面に吊るされた前記抱持部の前記外面を，掌で容易に掴持して前記フックから容易に取り外すことができ，その掴持した状態のまま持ち替えることなく，前記抱持部の前記腕の間の隙間を前記通気パイプに押し当てることが容易にできる。
【０３７５】
これにより，前記抱持部を前記机面上に置く必要がなく，前記壁面に吊るされた状態から，関連発明Ｂ１の効果に記載の効果と同様に，片手で前記抱持部を通気パイプに容易に装着できる効果を得ることができる。
【０３７６】
関連発明Ｂ５に記載の発明によれば，
「前記腕の前後に切れ込みを有する関連発明Ｂ１から４のいずれかに記載の抱持部」が提供される。これにより，前記通気パイプに突起物があっても，該突起物を前記切れ込みの間に通過させることで，該突起物が装着の障害にならない効果を得ることができる。
【０３７７】
本発明者の市場調査によれば，市販の掃除機の通気パイプにおいて，側面よりも，上面や下面に突起物やスイッチが多い。これに対し，関連発明Ｂ３に記載の切れ込みがあることにより，前記切れ込みから前記突起物や前記スイッチを露出させることができる。よって，前記通気パイプに前記抱持部を取り付けられる範囲をより広げることができる効果を得ることができる。
【０３７８】
また，前記切れ込みの間から前記突起物を通過させた状態で抱持できることで，前記突起物がアンカーの役割を果たし，前記抱持部を前記通気パイプの周方向に回転移動させない効果を得ることができ，実施例２に記載のＳＨＩＲストレスの発生を防ぐことができる効果を得ることができる。
【０３７９】
関連発明Ｂ６に記載の発明によれば，
「関連発明Ｂ１から５のいずれかに記載の抱持部と，
前記外面から機器を支持できる又は着脱できる支持部と，
を有する支持具」が提供される。
【０３８０】
これにより「特許文献４に記載した支持具を，通気パイプにさらに容易に装着できるようにするための抱持部を備えた支持具を提供する」という課題を解決することができる。
【０３８１】
関連発明Ｂ７に記載の発明によれば，
「前記内面に鞍形状を有する関連発明Ｂ１から６のいずれかに記載の支持具」が提供される。これにより，通気パイプの鞍部において，実施例９に記載の関連発明Ａ１から４に記載の効果を得ることができる。
【０３８２】
関連発明Ｂ８に記載の発明によれば，
「前記内面の中央にくぼみを有する関連発明Ｂ１から７のいずれかに記載の支持具」が提供される。これにより，前記通気パイプに突起物があっても，前記くぼみに入れることで，装着の障害にならない効果を得ることができる。
【０３８３】
また，前記くぼみに前記突起物を入れることで，前記突起物がアンカーの役割を果たし，前記抱持部を前記通気パイプの周方向に回転移動させない効果を得ることができ，実施例２に記載のＳＨＩＲストレスの発生を防ぐことができる効果を得ることができる。
【０３８４】
関連発明Ｂ９に記載の発明によれば，
「前記支持部に，
着脱部，
嵌合部，
挟持部，
基台，
支持板，
ねじ穴，
カメラねじ，
スマートフォン固定具，
ポート，
の内の少なくとも１つを有する関連発明Ｂ６から８のいずれかに記載の支持具」が提供される。これにより，これにより，実施例９に記載の関連発明Ａ１から６に記載の効果を得ることができる。
【０３８５】
関連発明Ｂ１０に記載の発明によれば，
「前記内面に奥内面を有し，前記奥内面の周方向の曲率半径が，前記奥内面以外の前記内面の周方向の曲率半径よりも小さい関連発明Ｂ１から９のいずれかに記載の支持具」が提供される。
【０３８６】
これにより，前記通気パイプの幅が前記腕の幅よりも狭いタイプの掃除機に対して，前記奥内面に接触させることにより，ぐらつきにくくする効果を得ることができる。よって，取付可能な通気パイプの種類を増やすことができ，より多くの掃除機に取り付けることができる効果を得ることができる。
【０３８７】
関連発明Ｂ１１に記載の発明によれば，
「関連発明Ｂ６から１０のいずれかに記載の支持具と，
前記支持部によって支持された送風部と，
を有する扇風機」が提供される。これにより「特許文献４に記載した支持具を，通気パイプにさらに容易に装着できるようにするための抱持部を備えた扇風機を提供する」という課題を解決することができる。
【０３８８】
関連発明Ｂ１２に記載の発明によれば，
「関連発明Ｂ６から１０のいずれかに記載の支持具を有する掃除機」が提供される。
【０３８９】
関連発明Ｂ１３に記載の発明によれば，
「関連発明Ｂ１１に記載の扇風機を有する掃除機」が提供される。
【実施例１５】
【０３９０】
（室内バイク）
図３９から６７に記載の扇風機は，実施例４から１４のいずれかに記載の支持具２００の抱持部２０１を有する扇風機３００であり，さらに，支持具２００の抱持部２０１の腕２０２の両側の先端２０５に，ベルトを通過させる穴２４７を２つずつ有している扇風機３００である。
【０３９１】
支持具２００の抱持部２０１の巻持部２０６のベルト２０７としては，幅２０ミリメートルで長さが２００ミリメートルの伸縮性のＢ面ファスナの裏側の一端に幅２０ミリメートルで長さが２５ミリメートルのＡ面ファスナを縫い付けたものを使用する。ただし，前記Ａ面ファスナは前記Ｂ面ファスナの任意の部位に着脱可能な面ファスナである。
【０３９２】
図３９から６７に記載の扇風機３００は，
「送風部３０１に内包された電動機３０３と，
電動機３０３によって駆動される羽根車３０２と，
送風部３０１に横設された蝶番部３０７と，
蝶番部３０７を介して送風部３０１に蝶着された棒状体３０８と，
棒状体３０８に内包された電源である電池３０４と，
前記電源である電池３０４と電動機３０３を電気的に接続する電気伝導体である電気コードと，
棒状体３０８を回動可能かつ横動可能に支持する支持部２１０と，
支持部２１０が有する可動部２１４と，
支持部２１０を立設する外面２０４と，
パイプ１００又はパイプ６０６などの器具表面と相補的な形状を有する内面２０３と，
外面２０４と内面２０３を有する腕２０２と，
を有する扇風機３００」である。
【０３９３】
また，図３９から６７に記載の扇風機３００は，
「腕２０２がパイプ１００又はパイプ６０６によって支持される扇風機３００」である。
【０３９４】
また，図３９から６７に記載の扇風機３００は，
「腕２０２がパイプ１００又はパイプ６０６を抱持できる扇風機３００」である。
【０３９５】
また，図３９から６７に記載の扇風機３００は，
「パイプ１００又はパイプ６０６又は帯６１１を巻持できる巻持部２０６を腕２０２に有する扇風機３００」である。
【０３９６】
また，図３９から６７に記載の扇風機３００は，
「１つの平面と相補的な形状を有する足２１２を腕２０２の両側の先端２０５に有する扇風機３００」であり，さらに，図３９から６７に記載の扇風機３００の抱持部２０１は，
「パイプ１００又はパイプ６０６を抱持できる腕２０２と，
腕２０２の内面２０３と，
腕２０２の外面２０４と，
１つの平面に相補的な形状を有する足２１２と，
腕２０２の両側の先端２０５と足２１２を滑らかにつなぐ滑曲面２３７と，
を有する抱持部２０１」である。これにより，実施例１０に記載の「扇風機３００の抱持部２０１の滑曲面２３７が通気パイプ１００の表面に接触した状態で抱持部２０１を通気パイプ１００に強く押し当てると，滑曲面２３７が通気パイプ１００の表面を滑らかに移動して，腕２０２の幅を押し広げ，隙間２２４が広がるため，ユーザはわずかな力を加えるだけで，スルッと滑らかに，通気パイプ１００を抱持部２０１に容易に抱持させることができる効果」と同様に，「扇風機３００の抱持部２０１の滑曲面２３７がパイプ６０６の表面に接触した状態で抱持部２０１をパイプ６０６に強く押し当てると，滑曲面２３７がパイプ６０６の表面を滑らかに移動して，腕２０２の幅を押し広げ，隙間２２４が広がるため，ユーザはわずかな力を加えるだけで，スルッと滑らかに，パイプ６０６を抱持部２０１に容易に抱持させることができる効果」を室内バイク６０５のハンドルのパイプ６０６に対しても得ることができる。
【０３９７】
また，図３９から６７に記載の扇風機３００は，
「腕２０２の先端２０５にベルト２０７又はベルト６１２を通過させる穴２４７を有する扇風機３００」である。
【０３９８】
扇風機３００は，幅が１０センチメートル乃至１１センチメートルの樹脂製のファンガード３０５を有する送風部３０１の中央に内包された電動機３０３が駆動する羽根車３０２が回転することにより送風を行う。
【０３９９】
送風部３０１に横設された蝶番部３０７を介して送風部３０１に蝶着された棒状体３０８は，蝶番部３０７が０度から約１８０度の範囲で蝶動することにより，送風部３０１と棒状体３０８が０度から約１８０度の範囲で蝶動する。
【０４００】
ただし，蝶番部３０７の蝶動部品には適度な摩擦力があり，蝶番部３０７の角度を手の力を加えて変えることは容易にできるが，重力だけでは前記角度が変わらないように前記摩擦力の強さが調整されている。
【０４０１】
図３９から４４に記載の扇風機３００は，蝶番部３０７が０度に閉じた状態にあり，棒状体３０８が蝶番部３０７を介して送風部３０１のファンガード３０５に横設された状態にある。
【０４０２】
棒状体３０８の長さは約１０センチメートルあり，幅は２５ミリメートル乃至３５ミリメートルあるため，蝶番部３０７が０度に閉じた状態において，棒状体３０８は手で容易に握持できる手持部として使用することができる。
【０４０３】
棒状体３０８に内包された電源である電池３０４は，繰り返し充電可能なリチウムイオン電池「１８６５０」であり，電池ケースの蓋３１０によって密閉された棒状体３０８の内部に格納されている。
【０４０４】
電池３０４は棒状体３０８の側面に設けられたユニバーサルシリアルバス規格の受電可能なポート端子３１１を経由して接続される外部電源（５Ｖ，１Ａ）から供給される電力によって充電することができる。
【０４０５】
電池３０４は電気伝導体である電気コードを介して電動機３０３に電気的に接続されており，棒状体３０８の側面に設けられたスイッチ３０９を手押しすることで，前記接続の状態を切り替えることができる。
【０４０６】
ポート端子３１１が外部電源に接続されていない状態であっても，電池３０４が有する電力を電動機３０３に供給することにより，羽根車３０２を回転させて送風することができる。
【０４０７】
よって，課題解決手段１に記載の扇風機３００によって，「容易に握持できる手持部を有する携帯可能な小型の扇風機」を提供することができる。
【０４０８】
図５１は，扇風機３００の各パーツの関係性を示す分解図である。支持具２００の支持部２１０の棒持台２４４はエラスティック性の樹脂製の部品であり，湾曲したほぼ円形の棒持面２４５を内面に備え，棒持面２４５の湾曲の曲率半径は約１５ミリメートルであり，棒状体３０８の最大幅の半分である約１７ミリメートルよりも小さいため，棒状体３０８を棒持台２４４の内面である棒持面２４５の湾曲の内部に挿入することにより，棒持面２４５が棒状体３０８を締め付けながら棒状体３０８を棒持台２４４によって支持することができる。
【０４０９】
また，棒状体３０８は，棒持面２４５の表面に沿って移動させることができるため，棒持台２４４は棒状体３０８を横動可能に支持することができる。
【０４１０】
さらに，棒持面２４５には棒状体３０８が挿入される方向に沿って高さが１ミリメートル以下の隆起２４６が等間隔で１８乃至２２本設けられており，棒状体３０８と棒持台２４４を手で捻じれば容易に相互に回動するようになっているが，手で捻じらなければ回動しないように隆起２４６の高さと形状が調整されている。このため，隆起２４６による滑り止めの効果を得つつ，棒持台２４４は棒状体３０８を回動可能に支持することができる。
【０４１１】
棒持台２４４と基台２３１が相互に回動できる可動部２１４が支持部２１０に設けられており，図５１に示すように，支持具２００の支持部２１０の棒持台２４４の可動部２１４の先端を支持板２３２のねじ穴２３３に通過させて，可動部２１４の先端がねじ穴２３３に回動可能に嵌合することによってねじ穴２３３から抜けないようになっており，水平に設けられた支持板に対して垂直方向の回転軸で棒持台２４４を回動させることができる。
【０４１２】
水平に設けられた支持板２３２に対して，棒持面２４５の湾曲の内部に挿入する棒状体３０８の挿入の角度が１０度乃至２５度傾くように棒持面２４５が棒持台２４４に設けられており，具体的には約１７度傾くように設けられている（すなわち，可動部２１４の回転軸と棒状体３０８の回転軸のなす角は６５度乃至８０度であり，具体的には約７３度である）。このため，スイッチ３０９が腕２０２の方向に向けられた状態であっても，腕２０２と棒状体３０８の間に隙間ができるため，そこに指を入れてスイッチ３０９を押しやすくなっており，かつ，支持部２１０を可動部２１４で回動させても，ファンガード３０５が抱持部２０１にぶつからないようになっている。
【０４１３】
図４５から５０に記載の扇風機３００は，蝶番部３０７が約１８０度に開いた状態にあり，送風部３０１のファンガードに横設された蝶番部３０７を介して蝶着された棒状体３０８が送風部３０１のファンガード３０５の裏側に密接するようにしてコンパクトに折りたたまれている。
【０４１４】
図５２に示すように，扇風機３００は，矢印３２４，３２５，３２６，および，３２７の方向に可動させることができるため，腕２０２の内面２０３をパイプ１００又はパイプ６０６に接触させた状態のままで，図３９から４４に示す状態（蝶番部３０７が０度に閉じた状態）から，図４５から５０に示す状態（蝶番部３０７が約１８０度に開いた状態）にまで扇風機３００を変形させることが容易にできる。
【０４１５】
具体的には，図５４から５９に示す各ステップを経ることにより，手持部の棒状体３０８が送風部３０１に横設された状態から，棒状体３０８をコンパクトに折りたたんだ状態まで変形させることができる。
【０４１６】
図５４は，扇風機３００の棒状体３０８を手持部として握持した状態で，抱持部２０１の腕２０２の内面２０３を室内バイク６０５のハンドルのパイプ６０６の上面６１３の縁に接触するように着ける様子である。
【０４１７】
腕２０２の内面２０３の奥内面２４２の曲率半径は１５ミリメートルであり，奥内面２４２以外の内面２０３の曲率半径は２０ミリメートルであるため，パイプ６０６の半径が２０ミリメートル以上の場合は，エラスティック樹脂製の腕２０２がパイプ６０６を穏やかに締め付けることによりパイプ６０６を抱持することでパイプ６０６を支持することにより，扇風機３００をパイプ６０６の上に安定に支持することができる。
【０４１８】
室内バイク６０５のハンドルのパイプ６０６の半径が１５ミリメートル乃至２０ミリメートルの場合は，腕２０２の内面２０３と奥内面２４２の境界の付近に位置する内面２０３をパイプ６０６の上面６１３にぐらつかないで置くことができ，内面２０３はパイプ６０６と相補的な形状を有している。
【０４１９】
本発明者が実施した市場調査によれば，市販のほとんどの室内バイク６０５のハンドルのパイプ６０６の半径は１５ミリメートル乃至２１ミリメートルであるため，本明細書の実施例４から１８に記載の腕２０２の内面２０３は，ほとんどの室内バイク６０５のハンドルのパイプ６０６と相補的な形状を有している。
【０４２０】
図５５は，腕２０２の内面２０３をパイプ６０６の上面６１３に乗せて，腕２０２がパイプ６０６を抱持することにより，腕２０２とパイプ６０６が相互に支持しあうため，扇風機３００をパイプ６０６の上面６１３に安定的に着けることができている様子である。
【０４２１】
室内設置型の鞍乗式器具である室内バイク６０５は移動しないため，ハンドルのパイプ６０６が大きく揺れることはなく，巻持部２０６のベルト２０７がなくても，扇風機３００をパイプ６０６の上面６１３に安定的に着けることができているが，周囲を通行する人が誤って扇風機３００に接触して扇風機３００が落下することがないようにするためには，巻持部２０６のベルトを通過させる穴２３８にベルト２０７を通過させつつ，ベルト２０７をパイプ６０６に巻き付けて周回させてから面ファスナ２０９でベルト２０７を閉環することにより，抱持部２０１はパイプ６０６を巻持することができ，落下を防止する効果を得ることができる。
【０４２２】
扇風機３００の巻持部２０６がパイプ６０６を巻持した状態のまま，棒状体３０８が送風部３０１に横設された図５５の状態から，棒状体３０８がコンパクトに折りたたまれた図５９の状態まで，扇風機３００を容易に変形させていくことができる。
【０４２３】
すなわち，最初のステップ（図５５）の次のステップ（図５６）において，室内設置型の鞍乗式器具である室内バイク６０５のハンドルのパイプ６０６に支持される腕２０２の外面２０４に立設された支持部２１０の棒持台２４４の棒持面２４５において支持される棒状体３０８を矢印３３１の方向に手で押してスライドさせて横動させることができる。
【０４２４】
次のステップ（図５７）において，室内設置型の鞍乗式器具である室内バイク６０５のハンドルのパイプ６０６を支持する腕２０２の外面２０４に立設された支持部２１０の棒持台２４４の棒持面２４５において支持される棒状体３０８を矢印３３２の方向に手で回して回転させて回動させることができる。
【０４２５】
さらに次のステップ（図５８）において，蝶番部３０７を約１８０度蝶動させることにより，送風部３０１のファンガード３０５の背面が棒状体３０８にほぼ接触するところまで動かすことにより，棒状体３０８を送風部３０１に対して折りたたむように変形することができる。
【０４２６】
そして，最後のステップ（図５９）において，支持部２１０の可動部２１４を回動させて，送風部３０１を室内バイク６０５に鞍乗りする利用者に向けることができる。この際，棒状体３０８と棒持台２４４を手で動かして横動及び／又は回動させて，棒状体３０８と棒持台２４４の相互の位置関係を微調整することが容易にできるため，扇風機３００の重心がパイプ６０６の真上に位置するように調整して配置することができる。
【０４２７】
よって，パイプ６０６に着けた状態を保ちながら手持部である棒状体３０８を外部にはみ出さないようにコンパクトに折りたたむことができ，かつ，扇風機３００の重心をパイプ６０６の真上に容易に配置することができる。
【０４２８】
以上により，「容易に握持できる手持部を有する携帯可能な小型の扇風機であって，かつ，パイプに着けた状態を保ちながら前記手持部を外部にはみ出さないように折りたためる扇風機であって，かつ，前記扇風機の重心を前記パイプの真上に容易に配置できる扇風機を提供する」という課題を解決することができる。
【０４２９】
なお，前記コンパクトに折りたたむことによる特筆すべき効果としては，図６０に示すように，「室内設置型の鞍乗式器具である室内バイク６０５のハンドルのパイプ６０６の上面６１３に着けられた扇風機３００の蝶番部３０７を開いて棒状体３０８である手持部を外部にはみ出さないようにコンパクトに折りたたんだ状態の扇風機３３８は，パイプ６０６の右横の通路を通行する人が矢印３３９の軌跡で通過してもぶつからないように配置できる効果」を得ることができる。
【０４３０】
これに対し，前記コンパクトに折りたたまずに送風部３０１を室内バイク６０５に鞍乗りする利用者に向けて送風した場合は，図６１に示すように棒状体３０８である手持部が外部にはみ出した状態の扇風機４００として配置されるため，パイプ６０６の右横の通路を通行する人が矢印３４１の軌跡で通過した場合に棒状体３０８にぶつかる恐れが生じてしまう。
【０４３１】
よって，本発明による効果である「パイプなどの器具表面に着けた状態を保ちながら前記手持部を外部にはみ出さないように折りたたむことができ，かつ，前記扇風機の重心を前記パイプの真上に容易に配置できる効果」は， 限られた室内に多数の室内バイク等のトレーニングマシンなどの器具を密に配置し，それらトレーニングマシンの間の狭い通路を利用者が頻繁に通行する室内型の運動用ジムにおいて，前記扇風機を周囲の邪魔にならずに安全に利用するために不可欠な特筆すべき効果となっている。
【０４３２】
また，前記「パイプなどの器具表面に着けた状態を保ちながら折りたためる効果」により，前記折りたたむ際にいちいちパイプ６０６などの器具表面から扇風機３００を取り外す必要がないため，前記折りたたむ際に汗で手を滑らせて誤って扇風機３００を落下させてしまう可能性を減少させる効果を得ることができる。また，巻持部２０６のベルト２０７がパイプ６０６などの器具表面を巻持している状態のままで折りたためるため，前記折りたたむために巻持部２０６をいちいち外す必要がなくなる効果を得ることができる。
【０４３３】
上記の効果は，巻持部２０６のベルト２０７がなくても，扇風機３００をパイプ６０６の上面６１３という極めて不安定な場所において得られることから，より一般的に，パイプ，縁，帯状体，平面，器具表面においても同様の効果を得ることができる。すなわち，実施例１５に記載の扇風機３００によって，「容易に握持できる手持部を有する携帯可能な小型の扇風機であって，かつ，パイプ又は縁又は帯状体又は平面又は器具表面に着けた状態を保ちながら前記手持部を外部にはみ出さないように折りたためる扇風機であって，かつ，前記扇風機の重心を前記パイプ又は前記縁又は前記帯状体又は前記平面又は前記器具表面の真上に容易に配置できる扇風機を提供する」という課題を解決することができる。
【実施例１６】
【０４３４】
（掃除機）
図３９から６７，及び，実施例１５に記載の扇風機３００が有する抱持部２０１は，実施例４から１４に記載の抱持部の効果を得ることができる抱持部であり，掃除機の通気パイプ１００にも着けることができる抱持部である。
【０４３５】
よって， 「室内バイク等の鞍乗式器具だけでなく，掃除機の通気パイプのハンドル付近にも取り付けることができる扇風機であって，かつ，該扇風機が通気パイプの周方向に回転移動を起こしにくい扇風機を提供する」という課題を解決することができる。
【０４３６】
図６２に示すように，扇風機３００は棒状体３０８をコンパクトに折りたたんだ状態で，上下の区別のある通気パイプ１００の鞍部１０５の前鞍面１０６又は前管１０１の上面１３０を上５０６から抱持して周方向に回転移動しにくい効果を得ることができるため，周囲にトレーニングマシンが密集している狭い通路で扇風機３００を着けた通気パイプ１００を有する掃除機を使用する際に，扇風機３００が該トレーニングマシンにぶつかりにくくなるという特筆すべき効果を得ることができる。
【０４３７】
また，図６３に示すように，扇風機３００は棒状体３０８を送風部３０１に横設した状態で，上下の区別のある通気パイプ１００の鞍部１０５の下鞍面１０８又は前管１０１の下面１３１を下５０７から抱持して周方向に回転移動しにくい効果を得ることができるため，送風部３０１をユーザに近い側（図６３では，通気パイプ１００のハンドル１０３を右手で掴持するユーザが立っている左５０９の側）に配置しても，棒状体３０８に内包された電池３０４の重心と送風部３０１の重心が左右でバランスすることにより，扇風機３００の全体の重心が通気パイプ１００の下５０７に位置するため，ＳＨＩＲストレスを発生させにくくかつ，送風部３０１からの気流が通気パイプ１００に邪魔されないという特筆すべき効果を得ることができる。
【実施例１７】
【０４３８】
（帽子）
課題解決手段８に記載の「前記腕の先端又は前後にベルトを通過させる穴を有する課題解決手段１から７のいずれかに記載の扇風機」によれば，腕２０２の先端２０５にベルトを通過させる穴２４７を有する扇風機３００が提供される。穴２４７を有する扇風機３００は，着用物である帽子６０７の縁の帯状体のベルト６０８と相補的な形状を有する内面２０３を有する腕２０２を有する扇風機３００である。
【０４３９】
これにより，図６４に示すように，穴２４７に帽子６０７の縁のベルト６０８を通過させた状態でベルト６０８を閉環することにより，課題解決手段１１に記載の「扇風機３００を備えた帽子６０７」が提供される。
【０４４０】
図６５に示すように帽子６０７に扇風機３００をつけた状態で帽子６０７をかぶることにより，送風部３０１の送風の方向を帽子６０７をかぶった人６０９に向けることができる。帽子６０７をかぶったときに，帽子６０７の縁の帯状体のベルト６０８と相補的な形状を有する穴２４７を有する内面２０３を有する腕２０２が帽子６０７の縁の帯状体のベルト６０８によって支持されるため，扇風機３００を落下させずに身に着けることができる。また，帽子６０７を脱いで，扇風機３００を手に持った時は，帽子６０７の縁の帯状体のベルト６０８と相補的な形状を有する穴２４７を有する内面２０３を有する腕２０２が帽子６０７の縁の帯状体のベルト６０８を支持するため，帽子６０７は落下しない。
【０４４１】
また，支持板２３２の板面に対して，棒持面２４５の湾曲の内部に挿入する棒状体３０８の挿入の角度が１０度乃至２５度傾くように棒持面２４５が棒持台２４４に設けられており，具体的には約１７度傾くように設けられている（すなわち，可動部２１４の回転軸と棒状体３０８の回転軸のなす角は６５度乃至８０度であり，具体的には約７３度である）ことにより，図６５に示すように，送風部３０１と人６０９の背中の間の距離が相互にぶつからない適切な距離（３センチメートル乃至６センチメートル）に保たれる効果を得ることができる。さらに，この際，蝶番部３０７が蝶動することにより，送風部３０１の送風の向きを調整することができるため，人体の姿勢や帽子のかぶり方に応じて蝶番部３０７の蝶動の角度を調整することにより，首から背中全体に向けて好ましい角度で送風させることができる。
【０４４２】
また，図６４に示すように，パイプと相補的なＵ形状２２５の内面２０３を有する腕２０２の先端２０５に帽子６０７のベルト６０８を通過させるため，帽子６０７をかぶった人６０９の後頭部から首の後ろと腕２０２の内面２０３の間に空洞ができる。そして，図６５に示すように扇風機３００の送風部３０１から人６０９の背中に向けて送風した場合に，該背中にぶつかって上昇する気流がさえぎられることなく前記空洞の中を通過して上に抜けるため，扇風機３００と人６０９の間の接触部分が前記上昇する気流の通過によって蒸れずに済む効果を得ることができる。
【０４４３】
また，課題解決手段５に記載の「前記平面と相補的な形状を有する足を前記腕の両側の先端に有する課題解決手段１から４のいずれかに記載の扇風機」であることにより，図６５に示すように人６０９の後頭部の表面に足２１２を接触させて安定した状態で帽子６０７をかぶることができるため，人６０９が動いても，扇風機３００の送風部３０１を人６０９の背中に向け続けることが安定してできる効果を得ることができる。
【０４４４】
さらに，図６５に示すように落下防止ワイヤ２４８を棒状体３０８の両側の側面につなぎ，落下防止ワイヤ２４８を支持部２１０の上を通過させておくことにより，人６０９の移動による振動で棒状体３０８と棒持面２４５の間が滑って横動しても，落下防止ワイヤ２４８が支持部２１０によって支えられるため，扇風機３００が誤って下に落下してしまうことを防ぐ効果を得ることができる。
【実施例１８】
【０４４５】
（リュックサック）
課題解決手段４に記載の「前記パイプを巻持できる巻持部を前記腕に有する課題解決手段１から３のいずれかに記載の扇風機」及び／又は課題解決手段８に記載の「前記腕の先端又は前後にベルトを通過させる穴を有する課題解決手段１から７のいずれかに記載の扇風機」により，図６６及び６７に示すように「巻持部２０６のベルト２０７をリュックサック６１０の帯６１１を巻持させる」及び／又は「穴２４７を通過させたベルト６１２をリュックサック６１０の帯６１１を巻持させる」ことにより，扇風機３００をリュックサック６１０の帯６１１に着けたリュックサック６１０が提供される。扇風機３００は，着用物であるリュックサック６１０の帯状体の帯６１１と相補的な形状を有する内面２０３を有する腕２０２を有する扇風機３００であるため，リュックサック６１０の帯状体の帯６１１に着けた状態でぐらつかない効果を得ることができる。
【０４４６】
このリュックサック６１０を背負うことにより，手に扇風機を持たなくても，扇風機３００からの送風を向け続けることが可能となる効果を得ることができる。
【０４４７】
また，課題解決手段５に記載の「前記平面と相補的な形状を有する足を前記腕の両側の先端に有する課題解決手段１から４のいずれかに記載の扇風機」であることにより，図６６及び６７に示すように帯６１１に足２１２が密着することでぐらつかなくなるため，扇風機３００の送風の方向が安定する。このため，歩きながらリュックサック６１０を背負って移動しても，扇風機３００からの送風を安定して一定の方向に向け続けることが可能となる効果を得ることができる。さらに，扇風機３００の支持部２１０の可動部２１４による自由度と，支持部２１０が棒状体３０８を回動可能かつ横動可能に支持する自由度と，変動部である蝶番部３０７の自由度により，リュックサック６１０に扇風機３００をぐらつかないようにつけた状態で，あらゆる方向に扇風機３００の送風部３０１を向けることができるため，人体のあらゆる方向に送風することができる効果を得ることができ，さらに，前記人体の手に持つ携帯機器に送風することができるため，前記携帯機器を冷却できるという特筆すべき効果を得ることができる。
【実施例１９】
【０４４８】
（課題解決手段）
課題解決手段０は，
「送風部に内包された電動機と，
前記電動機によって駆動される羽根車と，
前記送風部に横設された蝶番部と，
前記蝶番部を介して前記送風部に蝶着された棒状体と，
前記棒状体に内包された電源と，
前記電源と前記電動機を電気的に接続する電気伝導体と，
前記棒状体を回動可能かつ横動可能に支持する支持部と，
前記支持部が有する可動部と，
前記支持部を立設する外面と，
パイプ又は縁又は帯状体又は平面又は器具表面と相補的な形状を有する内面と，
前記外面と前記内面を有する腕と，
を有する扇風機」である。
【０４４９】
なお，「パイプ」とは，通気パイプ，鞍乗式器具のパイプ，車輪式器具のパイプ，金属製のパイプ，ポリマー製のパイプ，ポリマーを上面に乗せた金属製のパイプ，中空のパイプ，円柱体，棒状体，柱状体，円筒体，筒状体，器具のパイプ，着用物のパイプ，を含む広義のパイプである。
また，「縁（へり）」とは，机の縁，本棚の縁，椅子の縁，家具の縁，板状体の縁，厚さが４センチメートル以下の板状体の縁，帽子の縁，着用物の縁，リュックサックの縁，帯状体の縁，鞍乗式器具の縁，車輪式器具の縁，器具の縁，着用物の縁，パイプの縁，パイプの上面にある縁，パイプの下面にある縁，器具の形状における端の部分，を含む広義の縁である。
【０４５０】
また，「帯状体」とは，リュックサックの帯，腰に巻く帯，人体に巻く帯，布製の帯，ゴム製の帯，ポリマー製の帯，繊維製の帯，有機物製の帯，金属製の帯，鞍乗式器具の帯，車輪式器具の帯，器具の帯，着用物の帯，を含む広義の帯状体である。
【０４５１】
また「平面」とは，平面体の面，板状体の面，机面，卓面，床面，壁面，天井面，地面，鞍乗式器具の平面，車輪式器具の平面，器具の平面，着用物の平面，を含む広義の平面である。
また「器具表面」とは，パイプ，縁，帯状体，平面，着用物の表面，帽子の表面，リュックサックの表面，机の表面，テーブルの表面，椅子の表面，家具の表面，鞍乗式器具の表面，車輪式器具の表面，を含む広義の器具表面である。
【０４５２】
前記「相補的な形状」とは，相互に相補的な形状を有する２以上の部品を相互に接触させたときに，ぐらつかないで接触させることができる形状である。すなわち，「パイプと相補的な形状を有する内面」は前記パイプに接触させた時にぐらつかないで接触させることができる形状を有する前記内面である。また，「縁と相補的な形状を有する内面」は前記縁に接触させた時にぐらつかないで接触させることができる形状を有する前記内面である。また，「帯状体と相補的な形状を有する内面」は前記帯状体に接触させた時にぐらつかないで接触させることができる形状を有する前記内面である。また，「平面と相補的な形状を有する内面」は前記平面に接触させた時にぐらつかないで接触させることができる形状を有する前記内面である。また，「器具表面と相補的な形状を有する内面」は前記器具表面に接触させた時にぐらつかないで接触させることができる形状を有する前記内面である。
【０４５３】
また，パイプ又は縁又は帯状体又は平面又は器具表面に内面を接触させて前記パイプ又は前記縁又は前記帯状体又は前記平面又は前記器具表面を抱持又は挟持又は固定できる腕の前記内面は前記パイプ又は前記縁又は前記帯状体又は前記平面又は前記器具表面に相補的な形状を有する前記内面である。また，パイプ又は縁又は帯状体又は平面又は器具表面の上面にぐらつかないで接触させて置くことができる内面は前記パイプ又は前記縁又は前記帯状体又は前記平面又は前記器具表面に相補的な形状を有する前記内面である。
【０４５４】
また，課題解決手段０に記載の扇風機は実施例１から１８に記載の扇風機には限定されない。
課題解決手段０に記載の扇風機の前記電動機は，前記送風部に内包されていればよく，実施例１から１８に記載の電動機には限定されない。また，前記内包の代わりに内設されていてもよい。
【０４５５】
課題解決手段０に記載の扇風機の前記羽根車は，前記電動機によって駆動されて送風できるものであればよく，実施例１から１８に記載の羽根車には限定されない。
【０４５６】
課題解決手段０に記載の扇風機の前記蝶番部は，前記送風部に横設されていればよく，前記横設の方向に限定はなく，実施例１から１８に記載の蝶番部には限定されない。 また，前記横設の代わりに着設されていてもよい。
【０４５７】
課題解決手段０に記載の扇風機の前記棒状体は，前記蝶番部を介して前記送風部に蝶着されていればよく，実施例１から１８に記載の棒状体には限定されない。
【０４５８】
また，前記蝶番部の代わりに変動部を用いてもよく，前記変動部を介して前記送風部に前記棒状体を変動着してもよい。ただし，「変動着」とは，相互の位置関係が変動可能に着設することである。変動部に蝶番を用いた場合の変動着は蝶着となる。また，変動部に折れ曲がる柔軟性のある部品を用いた場合の変動着は折れ曲がるように変動可能に着設することである。また，変動部に回動可能な部品を用いた場合の変動着は回動可能に着設することである。前記送風部と前記棒状体の間の相対的な位置関係が変動可能に着設できるあらゆる部品を変動部として用いることができる。すなわち，変動部は蝶番部の概念を含む上位概念であり，変動着は蝶着の概念を含む上位概念である。
【０４５９】
課題解決手段０に記載の扇風機の前記電源は，前記棒状体に内包されていればよく，実施例１から１８に記載の電源には限定されない。また，前記内包の代わりに内設されていてもよい。
【０４６０】
課題解決手段０に記載の扇風機の前記電気伝導体は，前記電源と前記電動機を電気的に接続すればよく，例１から１８に記載の電気伝導体には限定されない。
【０４６１】
課題解決手段０に記載の扇風機の前記支持部は，前記棒状体を回動可能かつ横動可能に支持すればよく，前記横動は前記支持部が前記棒状体に沿って動かせれば方向に限定はなく，実施例１から１８に記載の支持部には限定されない。また，前記支持部と前記棒状体は相互に着脱可能であってもよく，着脱不可能であってもよい。
【０４６２】
課題解決手段０に記載の扇風機の前記可動部は，可動する可動部であれば可動の仕組みはどのようなものであってもよく，前記腕に対して前記棒状体の向き又は位置を変えられるように可動する可動部であればどのようなものであってもよい。前記可動は，回動であってもよく，傾動であってもよく，枢動であってもよく，嵌合させた球体に基づく可動であってもよく，柔軟性のある部材の変形に基づく可動であってもよく，また，それらの組み合わせであってもよい。前記可動部は，実施例１から１８に記載の可動部には限定されない。
【０４６３】
課題解決手段０に記載の扇風機の前記外面は，前記支持部を立設する前記外面であればよく，前記立設の方向に限定はなく，実施例１から１８に記載の外面には限定されない。前記立設の代わりに斜設又は着設又は定設するのでもよい。
【０４６４】
課題解決手段０に記載の扇風機の前記内面は，前記内面と相補的な形状を有するパイプ又は縁又は帯状体又は平面又は器具表面が存在しうるものであればよく，実施例１から１８に記載の内面には限定されない。
【０４６５】
課題解決手段０に記載の扇風機の前記腕は，前記外面と前記内面を有すればよく，実施例１から１８に記載の腕には限定されない。
【０４６６】
よって，課題解決手段０は，下記の変動式電気機器と下記の取付器具を有する課題解決手段１である。
すなわち，課題解決手段１の扇風機は，
「送風部に内包又は内設された電動機と，
前記電動機によって駆動される羽根車と，
前記送風部に横設又は着設された変動部と，
前記変動部を介して前記送風部に変動着された棒状体と，
前記棒状体に内包又は内設された電源と，
前記電源と前記電動機を電気的に接続する電気伝導体と，
からなる変動式電気機器」と，
「前記棒状体を回動可能かつ横動可能に支持する支持部と，
前記支持部が有する可動部と，
前記支持部を立設又は斜設又は着設又は定設する外面と，
パイプ又は縁又は帯状体又は平面又は器具表面と相補的な形状を有する内面と，
前記外面と前記内面を有する腕と，
からなる取付器具」と，
を有する扇風機である。
ただし，「定設する」とは，「立設又は斜設又は着設又は定設する」ことである。また，本明細書において，「取付対象物」とは，「パイプ又は縁又は帯状体又は平面又は器具表面」など，前記扇風機を取り付けることができる又は置くことができるすべての取付対象物である。
また，前記変動式電気機器の「変動式」とは，「変動部を有する」ということを表している。これに対し，変動部がないものを，「手持式電気機器」とよぶ。
すなわち，手持式電気機器は，
「送風部に内包又は内設された電動機と，
前記電動機によって駆動される羽根車と，
前記送風部に横設又は着設された棒状体と，
前記棒状体に内包又は内設された電源と，
前記電源と前記電動機を電気的に接続する電気伝導体と，
からなる手持式電気機器」である。
また，変動式電気機器は，
「送風部に内包又は内設された電動機と，
前記電動機によって駆動される羽根車と，
前記送風部に横設又は着設された変動部と，
前記変動部を介して前記送風部に変動着された棒状体と，
前記棒状体に内包又は内設された電源と，
前記電源と前記電動機を電気的に接続する電気伝導体と，
からなる変動式電気機器」である。
【０４６７】
課題解決手段２は，
「前記腕が前記パイプ又は前記縁又は前記帯状体又は前記平面又は前記器具表面によって支持される又は支持する課題解決手段１に記載の扇風機」である。
【０４６８】
課題解決手段３は，
「前記腕が前記パイプ又は前記縁又は前記帯状体又は前記平面又は前記器具表面を抱持又は挟持できる課題解決手段１又は２に記載の扇風機」である。
【０４６９】
なお，前記パイプを挟持できる腕は，前記パイプをバネの力で挟むことができる腕であってもよく，クリップ式に挟むことができる腕であってもよい。また，前記縁を挟持できる腕は，前記縁をバネの力で挟むことができる腕であってもよく，クリップ式に挟むことができる腕であってもよい。また，挟持できる腕は，前記帯状体をバネの力で挟むことができる腕であってもよく，クリップ式に挟むことができる腕であってもよい。また，前記器具表面を挟持できる腕は，前記器具表面をバネの力で挟むことができる腕であってもよく，クリップ式に挟むことができる腕であってもよい。
【０４７０】
課題解決手段４は，
「前記パイプ又は前記縁又は前記帯状体又は前記平面又は前記器具表面を巻持できる巻持部を前記腕に有する課題解決手段１から３のいずれかに記載の扇風機」である。
【０４７１】
課題解決手段４に記載の扇風機の前記巻持部は，前記パイプ又は前記縁又は前記帯状体又は前記平面又は前記器具表面を巻持できる前記巻持部であればよく，実施例１から１８に記載の巻持部には限定されない。
【０４７２】
課題解決手段５は，
「前記平面と相補的な形状を有する足を前記腕に有する課題解決手段１から４のいずれかに記載の扇風機」である。
課題解決手段５に記載の扇風機の前記足は，前記平面と相補的な形状を有するものであればよく，実施例１から１８に記載の足には限定されない。
【０４７３】
課題解決手段６は，
「前記パイプが鞍乗式器具が備えるパイプ又は掃除機が備える通気パイプ又は車輪式器具が備えるパイプ又は着用物の帯又は家具の縁である課題解決手段１から５のいずれかに記載の扇風機」である。
なお，「車輪式器具」とは，車輪のついた器具であり，自転車，オートバイ，自動車，車椅子，ベビーカー，は車輪式器具である。
【０４７４】
課題解決手段７は，
「前記可動部が回動する回転軸と前記棒状体が回動する回転軸のなす角が６５度乃至８０度である課題解決手段１から６のいずれかに記載の扇風機」である。
【０４７５】
課題解決手段８は，
「前記腕の先端又は前後にベルトを通過させる穴を有する課題解決手段１から７のいずれかに記載の扇風機」である。
【０４７６】
課題解決手段９は，
「課題解決手段１から８のいずれかに記載の扇風機を備えた鞍乗式器具又は車輪式器具」である。
【０４７７】
課題解決手段１０は，
「課題解決手段１から８のいずれかに記載の扇風機を備えた掃除機」である。
【０４７８】
課題解決手段１１は，
「課題解決手段８に記載の扇風機を備えた着用物」である。
なお，「着用物」とは，帽子，リュックサック，帯などの人体に着用できる物又は器具である。また，着用物は器具である。
【０４７９】
関連発明Ｃ１にあたっては，
「変動式電気機器又は手持式電気機器が有する棒状体を支持する支持部と，
前記支持部が有する可動部と，
前記支持部を定設する外面と，
取付対象物と相補的な形状を有する内面と，
前記外面と前記内面を有する腕と，
からなる取付器具」である。
【０４８０】
関連発明Ｃ２にあたっては，
「前記支持部が前記棒状体を回動可能に支持する関連発明Ｃ１に記載の取付器具」である。
【０４８１】
関連発明Ｃ３にあたっては，
「前記支持部が前記棒状体を横動可能に支持する関連発明Ｃ１又は２に記載の取付器具」である。
【０４８２】
関連発明Ｃ４にあたっては，
「変動式電気機器又は手持式電気機器と，
関連発明Ｃ１から３のいずれかに記載の取付器具と，
を有する扇風機」である。
【０４８３】
関連発明Ｃ５にあたっては，
「変動式電気機器と，
関連発明Ｃ１から３のいずれかに記載の取付器具と，
を有する扇風機」である。
関連発明Ｃ６にあたっては，
「前記腕が前記取付対象物によって支持される関連発明Ｃ４又は５に記載の扇風機」である。
【０４８４】
関連発明Ｃ７にあたっては，
「前記腕が前記取付対象物を抱持又は挟持できる関連発明Ｃ４から６のいずれかに記載の扇風機」である。
【０４８５】
関連発明Ｃ８にあたっては，
「前記取付対象物を巻持できる巻持部を前記腕に有する関連発明Ｃ４から７のいずれかに記載の扇風機」である。
【０４８６】
関連発明Ｃ９にあたっては，
「１つの平面と相補的な形状を有する足を前記腕に有する関連発明Ｃ４から８のいずれかに記載の扇風機」である。
【０４８７】
関連発明Ｃ１０にあたっては，
「前記取付対象物が鞍乗式器具が備えるパイプ又は掃除機が備える通気パイプ又は車輪式器具が備えるパイプ又は着用物の帯又は家具の縁である関連発明Ｃ４から９のいずれかに記載の扇風機」である。
関連発明Ｃ１１にあたっては，
「前記可動部が回動する回転軸と前記棒状体が回動する回転軸のなす角が６５度乃至８０度である関連発明Ｃ４から１０のいずれかに記載の扇風機」である。
関連発明Ｃ１２にあたっては，
「前記腕にベルトを通過させる穴を有する関連発明Ｃ４から１１のいずれかに記載の扇風機」である。
【０４８８】
関連発明Ｃ１３にあたっては，
「関連発明Ｃ１から３のいずれかに記載の取付器具又は関連発明Ｃ４から１２のいずれかに記載の扇風機を備えた鞍乗式器具」である。
関連発明Ｃ１４にあたっては，
「関連発明Ｃ１から３のいずれかに記載の取付器具又は関連発明Ｃ４から１２のいずれかに記載の扇風機を備えた車輪式器具」である。
関連発明Ｃ１５にあたっては，
「関連発明Ｃ１から３のいずれかに記載の取付器具又は関連発明Ｃ４から１２のいずれかに記載の扇風機を備えた掃除機」である。
関連発明Ｃ１６にあたっては，
「関連発明Ｃ１から３のいずれかに記載の取付器具又は関連発明Ｃ４から１２のいずれかに記載の扇風機を備えた着用物」である。
【０４８９】
（発明の効果）
課題解決手段１によれば，
「送風部に内包又は内設された電動機と，
前記電動機によって駆動される羽根車と，
前記送風部に横設又は着設された変動部と，
前記変動部を介して前記送風部に変動着された棒状体と，
前記棒状体に内包又は内設された電源と，
前記電源と前記電動機を電気的に接続する電気伝導体と，
からなる変動式電気機器」と，
「前記棒状体を回動可能かつ横動可能に支持する支持部と，
前記支持部が有する可動部と，
前記支持部を立設又は斜設又は着設又は定設する外面と，
パイプ又は縁又は帯状体又は平面又は器具表面と相補的な形状を有する内面と，
前記外面と前記内面を有する腕と，
からなる取付器具」と，
を有する扇風機が提供される。
【０４９０】
これにより，実施例１５に記載の「容易に握持できる手持部を有する携帯可能な小型の扇風機 」が提供され，前記棒状体を手持部として握持しながら持ち運びできるので落としにくい効果を得ることができる。
【０４９１】
また，課題解決手段１に記載の扇風機は，実施例１５に記載のステップ（図５４から５９）によって，室内設置型の鞍乗式器具である室内バイクのハンドルである前記パイプ（又は前記縁又は前記帯状体又は前記平面）などの前記器具表面に前記扇風機を着けた状態を保ちながら前記手持部である前記棒状体を外部にはみ出さないようにコンパクトに折りたたむことができ，かつ，前記扇風機の重心を前記パイプ（又は前記縁又は前記帯状体又は前記平面）などの前記器具表面の真上に容易に配置することができる。
【０４９２】
よって，「容易に握持できる手持部を有する携帯可能な小型の扇風機であって，かつ，パイプ又は縁又は帯状体又は平面又は器具表面に着けた状態を保ちながら前記手持部を外部にはみ出さないように折りたためる扇風機であって，かつ，前記扇風機の重心を前記パイプ又は前記縁又は前記帯状体又は前記平面又は前記器具表面の真上に容易に配置できる扇風機を提供する」という課題を解決することができる。
【０４９３】
なお，前記「パイプ又は縁又は帯状体又は平面又は器具表面に着けた状態を保ちながら前記手持部を外部にはみ出さないように折りたためる扇風機であって，かつ，前記扇風機の重心を前記パイプ又は前記縁又は前記帯状体又は前記平面又は前記器具表面の真上に容易に配置できる扇風機」による特筆すべき効果としては，図６０に示すように，「室内設置型の鞍乗式器具である室内バイクのハンドルの前記パイプの上面（鞍乗式器具の縁）６１３に着けられた前記扇風機の前記蝶番部を開いて前記棒状体である前記手持部を外部にはみ出さないようにコンパクトに折りたたんだ状態の扇風機３３８は，パイプ６０６の右横の通路を通行する人が矢印３３９の軌跡で通過してもぶつからないように配置できる効果」を得ることができる。
これに対し，前記コンパクトに折りたたまずに前記送風部を前記室内バイクに鞍乗りする利用者に向けて送風した場合は，図６１に示すように前記棒状体である前記手持部が外部にはみ出した状態の扇風機３４０として配置されるため，パイプ６０６の右横の通路を通行する人が矢印３４１の軌跡で通過した場合に棒状体３０８にぶつかる恐れが生じてしまう。
【０４９４】
よって，課題解決手段１による効果である「パイプ又は縁又は帯状体又は平面又は器具表面に着けた状態を保ちながら前記手持部を外部にはみ出さないように折りたたむことができ，かつ，前記扇風機の重心を前記パイプ又は前記縁又は前記帯状体又は前記平面又は前記器具表面の真上に容易に配置できる効果」は， 限られた室内に多数の室内バイク等のトレーニングマシンなどの器具を密に配置し，それらトレーニングマシンの間の狭い通路を利用者が頻繁に通行する室内型の運動用ジムにおいて，前記扇風機を周囲の邪魔にならずに安全に利用するために不可欠な特筆すべき効果となっている。
【０４９５】
また，課題解決手段１に記載の取付器具は，課題解決手段１に記載の変動式電気機器の棒状体を回動可能かつ横動可能に支持できるだけでなく，
「送風部に内包又は内設された電動機と，
前記電動機によって駆動される羽根車と，
前記送風部に横設又は着設された棒状体と，
前記棒状体に内包又は内設された電源と，
前記電源と前記電動機を電気的に接続する電気伝導体と，
からなる手持式電気機器」
の棒状体を回動可能かつ横動可能に支持できる。このため，変動式電気機器を有する扇風機を製造するのに加えて，さらに手持式電気機器を有する扇風機も製造する場合に，前記取付器具を両方の扇風機に共通利用することができる。これにより，製造にかかるコストを削減できる効果を得ることができる。
すなわち，
「変動式電気機器又は手持式電気機器が有する棒状体を回動可能かつ横動可能に支持する支持部と，
前記支持部が有する可動部と，
前記支持部を定設する外面と，
取付対象物と相補的な形状を有する内面と，
前記外面と前記内面を有する腕と，
からなる取付器具」は，変動式電気機器と組み合わせることによって，課題解決手段１に記載の扇風機を得ることができ，さらに，前記変動式電気機器を手持式電気機器におきかえることで，前記手持式電気機器を支持できる効果を得ることができる。
【０４９６】
課題解決手段２によれば，
「前記腕が前記パイプ又は前記縁又は前記帯状体又は前記平面又は前記器具表面によって支持される又は支持する課題解決手段１に記載の扇風機」が提供される。これにより，前記パイプ又は前記縁又は前記帯状体又は前記平面又は前記器具表面の上面だけでなく，前記パイプ又は前記縁又は前記帯状体又は前記平面又は前記器具表面の上面以外にも前記扇風機を着けることができ，前記室内バイクのハンドルの前記パイプ又は前記縁又は前記帯状体又は前記平面又は前記器具表面のより広い範囲に前記扇風機を着けることができるようになる効果を得ることができる。また，前記扇風機が落下しにくくなる効果を得ることができる。
【０４９７】
課題解決手段３によれば，
「前記腕が前記パイプ又は前記縁又は前記帯状体又は前記平面又は前記器具表面を抱持又は挟持できる課題解決手段１又は２に記載の扇風機」が提供される。
【０４９８】
掃除機の通気パイプを抱持できる抱持部を有する前記扇風機は，実施例４から１６に記載の効果を得ることができるため，「室内バイク等の鞍乗式器具だけでなく，掃除機の通気パイプのハンドル付近にも取り付けることができる扇風機であって，かつ，該扇風機が通気パイプの周方向に回転移動を起こしにくい扇風機を提供する」という課題を解決することができる。
【０４９９】
また，課題解決手段３によれば，図６２に示すように，前記扇風機は前記棒状体をコンパクトに折りたたんだ状態で，上下の区別のある通気パイプの鞍部の前鞍面又は前管の上面を上から抱持して周方向に回転移動しにくい効果を得ることができるため，周囲にトレーニングマシンが密集している狭い通路で前記扇風機を着けた前記通気パイプを有する掃除機を使用する際に，前記扇風機が前記トレーニングマシンにぶつかりにくくなるという特筆すべき効果を得ることができる。
【０５００】
また，課題解決手段３によれば，図６３に示すように，前記扇風機は前記棒状体を前記送風部に横設した状態で，上下の区別のある通気パイプの鞍部の下鞍面又は前管の下面を下から抱持して周方向に回転移動しにくい効果を得ることができるため，前記送風部をユーザに近い側（図６３では，通気パイプ１００のハンドル１０３を右手で掴持するユーザが立っている左５０９の側）に配置しても，前記棒状体に内包された前記電池の重心と前記送風部の重心が左右でバランスすることにより，前記扇風機の全体の重心が前記通気パイプの下に位置するため，ＳＨＩＲストレスを発生させにくく，かつ，前記送風部からの気流が前記通気パイプに邪魔されないという特筆すべき効果を得ることができる。
【０５０１】
課題解決手段４によれば，
「前記パイプ又は前記縁又は前記帯状体又は前記平面又は前記器具表面を巻持できる巻持部を前記腕に有する課題解決手段１から３のいずれかに記載の扇風機」が提供される。これにより，前記扇風機は，実施例４から１６に記載の巻持部による効果を得ることができる。また，前記巻持部に前記パイプを巻持させる場合と同様の方法でリュックサックの帯を巻持させることが可能になるため，実施例１８に記載の「リュックサックに前記扇風機を着けることができる」という特筆すべき効果を得ることができる。
【０５０２】
課題解決手段５によれば，
「前記平面と相補的な形状を有する足を前記腕に有する課題解決手段１から４のいずれかに記載の扇風機」が提供される。これにより，前記扇風機は，机面上にぐらつかない状態で，安定に置くことができる。また，実施例４から１８に記載の「前記足を有する抱持部による効果」又は「前記抱持部を有する前記扇風機による効果」を得ることができる。
【０５０３】
課題解決手段６によれば，
「前記パイプが鞍乗式器具が備えるパイプ又は掃除機が備える通気パイプ又は車輪式器具が備えるパイプ又は着用物の帯又は家具の縁である課題解決手段１から５のいずれかに記載の扇風機」が提供される。これにより，実施例１５に記載の「鞍乗式器具に着けた前記扇風機」が有する効果，又は，実施例４から１６に記載の「掃除機の通気パイプに着けた前記扇風機」が有する効果を得ることができる。また，車輪式器具に対しても実施例１５に記載の「鞍乗式器具に着けた前記扇風機」が有する効果を得ることができる。
【０５０４】
課題解決手段７によれば，
「前記可動部が回動する回転軸と前記棒状体が回動する回転軸のなす角が６５度乃至８０度である課題解決手段１から６のいずれかに記載の扇風機」が提供される。これにより，実施例１５に記載の「前記扇風機のスイッチが押しやすくなる効果」，及び，「前記支持部を前記可動部で回動させても，ファンガードが腕にぶつからない効果」，及び，実施例１７に記載の「送風部と人の背中の間の距離が相互にぶつからない適切な距離に保たれる効果」を得ることができる。
課題解決手段８によれば，
「前記腕の先端又は前後にベルトを通過させる穴を有する課題解決手段１から７のいずれかに記載の扇風機」が提供される。これにより，実施例１７に記載の「帽子に着けた前記扇風機」が有する効果及び／又は実施例１８に記載の「リュックサックに着けた扇風機」が有する効果を得ることができる。
課題解決手段９によれば，
「課題解決手段１から８のいずれかに記載の扇風機を備えた鞍乗式器具又は車輪式器具」が提供される。
課題解決手段１０によれば，
「課題解決手段１から８のいずれかに記載の扇風機を備えた掃除機」が提供される。
課題解決手段１１によれば，
「課題解決手段８に記載の扇風機を備えた着用物」が提供される。
【０５０５】
関連発明Ｃ１に記載の取付器具によれば，前記取付器具の支持部の可動部による自由度によって，実施例１８に記載のリュックサックを背負う人の脇の下に向けて送風できるように手持式電気機器又は変動式電気機器の送風部を配置できる効果を得ることができるため，前記リュックサックに取り付けた取付器具に前記手持式電気機器又は前記変動式電気機器を取り付けることで，歩きながら移動しても送風を安定して脇の下に向け続けることができ，ワキ汗を乾かし続けることができるという特筆すべき効果を得ることができる。
【０５０６】
関連発明Ｃ２に記載の取付器具によれば，前記取付器具の支持部の可動部による自由度と，前記支持部が棒状体を回動可能に支持する自由度の２つの自由度によって，前記手持式電気機器又は前記変動式電気機器の送風部の向きをほぼ全方位に向けることができる効果を得ることができるため，実施例１８に記載のリュックサックを背負う人の顔や首や胸など様々な箇所に風を当てることができ，さらに，前記人が手に持つ携帯機器に風を当てることができるため，前記携帯機器を冷却できるという特筆すべき効果を得ることができる。
【０５０７】
関連発明Ｃ３に記載の取付器具によれば，前記取付器具の支持部の可動部による自由度と，前記支持部が棒状体を回動可能に支持する自由度と，前記支持部が棒状体を横動可能に支持する自由度の３つの自由度によって，前記手持式電気機器又は前記変動式電気機器の送風部の位置を，実施例１８に記載のリュックサックを背負う人の首の真下に配置させることができ，そこから首元に向けて送風することができるという特筆すべき効果を得ることができる。
【０５０８】
関連発明Ｃ１から３のいずれかに記載の取付器具によれば，前記取付器具の支持部の可動部による自由度と，変動式電気機器の変動部である蝶番部の自由度により，前記棒状体をコンパクトにたたんで，前記リュックサックを背負う人の外側に前記棒状体がはみ出ないように配置できるという特筆すべき効果を得ることができる。
関連発明Ｃ４に記載の発明によれば，
「変動式電気機器又は手持式電気機器と，
関連発明Ｃ１から３のいずれかに記載の取付器具と，
を有する扇風機」が提供される。これにより，課題解決手段０又は１に記載の効果を得ることができる。
関連発明Ｃ５に記載の発明によれば，
「変動式電気機器と，
関連発明Ｃ１から３のいずれかに記載の取付器具と，
を有する扇風機」が提供される。これにより，課題解決手段０又は１に記載の効果を得ることができる。これにより，課題解決手段２に記載の効果を得ることができる。
関連発明Ｃ６に記載の発明によれば，
「前記腕が前記取付対象物によって支持される関連発明Ｃ４又は５に記載の扇風機」が提供される。これにより，課題解決手段２に記載の効果を得ることができる。
関連発明Ｃ７に記載の発明によれば，
「前記腕が前記取付対象物を抱持又は挟持できる関連発明Ｃ４から６のいずれかに記載の扇風機」が提供される。これにより，課題解決手段３に記載の効果を得ることができる。
関連発明Ｃ８に記載の発明によれば，
「前記取付対象物を巻持できる巻持部を前記腕に有する関連発明Ｃ４から７のいずれかに記載の扇風機」が提供される。これにより，課題解決手段４に記載の効果を得ることができる。
関連発明Ｃ９に記載の発明によれば，
「１つの平面と相補的な形状を有する足を前記腕に有する関連発明Ｃ４から８のいずれかに記載の扇風機」が提供される。これにより，課題解決手段５に記載の効果を得ることができる。
関連発明Ｃ１０に記載の発明によれば，
「前記取付対象物が鞍乗式器具が備えるパイプ又は掃除機が備える通気パイプ又は車輪式器具が備えるパイプ又は着用物の帯又は家具の縁である関連発明Ｃ４から９のいずれかに記載の扇風機」が提供される。これにより，課題解決手段６に記載の効果を得ることができる。
関連発明Ｃ１１に記載の発明によれば，
「前記可動部が回動する回転軸と前記棒状体が回動する回転軸のなす角が６５度乃至８０度又は８０度乃至９０度である関連発明Ｃ４から１０のいずれかに記載の扇風機」が提供される。これにより，課題解決手段７に記載の効果を得ることができる。
関連発明Ｃ１２に記載の発明によれば，
「前記腕にベルトを通過させる穴を有する関連発明Ｃ４から１１のいずれかに記載の扇風機」が提供される。これにより，課題解決手段８に記載の効果を得ることができる。
関連発明Ｃ１３に記載の発明によれば，
「関連発明Ｃ１から３のいずれかに記載の取付器具又は関連発明Ｃ４から１２のいずれかに記載の扇風機を備えた鞍乗式器具」が提供される。
関連発明Ｃ１４に記載の発明によれば，
「関連発明Ｃ１から３のいずれかに記載の取付器具又は関連発明Ｃ４から１２のいずれかに記載の扇風機を備えた車輪式器具」が提供される。
関連発明Ｃ１５に記載の発明によれば，
「関連発明Ｃ１から３のいずれかに記載の取付器具又は関連発明Ｃ４から１２のいずれかに記載の扇風機を備えた掃除機」が提供される。
関連発明Ｃ１６に記載の発明によれば，
「関連発明Ｃ１から３のいずれかに記載の取付器具又は関連発明Ｃ４から１２のいずれかに記載の扇風機を備えた着用物」が提供される。
【符号の説明】
【０５０９】
１００  通気パイプ
１０１  通気パイプの前管
１０２  通気パイプの後管
１０３  通気パイプのハンドル
１０４  通気パイプのハンドルの付け根
１０５  通気パイプの鞍部
１０６  通気パイプの鞍部の前鞍面
１０７  通気パイプの鞍部の後鞍面
１０８  通気パイプの鞍部の下鞍面
１０９  前管と後管が相互に接続された位置
１１０  前管と後管が相互に接続された位置の通気パイプの軸
１１１  通気パイプのヘッド
１１６  通気パイプの鞍部の前鞍面の鞍点
１１７  通気パイプの鞍部の後鞍面の鞍点
１１８  通気パイプの鞍部の下鞍面の鞍点
１２６  通気パイプの鞍部の前鞍面の鞍点における法線
１２７  通気パイプの鞍部の後鞍面の鞍点における法線
１２８  通気パイプの鞍部の下鞍面の鞍点における法線
１３０  通気パイプの前管の上面
１３１  通気パイプの前管の下面
２００  支持具
２０１  抱持部
２０２  腕
２０３  腕の内面
２０４  腕の外面
２０５  腕の先端
２０６  巻持部
２０７  巻持部のベルト
２０８  巻持部のベルトのジョイント
２０９  巻持部のベルトのジョイントの面ファスナ
２１０  支持部
２１１  支持部のカメラねじ
２１２  足
２１３  腕の内面の鞍点
２１４  支持部の可動部（垂直回転軸）
２１５  支持部の可動部（水平回転軸）
２２２  腕の幅
２２３  腕の内面の鞍点における法線
２２４  腕の先端の隙間
２２５  腕のＵ形状
２２６  腕の内面の鞍形状
２２７  巻持部のＯ形状
２２８  鞍部又は前管に相補的な形状を有する内面
２２９  腕バネ
２３０  支持部のスマートフォンホルダー
２３１  支持部の基台
２３２  支持部の支持板
２３３  支持部のねじ穴
２３４  腕の外面の中央
２３５  腕の前後
２３６  腕の前後の切れ込み
２３７  腕の先端と足を滑らかにつなぐ滑曲面
２３８  巻持部のベルトを通過させる穴
２３９  腕の外面のシール貼付エリアの枠
２４０  腕の外面のシール貼付エリア
２４１  くぼみ
２４２  腕の内面の奥内面
２４３  足の穴（フックを通過させる穴）
２４４  支持部の棒持台
２４５  支持部の棒持台の棒持面
２４６  支持部の棒持台の棒持面の滑り止めの隆起
２４７  腕の先端の穴（ベルトを通過させる穴）
２４８  落下防止ワイヤ
２５０  抱持部の中央の位置でカットするときの平面
２５１  抱持部の中央から２センチメートルの位置でカットするときの平面
２５２  抱持部の中央から４センチメートルの位置でカットするときの平面
２６０  抱持部の中央の位置でカットした抱持部の断面
２６１  抱持部の中央から２センチメートルの位置でカットした抱持部の断面
２６２  抱持部の中央から４センチメートルの位置でカットした抱持部の断面
３００  扇風機
３０１  扇風機の送風部
３０２  扇風機の送風部の羽根車
３０３  扇風機の送風部の電動機
３０４  扇風機の送風部の電源である電池
３０５  扇風機の送風部のファンガード
３０６  扇風機の送風部の枠
３０７  扇風機の蝶番部
３０８  扇風機の棒状体
３０９  扇風機のスイッチ
３１０  扇風機の電池ケースの蓋
３１１  扇風機のユニバーサルシリアルバス規格の受電可能なポート端子
３２０  扇風機の送風部のファンガードの結合を示す矢印
３２１  扇風機の電池ケースの蓋と棒状体の結合を示す矢印
３２２  扇風機の棒状体を回動可能かつ横動可能に支持部の棒持台の棒持面に支持させることを示す矢印
３２３  支持部の棒持台の可動部を支持板のねじ穴に通過させることで棒持台を基台に対して回動可能に設けることを示す矢印
３２４  扇風機の送風部と棒状体を蝶着する蝶番部の蝶動を示す矢印
３２５  扇風機の棒状体を回動可能に支持する支持部の棒持台の棒持面における前記棒状体の回動を示す矢印
３２６  扇風機の棒状体を横動可能に支持する支持部の棒持台の棒持面における前記棒状体の横動を示す矢印
３２７  支持部の基台の支持板が回動可能に支持する棒持台と前記基台の間の可動部の回動を示す矢印
３３０  腕の内面を鞍乗式器具である室内バイクのハンドルのパイプの上面に着けることを示す矢印
３３１  鞍乗式器具である室内バイクのハンドルのパイプを支持する腕の外面に立設された支持部の棒持台の棒持面における棒状体の横動を示す矢印
３３２  鞍乗式器具である室内バイクのハンドルのパイプを支持する腕の外面に立設された支持部の棒持台の棒持面における棒状体の回動を示す矢印
３３３  鞍乗式器具である室内バイクのハンドルのパイプを支持する腕の外面に立設された支持部の棒持台の棒持面における棒状体の回動の軸を示す線
３３４  鞍乗式器具である室内バイクのハンドルのパイプの上面に着けられた扇風機の蝶番部の蝶動を示す矢印
３３５  鞍乗式器具である室内バイクのハンドルのパイプの上面に着けられた扇風機の蝶番部の蝶動の軸を示す線
３３６  鞍乗式器具である室内バイクのハンドルのパイプを支持する腕の外面に立設された支持部の可動部の回動を示す矢印
３３７  鞍乗式器具である室内バイクのハンドルのパイプを支持する腕の外面に立設された支持部の可動部の回動の軸を示す線
３３８  鞍乗式器具である室内バイクのハンドルのパイプの上面に着けられた扇風機の蝶番部を開いて棒状体である手持部を外部にはみ出さないようにコンパクトに折りたたんだ状態の扇風機
３３９  鞍乗式器具である室内バイクのハンドルのパイプの右横の通路を通行する人の軌跡が扇風機にぶつからないことを示す矢印
３４０  鞍乗式器具である室内バイクのハンドルのパイプの上面に着けられた扇風機の蝶番部を閉じて棒状体である手持部が外部にはみ出した状態の扇風機
３４１  鞍乗式器具である室内バイクのハンドルのパイプの右横の通路を通行する人の軌跡が扇風機の棒状体にぶつかることを示す矢印
４００   ２８４グラムの物体の重心を，通気パイプの軸から８５ミリメートルの距離で，通気パイプのハンドルからロール回転角４５度の方向の位置においた実験条件
４０１   ２８４グラムの物体の重心を，通気パイプの軸から８５ミリメートルの距離で，通気パイプのハンドルからロール回転角１８０度の方向の位置においた実験条件
４０２   ５６８グラムの物体の重心を，通気パイプの軸上の位置においた実験条件
５００  原点
５０１  ロール回転軸
５０２  ヨー回転軸
５０３  ピッチ回転軸
５０４  前
５０５  後
５０６  上
５０７  下
５０８  右
５０９  左
５１０  ロール回転角
５１１  ロール回転角で４５度の方向にある位置
５５０   ハンドルを有する通気パイプの鞍部を下鞍面の鞍点方向から抱持した状態
５５１   ハンドルを有する通気パイプの鞍部を下鞍面の鞍点方向から周方向に２０度回転移動させた方向から抱持した状態
５６０   ハンドルを有さない通気パイプの鞍部を下鞍面の鞍点方向から抱持した状態
５６１   ハンドルを有さない通気パイプの鞍部を下鞍面の鞍点方向から周方向に２０度回転移動させた方向から抱持した状態
５６２  ハンドルを有する通気パイプ
５６３  ハンドルを有さない通気パイプ
５７０  前管と後管が相互に接続された位置の通気パイプの軸で通気パイプを周方向に回転移動させたときの下鞍面の鞍点方向と腕の抱持方向の間の角度
５７１  腕の幅の増加率（％）
５７２  ハンドルを有する通気パイプを周方向に回転移動させたときの回転角度に対する腕の幅の増加率  
５７３  ハンドルを有さない通気パイプを周方向に回転移動させたときの回転角度に対する腕の幅の増加率  
６００  机面
６０１  スマートフォン
６０２  カメラ
６０３  壁面
６０４  壁面に固定されたフック
６０５  室内設置型の鞍乗式器具である室内バイク
６０６  室内設置型の鞍乗式器具である室内バイクのハンドルのパイプ
６０７  帽子
６０８  帽子のベルト（着用物の縁のベルト）
６０９  帽子をかぶった人
６１０  リュックサック
６１１  リュックサックの帯
６１２  腕の両側の先端の穴を通過し，かつ，リュックサックの帯を巻持するベルト
６１３  室内設置型の鞍乗式器具である室内バイクのハンドルのパイプの上面（鞍乗式器具の縁）
６１４  取付器具
６１５  変動式電気機器
６１６  手持式電気機器
【図１】
2018119537.tif 000003
【図２】
2018119537.tif 000004
【図３】
2018119537.tif 000005
【図４】
2018119537.tif 000006
【図５】
2018119537.tif 000007
【図６】
2018119537.tif 000008
【図７】
2018119537.tif 000009
【図８】
2018119537.tif 000010
【図９】
2018119537.tif 000011
【図１０】
2018119537.tif 000012
【図１１】
2018119537.tif 000013
【図１２】
2018119537.tif 000014
【図１３】
2018119537.tif 000015
【図１４】
2018119537.tif 000016
【図１５】
2018119537.tif 000017
【図１６】
2018119537.tif 000018
【図１７】
2018119537.tif 000019
【図１８】
2018119537.tif 000020
【図１９】
2018119537.tif 000021
【図２０】
2018119537.tif 000022
【図２１】
2018119537.tif 000023
【図２２】
2018119537.tif 000024
【図２３】
2018119537.tif 000025
【図２４】
2018119537.tif 000026
【図２５】
2018119537.tif 000027
【図２６】
2018119537.tif 000028
【図２７】
2018119537.tif 000029
【図２８】
2018119537.tif 000030
【図２９】
2018119537.tif 000031
【図３０】
2018119537.tif 000032
【図３１】
2018119537.tif 000033
【図３２】
2018119537.tif 000034
【図３３】
2018119537.tif 000035
【図３４】
2018119537.tif 000036
【図３５】
2018119537.tif 000037
【図３６】
2018119537.tif 000038
【図３７】
2018119537.tif 000039
【図３８】
2018119537.tif 000040
【図３９】
2018119537.tif 000041
【図４０】
2018119537.tif 000042
【図４１】
2018119537.tif 000043
【図４２】
2018119537.tif 000044
【図４３】
2018119537.tif 000045
【図４４】
2018119537.tif 000046
【図４５】
2018119537.tif 000047
【図４６】
2018119537.tif 000048
【図４７】
2018119537.tif 000049
【図４８】
2018119537.tif 000050
【図４９】
2018119537.tif 000051
【図５０】
2018119537.tif 000052
【図５１】
2018119537.tif 000053
【図５２】
2018119537.tif 000054
【図５３】
2018119537.tif 000055
【図５４】
2018119537.tif 000056
【図５５】
2018119537.tif 000057
【図５６】
2018119537.tif 000058
【図５７】
2018119537.tif 000059
【図５８】
2018119537.tif 000060
【図５９】
2018119537.tif 000061
【図６０】
2018119537.tif 000062
【図６１】
2018119537.tif 000063
【図６２】
2018119537.tif 000064
【図６３】
2018119537.tif 000065
【図６４】
2018119537.tif 000066
【図６５】
2018119537.tif 000067
【図６６】
2018119537.tif 000068
【図６７】
2018119537.tif 000069
【手続補正書】
【提出日】平成29年9月29日(2017.9.29)
【手続補正１】
【補正対象書類名】特許請求の範囲
【補正対象項目名】請求項１
【補正方法】変更
【補正の内容】
【請求項１】
送風部に内包又は内設された電動機と，
前記電動機によって駆動される羽根車と，
前記送風部に横設又は着設又は変動着又は蝶着された棒状体と，
前記棒状体に内包又は内設された電源と，
前記電源と前記電動機を電気的に接続する電気伝導体と，
前記棒状体を回動可能に支持する支持部と，
前記支持部を定設する外面と，
前記外面を支持し着用物に密着する足と，
からなる
扇風機。
【手続補正書】
【提出日】平成29年9月30日(2017.9.30)
【手続補正１】
【補正対象書類名】明細書
【補正対象項目名】００５６
【補正方法】変更
【補正の内容】
【００５６】
課題解決手段１１は，
「課題解決手段８に記載の扇風機を備えた着用物」である。
なお，「着用物」とは，帽子，リュックサック，帯などの人体に着用できる物又は器具である。
【手続補正２】
【補正対象書類名】明細書
【補正対象項目名】０４７８
【補正方法】変更
【補正の内容】
【０４７８】
課題解決手段１１は，
「課題解決手段８に記載の扇風機を備えた着用物」である。
なお，「着用物」とは，帽子，リュックサック，帯などの人体に着用できる物又は器具である。
【手続補正書】
【提出日】平成29年10月11日(2017.10.11)
【手続補正１】
【補正対象書類名】特許請求の範囲
【補正対象項目名】請求項１
【補正方法】変更
【補正の内容】
【請求項１】
送風部に内包又は内設された電動機と，
前記電動機によって駆動される羽根車と，
前記送風部に横設又は着設又は変動着又は蝶着された棒状体と，
前記棒状体に内包又は内設された電源と，
前記電源と前記電動機を電気的に接続する電気伝導体と，
前記棒状体を回動可能に支持する支持部と，
前記支持部を定設する外面と，
前記外面を支持し着用物に密着する足又は気流が通過する空洞ができるように平面若しくは人体の表面に接触できる足と，
からなる
扇風機。
【手続補正書】
【提出日】平成29年11月2日(2017.11.2)
【手続補正１】
【補正対象書類名】特許請求の範囲
【補正対象項目名】請求項１
【補正方法】変更
【補正の内容】
【請求項１】
送風部に内包又は内設された電動機と，
前記電動機によって駆動される羽根車と，
前記送風部に横設又は着設又は変動着又は蝶着された棒状体と，
前記棒状体に内包又は内設された電源と，
前記電源と前記電動機を電気的に接続する電気伝導体と，
前記棒状体を回動可能に支持する支持部と，
前記支持部を定設する外面と，
前記外面を支持し着用物に密着する足又は気流が通過する空洞ができるように平面若しくは人体の表面に接触できる足と，
を備える
扇風機。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
送風部と，
前記送風部を支持する支持部と，
前記支持部が定設された腕と，
前記腕に設けられた足と，
を有し，
前記腕は取付対象物を抱持又は挟持又は支持することができ，
かつ，
人体の表面又は着用物の表面と前記腕の間に気流が通過できる空洞ができるように前記足が前記表面に接触できる扇風機。
【請求項２】
送風部と，
前記送風部に内包又は内設された電動機と，
前記電動機によって駆動される羽根車と，
前記送風部に定設又は横設又は着設又は変動着又は蝶着された棒状体と，
前記棒状体に内包又は内設された電源と，
前記電源と前記電動機を電気的に接続する電気伝導体と，
前記棒状体を支持する支持部と，
前記支持部が定設された腕と，
前記腕に設けられた足と，
を有し，
前記腕は取付対象物を抱持又は挟持又は支持することができ，
かつ，
人体の表面又は着用物の表面と前記腕の間に気流が通過できる空洞ができるように前記足が前記表面に接触できる扇風機。
【請求項３】
送風部と，
前記送風部に内包又は内設された電動機と，
前記電動機によって駆動される羽根車と，
前記送風部に定設又は横設又は着設又は変動着又は蝶着された棒状体と，
前記棒状体に内包又は内設された電源と，
前記電源と前記電動機を電気的に接続する電気伝導体と，
前記棒状体を回動可能に支持する支持部と，
前記支持部が定設された腕と，
前記腕に設けられた足と，
を有し，
前記腕は取付対象物を抱持又は挟持又は支持することができ，
かつ，
前記足が着用物に密着又は接触する扇風機。
【請求項４】
請求項１から３のいずれかに記載の扇風機に用いる
前記腕と前記足と，
を有する取付器具。
【請求項５】
請求項２又は３に記載の扇風機に用いる
前記支持部の棒持台。
【手続補正書】
【提出日】平成29年11月11日(2017.11.11)
【手続補正１】
【補正対象書類名】特許請求の範囲
【補正対象項目名】請求項１
【補正方法】変更
【補正の内容】
【請求項１】
送風部と，
前記送風部を支持する腕と，
前記腕に設けられた足と，
を有し，
前記腕は取付対象物を抱持又は挟持又は支持することができ，
かつ，
人体の表面又は着用物の表面と前記腕の間に気流が通過できる空洞ができるように前記足が前記表面に接触できる扇風機。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
送風部と，
着用物によって支持される腕と，
前記腕に設けられた穴と，
前記腕に設けられた足と，
を有し，
前記着用物を着用する人体に前記足を接触させた状態で
前記人体と前記腕の間にできる空洞を
前記送風部から送風された気流が通過できる
扇風機。
【請求項２】
前記着用物を着用する人体に前記足を接触させた状態で
前記送風部が前記人体の首又は背中に向けて送風できる
請求項１に記載の扇風機。
【請求項３】
前記腕に概ねに凹形状又は鞍形状又はＵ形状を有する面を有し，
前記人体と前記概ねに凹形状又は前記鞍形状又は前記Ｕ形状を有する前記面の間を前記気流が通過できる
請求項１又は２に記載の扇風機。
【請求項４】
前記送風部に内包又は内設された電動機と，
前記電動機によって駆動される羽根車と，
前記送風部に定設又は横設又は着設又は変動着又は蝶着された棒状体と，
前記棒状体に内包又は内設された電源と，
前記電源と前記電動機を電気的に接続する電気伝導体と，
前記棒状体を支持する支持部と，
前記支持部を定設する外面と，
前記外面を有する前記腕と，
を有する
請求項１から３のいずれかに記載の扇風機。
【請求項５】
請求項１から４のいずれかに記載の扇風機に用いる
前記腕と前記穴と前記足を有する取付器具。
【手続補正３】
【補正対象書類名】明細書
【補正対象項目名】０００１
【補正方法】変更
【補正の内容】
【０００１】
本発明は，着用物につける扇風機，及び，取付器具に関するものである。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
送風部と，
着用物によって支持される腕と，
前記腕に設けられた穴と，
前記腕に設けられた足と，
を有し，
前記着用物を着用する人体に前記足を接触させた状態で
前記人体と前記腕の間にできる空洞を
前記送風部から送風された気流が通過できる
扇風機。
【請求項２】
前記着用物を着用する前記人体に前記足を接触させた状態で
前記送風部が前記人体の首又は背中に向けて送風できる
請求項１に記載の扇風機。
【請求項３】
前記腕に概ねに凹形状又は鞍形状又はＵ形状を有する面を有し，
前記人体と前記概ねに凹形状又は前記鞍形状又は前記Ｕ形状を有する前記面の間を前記気流が通過できる
請求項１又は２に記載の扇風機。
【請求項４】
前記送風部に内包又は内設された電動機と，
前記電動機によって駆動される羽根車と，
前記送風部に定設又は横設又は着設又は変動着又は蝶着された棒状体と，
前記棒状体に内包又は内設された電源と，
前記電源と前記電動機を電気的に接続する電気伝導体と，
前記棒状体を支持する支持部と，
前記支持部を定設する外面と，
前記外面を有する前記腕と，
を有する
請求項１から３のいずれかに記載の扇風機。
【請求項５】
請求項１から４のいずれかに記載の扇風機に用いる
前記腕と前記穴と前記足を有する取付器具。
【手続補正３】
【補正対象書類名】明細書
【補正対象項目名】０００１
【補正方法】変更
【補正の内容】
【０００１】
本発明は，着用物につける扇風機，及び，取付器具に関するものである。
【手続補正書】
【提出日】平成29年12月9日(2017.12.9)
【手続補正１】
【補正対象書類名】特許請求の範囲
【補正対象項目名】請求項２
【補正方法】変更
【補正の内容】
【請求項２】
前記着用物を着用する前記人体に前記足を接触させた状態で
送風の向きを調整できるように設けられた前記送風部が前記人体の首又は背中に向けて送風できる
請求項１に記載の扇風機。